(57)【要約】      （修正有）【課題】面積を縮小した半導体装置を提供する。【解決手段】第１トランジスタ４９０と、第２トランジスタ４９１と、第３トランジスタ４９２と、第１容量素子４９３と、第２容量素子４９４と、を有し、第３トランジスタは、絶縁体上の第１導電体と、第１導電体上の第１絶縁体と、第１絶縁体上の半導体と、半導体上の第２絶縁体と、第２絶縁体上の第２導電体と、半導体に接続された第３導電体及び第４導電体と、を有し、第１トランジスタ４９０のソース電極またはドレイン電極の一方は、第３トランジスタ４９２の第２導電体および第１容量素子４９３の一方の電極と電気的に接続され、第２トランジスタ４９１のソース電極またはドレイン電極の一方は、第３トランジスタ４９２の第１導電体および第２容量素子４９４の一方の電極と電気的に接続されている半導体装置である。【選択図】図１
2015170749.tif 000002
【特許請求の範囲】
【請求項１】
第１トランジスタと、
第２トランジスタと、
第３トランジスタと、
第１容量素子と、
第２容量素子と、
を有し、
前記第３トランジスタは、
第１導電体と、
前記第１導電体上の第１絶縁体と、
前記第１絶縁体上の半導体と、
前記半導体上の第２絶縁体と、
前記第２絶縁体上の第２導電体と、
前記半導体に接続された第３導電体及び第４導電体と、
を有し、
前記半導体は、
前記第１導電体と重なり前記第２導電体と重ならない第１領域と、
前記第２導電体と重なり前記第１導電体と重ならない第２領域と、を有し、
前記第１トランジスタのソース電極またはドレイン電極の一方は、前記第３トランジスタの第２導電体および前記第１容量素子の一方の電極と電気的に接続され、
前記第２トランジスタのソース電極またはドレイン電極の一方は、前記第３トランジスタの第１導電体および前記第２容量素子の一方の電極と電気的に接続されていることを特徴とする半導体装置。
【請求項２】
請求項１において、
前記半導体が有する前記第１領域と前記第２領域に挟まれた領域の面積は、前記第１領域の面積以下であり、かつ、前記第２領域の面積以下であることを特徴とする半導体装置。
【請求項３】
第１トランジスタと、
第２トランジスタと、
第３トランジスタと、
第１容量素子と、
第２容量素子と、
を有し、
前記第３トランジスタは、
第１導電体と、
前記第１導電体上の第１絶縁体と、
前記第１絶縁体上の半導体と、
前記半導体上の第２絶縁体と、
前記第２絶縁体上の第２導電体と、
前記半導体に接続された第３導電体及び第４導電体と、
を有し、
前記半導体は、
前記第１導電体と重なる第３領域と、
前記第２導電体と重なる第４領域と、を有し、
前記第３領域と前記第４領域とは重ならず、
前記第１トランジスタのソース電極またはドレイン電極の一方は、前記第３トランジスタの第２導電体および前記第１容量素子の一方の電極と電気的に接続され、
前記第２トランジスタのソース電極またはドレイン電極の一方は、前記第３トランジスタの第１導電体および前記第２容量素子の一方の電極と電気的に接続されていることを特徴とする半導体装置。
【請求項４】
請求項３において、
前記半導体が有する前記第３領域と前記第４領域に挟まれた領域の面積は、前記第１領域の面積以下であり、かつ、前記第２領域の面積以下であることを特徴とする半導体装置。
【請求項５】
第１トランジスタと、
第２トランジスタと、
第３トランジスタと、
第１容量素子と、
第２容量素子と、
を有し、
前記第３トランジスタは、
第１導電体と、
前記第１導電体上の第１絶縁体と、
前記第１絶縁体上の半導体と、
前記半導体上の第２絶縁体と、
前記第２絶縁体上の第２導電体と、
前記半導体に接続された第３導電体及び第４導電体と、
を有し、
前記半導体は、
前記第１導電体と重なる第３領域と、
前記第２導電体と重なる第４領域と、
前記第３領域と前記第４領域とが重なる第５領域と、を有し、
前記第５領域の面積は、前記第３領域の面積の２５％以下であり、かつ、前記第４領域の面積の２５％以下であり、
前記第１トランジスタのソース電極またはドレイン電極の一方は、前記第３トランジスタの第２導電体および前記第１容量素子の一方の電極と電気的に接続され、
前記第２トランジスタのソース電極またはドレイン電極の一方は、前記第３トランジスタの第１導電体および前記第２容量素子の一方の電極と電気的に接続されていることを特徴とする半導体装置。
【請求項６】
第１トランジスタと、
第２トランジスタと、
第３トランジスタと、
第１容量素子と、
第２容量素子と、
を有し、
前記第３トランジスタは、
第１導電体と、
前記第１導電体上の第１絶縁体と、
前記第１絶縁体上において前記第１導電体と重なる位置にある半導体と、
前記半導体上の第２絶縁体と、
前記第２絶縁体上において前記半導体と重なる位置にある第２導電体と、
前記半導体に接続された第３導電体及び第４導電体と、
を有し、
上面から見て、前記第１導電体の端部と前記第２導電体の端部は重ならず、
前記第１導電体の端部と前記第２導電体の端部との間隔は、前記第１導電体の幅以下であり、かつ、前記第２導電体の幅以下であり、
前記第１トランジスタのソース電極またはドレイン電極の一方は、前記第３トランジスタの第２導電体および前記第１容量素子の一方の電極と電気的に接続され、
前記第２トランジスタのソース電極またはドレイン電極の一方は、前記第３トランジスタの第１導電体および前記第２容量素子の一方の電極と電気的に接続されていることを特徴とする半導体装置。
【請求項７】
第１トランジスタと、
第２トランジスタと、
第３トランジスタと、
第１容量素子と、
第２容量素子と、
を有し、
前記第３トランジスタは、
第１導電体と、
前記第１導電体上の第１絶縁体と、
前記第１絶縁体上において前記第１導電体と重なる位置にある半導体と、
前記半導体上の第２絶縁体と、
前記第２絶縁体上において前記半導体と重なる位置にある第２導電体と、
前記半導体に接続された第３導電体及び第４導電体と、
を有し、
前記第１導電体と、前記第２導電体と、は互いに重なる領域を有し、
前記重なる領域の面積は、前記第１導電体の面積の２５％以下であり、かつ、前記第２導電体の面積の２５％以下であり、
前記第１トランジスタのソース電極またはドレイン電極の一方は、前記第３トランジスタの第２導電体および前記第１容量素子の一方の電極と電気的に接続され、
前記第２トランジスタのソース電極またはドレイン電極の一方は、前記第３トランジスタの第１導電体および前記第２容量素子の一方の電極と電気的に接続されていることを特徴とする半導体装置。
【請求項８】
第１トランジスタと、
第２トランジスタと、
第３トランジスタと、
第１容量素子と、
第２容量素子と、
を有し、
前記第３トランジスタは、
第１導電体と、
前記第１導電体上の第１絶縁体と、
前記第１絶縁体上において前記第１導電体と重なる位置にある半導体と、
前記半導体上の第２絶縁体と、
前記第２絶縁体上において前記酸化物半導体と重なる位置にある第２導電体と、
前記半導体に接続された第３導電体及び第４導電体と、
を有し、
上面から見て、前記第１導電体の端部と前記第２導電体の端部は揃っていて、
前記第１トランジスタのソース電極またはドレイン電極の一方は、前記第３トランジスタの第２導電体および前記第１容量素子の一方の電極と電気的に接続され、
前記第２トランジスタのソース電極またはドレイン電極の一方は、前記第３トランジスタの第１導電体および前記第２容量素子の一方の電極と電気的に接続されていることを特徴とする半導体装置。
【請求項９】
請求項１乃至請求項８の何れか１項において、
前記第１トランジスタのチャネル形成領域は、酸化物半導体で形成され、
前記第２トランジスタのチャネル形成領域は、酸化物半導体で形成され、
前記第２トランジスタが有する前記半導体は、酸化物半導体であることを特徴とする半導体装置。
【請求項１０】
請求項１乃至請求項９の何れか１項において、
前記第３トランジスタは、前記第２トランジスタ上に積層され、
前記第１トランジスタは、前記第３トランジスタ上に積層されることを特徴とする半導体装置。
【請求項１１】
請求項１乃至請求項９の何れか１項において、
前記第１トランジスタは、前記第２トランジスタ上に積層され、
前記第１トランジスタのチャネル形成領域と、前記第２トランジスタのチャネル形成領域と、は重なることを特徴とする半導体装置。
【請求項１２】
請求項１乃至請求項１１の何れか１項において、
前記第１トランジスタと、前記第２トランジスタと、前記第３トランジスタと、前記第１容量素子と、前記第２容量素子と、によって１６値乃至１０２４値のいずれかの状態を保持することを特徴とする半導体装置。
【請求項１３】
請求項１乃至請求項１２の何れか１項に記載の半導体装置と、
アンテナと、
を有するＲＦＩＤタグ。
【請求項１４】
請求項１乃至請求項１２の何れか１項に記載の半導体装置と、
プリント配線基板と、
を有する電子機器。
【発明の詳細な説明】
【技術分野】
【０００１】
本発明は、物、方法、または、製造方法に関する。または、本発明は、プロセス、マシン、マニュファクチャ、または組成物（コンポジション・オブ・マター）に関する。特に、本発明は、例えば、半導体、半導体装置、表示装置、発光装置、照明装置、蓄電装置、記憶装置またはプロセッサに関する。または、半導体、半導体装置、表示装置、発光装置、照明装置、蓄電装置、記憶装置またはプロセッサの製造方法に関する。または、半導体装置、表示装置、発光装置、照明装置、蓄電装置、記憶装置またはプロセッサの駆動方法に関する。
【０００２】
なお、本明細書などにおいて半導体装置とは、半導体特性を利用することで機能しうる装置全般を指す。記憶装置、表示装置、発光装置、照明装置、電気光学装置、半導体回路および電子機器等は、半導体装置を有する場合がある。
【背景技術】
【０００３】
チャネル形成領域が、半導体シリコン（Ｓｉ）でなるトランジスタ（以下、Ｓｉトランジスタという）と、酸化物半導体（好ましくはＩｎ、Ｇａ、及びＺｎを含む酸化物）をチャネル形成領域に含むトランジスタと、を組み合わせて電源遮断後もデータの保持を可能にした半導体装置が注目されている（特許文献１参照）。
【０００４】
近年、扱われるデータ量の増大に伴って、大きな記憶容量を有する半導体装置が求められている。そうした中で、前述した特許文献１に記載の半導体装置では、多値のデータを記憶し、該データを読み出す構成について開示している。
【先行技術文献】
【特許文献】
【０００５】
【特許文献１】特開２０１２−２５６４００号公報
【発明の概要】
【発明が解決しようとする課題】
【０００６】
本発明の一形態は、以下の少なくとも１つを課題とする。面積を縮小した半導体装置（メモリセル）を提供すること、記憶密度を向上した半導体装置を提供すること、記憶容量を向上した半導体装置を提供すること、小型化された半導体装置を提供すること、または、新規な半導体装置を提供すること。
【０００７】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００８】
（１）本発明の一態様は、第１トランジスタと、第２トランジスタと、第３トランジスタと、第１容量素と、第２容量素子と、を有し、第３トランジスタは、第１導電体と、第１導電体上の第１絶縁体と、第１絶縁体上の半導体と、半導体上の第２絶縁体と、第２絶縁体上の第２導電体と、半導体に接続された第３導電体及び第４導電体と、を有し、半導体は、第１導電体と重なり第２導電体と重ならない第１領域と、第２導電体と重なり第１導電体と重ならない第２領域と、を有し、第１トランジスタのソース電極またはドレイン電極の一方は、第３トランジスタの第２導電体および第１容量素子の一方の電極と電気的に接続され、第２トランジスタのソース電極またはドレイン電極の一方は、第３トランジスタの第１導電体および第２容量素子の一方の電極と電気的に接続されている半導体装置である。
【０００９】
（２）または、本発明の一態様は、半導体が有する第１領域と第２領域に挟まれた領域の面積は、第１領域の面積以下であり、かつ、第２領域の面積以下である、（１）の態様に係る半導体装置である。
【００１０】
（３）または、本発明の一態様は、第１トランジスタと、第２トランジスタと、第３トランジスタと、第１容量素子と、第２容量素子と、を有し、第３トランジスタは、絶縁体上の第１導電体と、第１導電体上の第１絶縁体と、第１絶縁体上の半導体と、半導体上の第２絶縁体と、第２絶縁体上の第２導電体と、半導体に接続された第３導電体及び第４導電体と、を有し、半導体は、第１導電体と重なる第３領域と、第２導電体と重なる第４領域と、を有し、第３領域と第４領域とは重ならず、第１トランジスタのソース電極またはドレイン電極の一方は、第３トランジスタの第２導電体および第１容量素子の一方の電極と電気的に接続され、第２トランジスタのソース電極またはドレイン電極の一方は、第３トランジスタの第１導電体および第２容量素子の一方の電極と電気的に接続されている半導体装置である。
【００１１】
（４）または、本発明の一態様は、半導体が有する第３領域と第４領域に挟まれた領域の面積は、前記第１領域の面積以下であり、かつ、前記第２領域の面積以下である、（１）の態様に係る半導体装置である。
【００１２】
（５）または、本発明の一態様は、第１トランジスタと、第２トランジスタと、第３トランジスタと、第１容量素子と、第２容量素子と、を有し、第３トランジスタは、絶縁体上の第１導電体と、第１導電体上の第１絶縁体と、第１絶縁体上の半導体と、半導体上の第２絶縁体と、第２絶縁体上の第２導電体と、半導体に接続された第３導電体及び第４導電体と、を有し、半導体は、第１導電体と重なる第３領域と、第２導電体と重なる第４領域と、第３領域と第４領域とが重なる第５領域と、を有し、第５領域の面積は、第３領域の面積の２５％以下であり、かつ、第４領域の面積の２５％以下であり、第１トランジスタのソース電極またはドレイン電極の一方は、第３トランジスタの第２導電体および第１容量素子の一方の電極と電気的に接続され、第２トランジスタのソース電極またはドレイン電極の一方は、第３トランジスタの第１導電体および第２容量素子の一方の電極と電気的に接続されている半導体装置である。
【００１３】
（６）または、本発明の一態様は、第１トランジスタと、第２トランジスタと、第３トランジスタと、第１容量素子と、第２容量素子と、を有し、第３トランジスタは、絶縁体上の第１導電体と、第１導電体上の第１絶縁体と、第１絶縁体上において前記第１導電体と重なる位置にある半導体と、半導体上の第２絶縁体と、第２絶縁体上において前記半導体と重なる位置にある第２導電体と、半導体に接続された第３導電体及び第４導電体と、を有し、上面から見て、第１導電体の端部と第２導電体の端部は重ならず、第１導電体の端部と第２導電体の端部との間隔は、第１導電体の幅以下であり、かつ、第２導電体の幅以下であり、第１トランジスタのソース電極またはドレイン電極の一方は、第３トランジスタの第２導電体および第１容量素子の一方の電極と電気的に接続され、第２トランジスタのソース電極またはドレイン電極の一方は、第３トランジスタの第１導電体および第２容量素子の一方の電極と電気的に接続されている半導体装置である。
【００１４】
（７）または、本発明の一態様は、第１トランジスタと、第２トランジスタと、第３トランジスタと、第１容量素子と、第２容量素子と、を有し、第３トランジスタは、絶縁体上の第１導電体と、第１導電体上の第１絶縁体と、第１絶縁体上において前記第１導電体と重なる位置にある半導体と、半導体上の第２絶縁体と、第２絶縁体上において前記半導体と重なる位置にある第２導電体と、半導体に接続された第３導電体及び第４導電体と、を有し、第１導電体と、第２導電体と、は互いに重なる領域を有し、重なる領域の面積は、第１導電体の面積の２５％以下であり、かつ、第２導電体の面積の２５％以下であり、第１トランジスタのソース電極またはドレイン電極の一方は、第３トランジスタの第２導電体および第１容量素子の一方の電極と電気的に接続され、第２トランジスタのソース電極またはドレイン電極の一方は、第３トランジスタの第１導電体および第２容量素子の一方の電極と電気的に接続されている半導体装置である。
【００１５】
（８）または、本発明の一態様は、第１トランジスタと、第２トランジスタと、第３トランジスタと、第１容量素子と、第２容量素子と、を有し、第３トランジスタは、絶縁体上の第１導電体と、第１導電体上の第１絶縁体と、第１絶縁体上において前記第１導電体と重なる位置にある半導体と、半導体上の第２絶縁体と、第２絶縁体上において前記半導体と重なる位置にある第２導電体と、半導体に接続された第３導電体及び第４導電体と、を有し、上面から見て、第１導電体の端部と第２導電体の端部は揃っていて、第１トランジスタのソース電極またはドレイン電極の一方は、第３トランジスタの第２導電体および第１容量素子の一方の電極と電気的に接続され、第２トランジスタのソース電極またはドレイン電極の一方は、第３トランジスタの第１導電体および第２容量素子の一方の電極と電気的に接続されている半導体装置である。
【００１６】
（９）または、本発明の一態様は、第１トランジスタのチャネル形成領域は、酸化物半導体で形成され、第２トランジスタのチャネル形成領域は、酸化物半導体で形成され、第２トランジスタが有する半導体は、酸化物半導体である（１）乃至（８）のいずれか一の態様に係る半導体装置である。
【００１７】
（１０）または、本発明の一態様は、第３トランジスタは、第２トランジスタ上に積層され、第１トランジスタは、第３トランジスタ上に積層される（１）乃至（９）のいずれか一の態様に係る半導体装置である。
【００１８】
（１１）または、本発明の一態様は、第１トランジスタは、第２トランジスタ上に積層され、第１トランジスタのチャネル形成領域と、第２トランジスタのチャネル形成領域と、は重なる（１）乃至（９）のいずれか一の態様に係る半導体装置である。
【００１９】
（１２）または、本発明の一態様は、第１トランジスタと、第２トランジスタと、第３トランジスタと、第１容量素子と、第２容量素子と、によって１６値乃至１０２４値のいずれかの状態を保持する（１）乃至（１１）のいずれか一の態様に係る半導体装置である。
【００２０】
（１３）または、本発明の一態様は、（１）乃至（１２）のいずれか一の態様に係る半導体装置と、アンテナと、を有するＲＦＩＤタグである。
【００２１】
（１４）または、本発明の一態様は、（１）乃至（１２）のいずれか一の態様に係る半導体装置と、プリント配線基板と、を有する電子機器である。
【発明の効果】
【００２２】
面積を縮小した半導体装置（メモリセル）を提供することができる。または、記憶密度を向上した半導体装置を提供することができる。または、記憶容量を向上した半導体装置を提供することができる。または、小型化された半導体装置を提供することができる。または、新規な半導体装置を提供することができる。
【００２３】
なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００２４】
【図１】本発明の一態様に係る半導体装置（メモリセル）を示す回路図。
【図２】本発明の一態様に係る半導体装置（メモリセル）の上面図。
【図３】本発明の一態様に係る半導体装置（メモリセル）の断面図。
【図４】メモリセルの動作に関わる電圧を説明する図。
【図５】メモリセルの動作に関わる電圧を説明する図。
【図６】メモリセルアレイを示す回路図。
【図７】メモリセルの書き込み動作を表すタイミングチャート図。
【図８】メモリセルの読み出し動作を表すタイミングチャート図。
【図９】記憶装置を示すブロック図。
【図１０】トランジスタを示す断面図。
【図１１】トランジスタを示す断面図。
【図１２】酸化物半導体の断面ＴＥＭ像および局所的なフーリエ変換像。
【図１３】酸化物半導体のナノビーム電子回折パターンを示す図、および透過電子回折測定装置の一例を示す図。
【図１４】透過電子回折測定による構造解析の一例を示す図、および平面ＴＥＭ像。
【図１５】半導体の積層を示す断面図、およびバンド構造を示す図。
【図１６】本発明の一態様に係るＣＰＵを示すブロック図。
【図１７】本発明の一態様に係るＲＦＩＤを示すブロック図。
【図１８】本発明の一態様に係る電子部品を示す図。
【図１９】本発明の一態様に係る電子機器を示す図。
【発明を実施するための形態】
【００２５】
本発明の実施の形態について、図面を用いて詳細に説明する。ただし、本発明は以下の説明に限定されず、その形態および詳細を様々に変更し得ることは、当業者であれば容易に理解される。また、本発明は以下に示す実施の形態の記載内容に限定して解釈されるものではない。なお、図面を用いて発明の構成を説明するにあたり、同じものを指す符号は異なる図面間でも共通して用いる。なお、同様のものを指す際にはハッチパターンを同じくし、特に符号を付さない場合がある。
【００２６】
なお、図において、大きさ、膜（層）の厚さ、または領域は、明瞭化のために誇張されている場合がある。
【００２７】
また、電圧は、ある電位と、基準の電位（例えば接地電位（ＧＮＤ）またはソース電位）との電位差のことを示す場合が多い。よって、電圧を電位と言い換えることが可能である。
【００２８】
なお、第１、第２として付される序数詞は便宜的に用いるものであり、工程順または積層順を示すものではない。また、本明細書において発明を特定するための事項として固有の名称を示すものではない。
【００２９】
なお、「半導体」と表記した場合でも、例えば、導電性が十分低い場合は「絶縁体」としての特性を有する場合がある。また、「半導体」と「絶縁体」は境界が曖昧であり、厳密に区別できない場合がある。従って、本明細書に記載の「半導体」は、「絶縁体」と言い換えることができる場合がある。同様に、本明細書に記載の「絶縁体」は、「半導体」と言い換えることができる場合がある。
【００３０】
また、「半導体」と表記した場合でも、例えば、導電性が十分高い場合は「導電体」としての特性を有する場合がある。また、「半導体」と「導電体」は境界が曖昧であり、厳密に区別できない場合がある。従って、本明細書に記載の「半導体」は、「導電体」と言い換えることができる場合がある。同様に、本明細書に記載の「導電体」は、「半導体」と言い換えることができる場合がある。
【００３１】
なお、半導体の不純物とは、例えば、半導体を構成する主成分以外をいう。例えば、濃度が０．１原子％未満の元素は不純物である。不純物が含まれることにより、例えば、半導体にＤＯＳ（Ｄｅｎｓｉｔｙ  ｏｆ  Ｓｔａｔｅ）が形成されることや、キャリア移動度が低下することや、結晶性が低下することなどが起こる場合がある。半導体が酸化物半導体である場合、半導体の特性を変化させる不純物としては、例えば、第１族元素、第２族元素、第１４族元素、第１５族元素、主成分以外の遷移金属などがあり、特に、例えば、水素（水にも含まれる）、リチウム、ナトリウム、シリコン、ホウ素、リン、炭素、窒素などがある。酸化物半導体の場合、例えば水素などの不純物の混入によって酸素欠損を形成する場合がある。また、半導体がシリコンである場合、半導体の特性を変化させる不純物としては、例えば、酸素、水素を除く第１族元素、第２族元素、第１３族元素、第１５族元素などがある。
【００３２】
なお、以下に示す実施の形態では、特に断りがない場合、絶縁体として、例えば、ホウ素、炭素、窒素、酸素、フッ素、マグネシウム、アルミニウム、シリコン、リン、塩素、アルゴン、ガリウム、ゲルマニウム、イットリウム、ジルコニウム、ランタン、ネオジム、ハフニウムまたはタンタルを一種以上含む絶縁体を、単層で、または積層で用いればよい。または、絶縁体として、樹脂を用いてもよい。例えば、ポリイミド、ポリアミド、アクリル、シリコーンなどを含む樹脂を用いればよい。樹脂を用いることで、絶縁体の上面を平坦化処理しなくてもよい場合がある。また、樹脂は短い時間で厚い膜を成膜することができるため、生産性を高めることができる。絶縁体としては、好ましくは酸化アルミニウム、窒化酸化シリコン、窒化シリコン、酸化ガリウム、酸化イットリウム、酸化ジルコニウム、酸化ランタン、酸化ネオジム、酸化ハフニウムまたは酸化タンタルを含む絶縁体を、単層で、または積層で用いればよい。
【００３３】
また、以下に示す実施の形態では、特に断りがない場合、導電体として、例えば、ホウ素、窒素、酸素、フッ素、シリコン、リン、アルミニウム、チタン、クロム、マンガン、コバルト、ニッケル、銅、亜鉛、ガリウム、イットリウム、ジルコニウム、モリブデン、ルテニウム、銀、インジウム、スズ、タンタルまたはタングステンを一種以上含む導電体を、単層で、または積層で用いればよい。例えば、合金膜や化合物膜であってもよく、アルミニウムを含む導電体、銅およびチタンを含む導電体、銅およびマンガンを含む導電体、インジウム、スズおよび酸素を含む導電体、チタンおよび窒素を含む導電体などを用いてもよい。
【００３４】
なお、本明細書において、Ａが濃度Ｂの領域を有する、と記載する場合、例えば、Ａのある領域における深さ方向全体が濃度Ｂである場合、Ａのある領域における深さ方向の平均値が濃度Ｂである場合、Ａのある領域における深さ方向の中央値が濃度Ｂである場合、Ａのある領域における深さ方向の最大値が濃度Ｂである場合、Ａのある領域における深さ方向の最小値が濃度Ｂである場合、Ａのある領域における深さ方向の収束値が濃度Ｂである場合、測定上Ａそのものの確からしい値の得られる領域が濃度Ｂである場合などを含む。
【００３５】
また、本明細書において、Ａが大きさＢ、長さＢ、厚さＢ、幅Ｂまたは距離Ｂの領域を有する、と記載する場合、例えば、Ａのある領域における全体が大きさＢ、長さＢ、厚さＢ、幅Ｂまたは距離Ｂである場合、Ａのある領域における平均値が大きさＢ、長さＢ、厚さＢ、幅Ｂまたは距離Ｂである場合、Ａのある領域における中央値が大きさＢ、長さＢ、厚さＢ、幅Ｂまたは距離Ｂである場合、Ａのある領域における最大値が大きさＢ、長さＢ、厚さＢ、幅Ｂまたは距離Ｂである場合、Ａのある領域における最小値が大きさＢ、長さＢ、厚さＢ、幅Ｂまたは距離Ｂである場合、Ａのある領域における収束値が大きさＢ、長さＢ、厚さＢ、幅Ｂまたは距離Ｂである場合、測定上Ａそのものの確からしい値の得られる領域が大きさＢ、長さＢ、厚さＢ、幅Ｂまたは距離Ｂである場合などを含む。
【００３６】
なお、チャネル長とは、例えば、トランジスタの上面図において、半導体（またはトランジスタがオン状態のときに半導体の中で電流の流れる部分）とゲート電極とが重なる領域、またはチャネルが形成される領域における、ソース（ソース領域またはソース電極）とドレイン（ドレイン領域またはドレイン電極）との間の距離をいう。なお、一つのトランジスタにおいて、チャネル長が全ての領域で同じ値をとるとは限らない。即ち、一つのトランジスタのチャネル長は、一つの値に定まらない場合がある。そのため、本明細書では、チャネル長は、チャネルの形成される領域における、いずれか一の値、最大値、最小値または平均値とする。
【００３７】
チャネル幅とは、例えば、半導体（またはトランジスタがオン状態のときに半導体の中で電流の流れる部分）とゲート電極とが重なる領域、またはチャネルが形成される領域における、ソースとドレインとが向かい合っている部分の長さをいう。なお、一つのトランジスタにおいて、チャネル幅がすべての領域で同じ値をとるとは限らない。即ち、一つのトランジスタのチャネル幅は、一つの値に定まらない場合がある。そのため、本明細書では、チャネル幅は、チャネルの形成される領域における、いずれか一の値、最大値、最小値または平均値とする。
【００３８】
なお、トランジスタの構造によっては、実際にチャネルの形成される領域におけるチャネル幅（以下、実効的なチャネル幅と呼ぶ。）と、トランジスタの上面図において示されるチャネル幅（以下、見かけ上のチャネル幅と呼ぶ。）と、が異なる場合がある。例えば、立体的な構造を有するトランジスタでは、実効的なチャネル幅が、トランジスタの上面図において示される見かけ上のチャネル幅よりも大きくなり、その影響が無視できなくなる場合がある。例えば、微細かつ立体的な構造を有するトランジスタでは、半導体の上面に形成されるチャネル領域の割合に対して、半導体の側面に形成されるチャネル領域の割合が大きくなる場合がある。その場合は、上面図において示される見かけ上のチャネル幅よりも、実際にチャネルの形成される実効的なチャネル幅の方が大きくなる。
【００３９】
ところで、立体的な構造を有するトランジスタにおいては、実効的なチャネル幅の、実測による見積もりが困難となる場合がある。例えば、設計値から実効的なチャネル幅を見積もるためには、半導体の形状が既知という仮定が必要である。従って、半導体の形状が正確にわからない場合には、実効的なチャネル幅を正確に測定することは困難である。
【００４０】
なお、トランジスタの「ソース」や「ドレイン」の機能は、異なる極性のトランジスタを採用する場合や、回路動作において電流の方向が変化する場合などには入れ替わることがある。このため、本明細書においては、「ソース」や「ドレイン」という用語は、入れ替えて用いることができるものとする。
【００４１】
なお、本明細書において、「平行」とは、二つの直線が−１０°以上１０°以下の角度で配置されている状態をいう。従って、−５°以上５°以下の場合も含まれる。また、「垂直」とは、二つの直線が８０°以上１００°以下の角度で配置されている状態をいう。従って、８５°以上９５°以下の場合も含まれる。
【００４２】
なお、図面における各回路ブロックの配置は、説明のため位置関係を特定するものであり、異なる回路ブロックで別々の機能を実現するよう図面で示していても、実際の回路や領域では、同じ回路や同じ領域内で別々の機能を実現しうるように設けられている場合もある。また図面における各回路ブロックの機能は、説明のため機能を特定するものであり、一つの回路ブロックとして示していても、実際の回路や領域では、一つの回路ブロックで行う処理を複数の回路ブロックで行うよう設けられている場合もある。
【００４３】
（実施の形態１）
本実施の形態では、本発明の一態様に係る半導体装置について図面を参照して説明する。
【００４４】
図１は、本発明の一態様に係る半導体装置の回路構成の一例である。
【００４５】
以下では、図１に示す半導体装置は、メモリセルとしての機能を有する。以下では、当該半導体装置を、半導体装置（メモリセル）と記載する場合や、単にメモリセルと記載する場合がある。
【００４６】
メモリセル５００は、トランジスタ４９０、トランジスタ４９１、トランジスタ４９２、容量素子４９３、容量素子４９４と、を有する。
【００４７】
トランジスタ４９２は、第１ゲート電極と、第２ゲート電極と、ソース電極と、ドレイン電極と、を有する。第１ゲート電極と第２ゲート電極は、チャネル形成領域を挟んで上下に配置されている。また、第１ゲート電極と第２ゲート電極は、一部重なっても良いが、ずらして配置される。本明細書では、このようなトランジスタ４９２を、図１に示した記号で表すこととする。トランジスタ４９２において、チャネル形成領域は、第１ゲート電極と重なるが第２ゲート電極とは重ならない第１領域と、第２ゲート電極と重なるが第１ゲート電極とは重ならない第２領域と、と有することが好ましい。
【００４８】
または、トランジスタ４９２において、チャネル形成領域は、第１ゲート電極と重なる第３領域と、第２ゲート電極と重なる第４領域を有し、第３領域と第４領域とは重ならないことが好ましい。
【００４９】
第３領域と第４領域とが重ならない場合、第３領域と第４領域の間隔は、小さいことが好ましい。第３領域と第４領域が並ぶ方向に対して、第３領域の幅、間隔、第４領域の幅を定義した場合、当該間隔は、第３領域の幅以下である、および／または、第４領域の幅以下であることが好ましい。さらに好ましくは、当該間隔は、第３領域の幅の１／２以下である、および／または、第４領域の幅の１／２以下である。
【００５０】
または、第１ゲート電極と、第２ゲート電極と、は上面から見て、間隔を開けて位置してもよい。第１ゲート電極と第２ゲート電極とが並ぶ方向に対して、第１ゲート電極の幅、間隔、第２ゲート電極の幅を定義した場合、当該間隔は、第１ゲート電極の幅以下であり、および／または、第２ゲート電極の幅以下であることが好ましい。さらに好ましくは、当該間隔は、第１ゲート電極の幅の１／２以下である、および／または、第２ゲート電極の幅の１／２以下である。
【００５１】
または、上面から見て、第１ゲート電極の端部と、第２ゲート電極の端部と、は重ならず、第１ゲート電極の端部と第２ゲート電極の端部との間隔は、第１ゲート電極の幅以下であり、および／または、第２ゲート電極の幅以下であることが好ましい。さらに好ましくは、当該間隔は、第１ゲート電極の幅の１／２以下である、および／または、第２ゲート電極の幅の１／２以下である。
【００５２】
または、第３領域と第４領域とは、一部重なってもよい。一部重なった領域（第５領域とも呼ぶ）は、小さいことが好ましい。当該領域は、好ましくは、第１領域の１／２以下の面積を有し、かつ、第２領域の１／２以下の面積を有し、さらに好ましくは、第１領域の１／４以下の面積を有し、かつ、第２領域の１／４以下の面積を有する。
【００５３】
または、第１ゲート電極と、第２ゲート電極と、は互いに重なる領域を有し、重なる領域の面積は、好ましくは、第１ゲート電極の面積の５０％以下であり、かつ、第２ゲート電極の面積の５０％以下であり、さらに好ましくは、第１ゲート電極の面積の２５％以下であり、かつ、第２ゲート電極の面積の２５％以下である。
【００５４】
または、上面から見て、第１ゲート電極の端部と、第２ゲート電極の端部と、は揃っていても良い。
【００５５】
上述した構成のトランジスタ４９２は、第１ゲート電極の電位および第２ゲート電極の電位に従って、導通もしくは非導通となる。第１ゲート電極の電位がＶｔｈ１より大きくなると、第１ゲート電極によって制御されるチャネル形成領域にはチャネルが形成される、または、キャリアが誘起される。または、第１ゲート電極の電位がＶｔｈ１より大きくなると、チャネル形成領域が有する第３領域にはチャネルが形成される、または、キャリアが誘起される。または、第１ゲート電極の電位がＶｔｈ１より大きくなると、チャネル形成領域が有する第１領域にはチャネルが形成される、または、キャリアが誘起される。一方、第２ゲート電極の電位がＶｔｈ２より大きくなると、第２ゲート電極によって制御されるチャネル形成領域にはチャネルが形成される、または、キャリアが誘起される。または、第２ゲート電極の電位がＶｔｈ２より大きくなると、チャネル形成領域が有する第４領域にはチャネルが形成される、または、キャリアが誘起される。または、第２ゲート電極の電位がＶｔｈ２より大きくなると、チャネル形成領域が有する第２領域にはチャネルが形成される、または、キャリアが誘起される。このように、トランジスタ４９２には、Ｖｔｈ１とＶｔｈ２の２つのしきい値電圧が存在する。Ｖｔｈ１は第１ゲート電極に関わるしきい値電圧、Ｖｔｈ２は第２ゲート電極に関わるしきい値電圧である。第１ゲート電極によって制御されるチャネル形成領域（または第１領域、または第３領域）と、第２ゲート電極によって制御されるチャネル形成領域（または第２領域、または第４領域）と、はソース電極とドレイン電極の間に直列に並んで位置するため、トランジスタ４９２は、第１ゲート電極とソース電極またはドレイン電極との電位差がＶｔｈ１より大きく、かつ、第２ゲート電極とソース電極またはドレイン電極との電位差がＶｔｈ２より大きい場合のみ、導通状態となる。
【００５６】
トランジスタ４９２は、Ｖｔｈ１のしきい値電圧をもつトランジスタと、Ｖｔｈ２のしきい値電圧をもつトランジスタの２つのトランジスタが直列に接続された回路と等価な機能を有するとも言える。
【００５７】
メモリセル５００は、書き込みワード線ＷＷ１、ＷＷ２と、読み出しワード線ＲＷ１、ＲＷ２と、ビット線ＢＬと、ソース線ＳＬと、に接続される。
【００５８】
トランジスタ４９１のソース電極とドレイン電極の一方と、容量素子４９４の電極の一方と、トランジスタ４９２の第１ゲート電極と、が互いに電気的に接続される。この接続された部位をフローティングノードＦＮ１とも呼ぶ。トランジスタ４９０のソース電極とドレイン電極の一方と、容量素子４９３の電極の一方と、トランジスタ４９２の第２ゲート電極と、は接続される。この接続された部位をフローティングノードＦＮ２とも呼ぶ。
【００５９】
トランジスタ４９１のゲート電極は書き込みワード線ＷＷ１に接続される。トランジスタ４９１のソース電極とドレイン電極の他方はビット線ＢＬに接続される。容量素子４９４の電極の他方は読み出しワード線ＲＷ１に接続される。トランジスタ４９０のゲート電極は書き込みワード線ＷＷ２に接続される。トランジスタ４９０のソース電極とドレイン電極の他方はビット線ＢＬに接続される。容量素子４９３の電極の他方は読み出しワード線ＲＷ２に接続される。トランジスタ４９２のソース電極とドレイン電極の一方はソース線ＳＬに接続される。トランジスタ４９２のソース電極とドレイン電極の他方はビット線ＢＬに接続される。
【００６０】
メモリセル５００は、フローティングノードＦＮ１およびフローティングノードＦＮ２に与えられた電位を保持することで、情報を記憶する回路である。或いは、メモリセル５００は、フローティングノードＦＮ１およびフローティングノードＦＮ２に蓄積された電荷を保持することで、情報を記憶する回路である。フローティングノードＦＮ１およびフローティングノードＦＮ２に様々な電位（或いは電荷、或いは状態）を保持することで、４値（２ビット）以上の情報を記憶することができる。
【００６１】
具体的には、４値（２ビット）の情報、１６値（４ビット）の情報、６４値（６ビット）の情報、２５６値（８ビット）、或いは１０２４値（１０ビット）の情報を記憶する（或いは保持する）ことができる。例えば、フローティングノードＦＮ１に２状態、フローティングノードＦＮ２に２状態、をそれぞれ保持することで、４値（＝２×２）の情報を記憶することができる。例えば、フローティングノードＦＮ１に４状態、フローティングノードＦＮ２に４状態、をそれぞれ保持することで、１６値（＝４×４）の情報を記憶することができる。例えば、フローティングノードＦＮ１に８状態、フローティングノードＦＮ２に８状態、をそれぞれ保持することで、６４値（＝８×８）の情報を記憶することができる。例えば、フローティングノードＦＮ１に１６状態、フローティングノードＦＮ２に１６状態、をそれぞれ保持することで、２５６値（＝１６×１６）の情報を記憶することができる。例えば、フローティングノードＦＮ１に３２状態、フローティングノードＦＮ２に３２状態、をそれぞれ保持することで、１０２４値（＝３２×３２）の情報を記憶することができる。このように、メモリセル５００は、２つのフローティングノードの状態数の積で与えられる値の情報を記憶することができるため、記憶密度を向上することができる。
【００６２】
なお、記憶できる状態数は、これらの値に限られず、４値乃至１０２４値の状態を記憶する（或いは保持する）ことが可能である。フローティングノードＦＮ１にｋ１個の状態、フローティングノードＦＮ２にｋ２個の状態、をそれぞれ保持することで、ｋ１×ｋ２値の情報を記憶することができる。さらに、その一部の状態をパリティチェックやエラー訂正に用いることもでき、その場合は、情報としては、ｋ１×ｋ２値より少ない値となる。
【００６３】
トランジスタ４９１は、フローティングノードＦＮ１への電位の供給を制御するトランジスタである。或いは、トランジスタ４９１は、フローティングノードＦＮ１に電荷の充放電を行うトランジスタである。トランジスタ４９１は、書き込みを行う機能を有するトランジスタである。トランジスタ４９０は、フローティングノードＦＮ２への電位の供給を制御するトランジスタである。或いは、トランジスタ４９０は、フローティングノードＦＮ２に電荷の充放電を行うトランジスタである。トランジスタ４９０は、書き込みを行う機能を有するトランジスタである。容量素子４９４は、フローティングノードＦＮ１の電位を、容量結合によって変動させる機能を有する。容量素子４９３は、フローティングノードＦＮ２の電位を、容量結合によって変動させる機能を有する。トランジスタ４９２は、フローティングノードＦＮ１およびフローティングノードＦＮ２の電位に従って、導通もしくは非導通となる。或いは、トランジスタ４９２のソース電極もしくはドレイン電極は、フローティングノードＦＮ１およびフローティングノードＦＮ２の電位に従って、所定の電位となる場合がある。例えば、ソース電極もしくはドレイン電極の電位は、フローティングノードＦＮ１の電位としきい値電圧Ｖｔｈ１だけ異なる電位となる場合や、フローティングノードＦＮ２の電位としきい値電圧Ｖｔｈ２だけ異なる電位となる場合がある。そのような状態を検知することで、メモリセル５００が保持する情報を読み出すことができる。トランジスタ４９２は、読み出しを行う機能を有するトランジスタである。
【００６４】
書き込みワード線ＷＷ１は、トランジスタ４９１の導通状態を制御する信号が与えられる。書き込みワード線ＷＷ２は、トランジスタ４９０の導通状態を制御する信号線が与えられる。書き込みワード線ＲＷ１は、容量素子４９４による容量結合を介して、フローティングノードＦＮ１の電位を制御する信号線が与えられる。書き込みワード線ＲＷ２は、容量素子４９３による容量結合を介して、フローティングノードＦＮ２の電位を制御する信号線が与えられる。ソース線ＳＬとビット線ＢＬは、それぞれ、トランジスタ４９２のソース電極とドレイン電極の一方及び他方の電位を制御する信号が与えられる。または、ビット線ＢＬは、メモリセル５００からの出力信号が与えられる。その場合、ビット線ＢＬは、メモリセル５００から読み出されたデータが与えられる。または、ビット線ＢＬは、トランジスタ４９１の導通状態となった際のフローティングノードＦＮ１に与える電位が与えられる。または、ビット線ＢＬは、トランジスタ４９０の導通状態となった際のフローティングノードＦＮ２に与える電位が与えられる。その場合、ビット線ＢＬは、メモリセル５００に書き込むデータが与えられる。
【００６５】
半導体装置は、メモリセル５００がアレイ状（もしくはマトリクス状）に配置されたメモリセルアレイを有していても良い。
【００６６】
トランジスタ４９０はｎチャネル型であってもｐチャネル型であってもよい。トランジスタ４９１はｎチャネル型であってもｐチャネル型であってもよい。トランジスタ４９２はｎチャネル型であってもｐチャネル型であってもよい。
【００６７】
トランジスタ４９０およびトランジスタ４９１は、オフ状態のときのドレイン電流（リーク電流とも呼ぶ）の小さいトランジスタを用いることができる。例えば、オフ状態のときのドレイン電流は、室温（２５℃程度）にて１×１０−１８Ａ以下、好ましくは１×１０−２１Ａ以下、さらに好ましくは１×１０−２４Ａ以下、または８５℃にて１×１０−１５Ａ以下、好ましくは１×１０−１８Ａ以下、さらに好ましくは１×１０−２１Ａ以下である。一例として、酸化物半導体（好ましくはＩｎ、Ｇａ、及びＺｎを含む酸化物）をチャネル形成領域に含むトランジスタ（以下、酸化物半導体を用いたトランジスタとも呼ぶ）を用いることができる。
【００６８】
トランジスタ４９０にリーク電流の小さいトランジスタを用いることで、フローティングノードＦＮ２に蓄積された電荷を、長期間に渡って保持することができる。トランジスタ４９１にリーク電流の小さいトランジスタを用いることで、フローティングノードＦＮ１に蓄積された電荷を、長期間に渡って保持することができる。つまり、メモリセル５００は、電力の供給なしに長期間データを保持することができる記憶回路としての機能を有する。或いは、不揮発性の記憶回路としての機能を有する。
【００６９】
トランジスタ４９０乃至トランジスタ４９２は、耐圧の高いトランジスタを用いることができる。つまり、ゲート耐圧やドレイン耐圧の高いトランジスタを用いることができる。例えば、５ｎｍ以上、好ましくは７ｎｍ以上、より好ましくは１０ｎｍ以上の厚いゲート絶縁体を用いることができる。また、エネルギーギャップが２．５ｅＶ以上４．２ｅＶ以下、好ましくは２．８ｅＶ以上３．８ｅＶ以下、さらに好ましくは３ｅＶ以上３．５ｅＶ以下の半導体をチャネル形成領域に用いることができる。一例として、酸化物半導体（好ましくはＩｎ、Ｇａ、及びＺｎを含む酸化物）をチャネル形成領域に含むトランジスタを用いることができる。
【００７０】
トランジスタ４９０乃至トランジスタ４９２に耐圧の高いトランジスタを用いることで、フローティングノードＦＮ１およびフローティングノードＦＮ２に、より高い電位を保持することができる。メモリセル５００は、フローティングノードに低い電位から高い電位まで、広い範囲の電位を保持することで、より多くの異なる状態を記憶することができ、より多くの情報を記憶することができる。従って、より高い記憶密度を実現することができる。例えば、フローティングノードＦＮ１およびフローティングノードＦＮ２にそれぞれ１６状態を記憶することで、メモリセル５００は２５６値の情報を記憶することができる。
【００７１】
トランジスタ４９２は、第１ゲート電極と第２ゲート電極は、チャネル形成領域を挟んで上下に、かつ、ずらして配置される。第１ゲート電極と第２ゲート電極がチャネル形成領域を挟んで上下に配置することで、同じ層で構成した場合より小さい領域に配置でき、メモリセルを縮小することができる。また、第１ゲート電極と第２ゲート電極は、互いにずれて配置されることで、トランジスタ４９２の導通状態を独立に制御することができる。その結果、メモリセル５００は、２つのフローティングノードの状態数の積で与えられる値の情報を記憶することができ、記憶密度を向上することができる。
【００７２】
さらに、トランジスタ４９０乃至トランジスタ４９２を積層し、トランジスタ４９０を、トランジスタ４９２のチャネル形成領域から見て、第２ゲート電極と同じ側に配置し、かつ、トランジスタ４９１を、トランジスタ４９２のチャネル形成領域から見て、第１ゲート電極と同じ側に配置してもよい。そうすることで、メモリセル５００を縮小することができる。また、トランジスタ４９０とトランジスタ４９１とを互いに重ねて配置することで、メモリセル５００を縮小することができる。また、トランジスタ４９０とトランジスタ４９２とを互いに重ねて配置することで、メモリセル５００を縮小することができる。また、トランジスタ４９１とトランジスタ４９２とを互いに重ねて配置することで、メモリセル５００を縮小することができる。
【００７３】
トランジスタＡとトランジスタＢとが互いに重なっているとは、少なくとも、トランジスタＡが有するゲート電極、ドレイン電極（もしくはドレイン領域）、あるいはソース電極（もしくはソース領域）の一部が、トランジスタＢが有するゲート電極、ドレイン電極（もしくはドレイン領域）、あるいはソース電極（もしくはソース領域）の一部と、重なることを言う。或いは、トランジスタＡが有するゲート電極、ドレイン電極（もしくはドレイン領域）、及びソース電極（もしくはソース領域）を含む領域と、トランジスタＢが有するゲート電極、ドレイン電極（もしくはドレイン領域）、及びソース電極（もしくはソース領域）を含む領域とが、少なくとも一部重なっていることを言う。或いは、トランジスタＡの構成要素を含む領域と、トランジスタＢの構成要素を含む領域とが、少なくとも一部重なっていることを言う。
【００７４】
以下、トランジスタ４９０乃至トランジスタ４９２を積層したメモリセルについて説明する。
【００７５】
図２及び図３を参照して、図１に示した回路構成を有するメモリセル５００の構成を説明する。
【００７６】
なお、図２及び図３では、理解を容易にするため、絶縁体などの一部を省略して示し、また同じ層に形成される導電体等には、同じハッチングパターンを付している。
【００７７】
図２は、メモリセル５００の構成の一例を示す上面図であり、図２（Ａ）には、メモリセル５００のうち、ビット線ＢＬを含む領域の上面図を示し、図２（Ｂ）には、メモリセル５００のうち、トランジスタ４９１と容量素子４９４とを含む領域の上面図を示し、図２（Ｃ）には、メモリセル５００のうち、トランジスタ４９２を含む領域の上面図を示し、図２（Ｄ）には、メモリセル５００のうち、トランジスタ４９０と容量素子４９３とを含む領域の上面図を示す。領域５０１は、メモリセル５００が占める領域を示す。
【００７８】
図３は、メモリセル５００の構成の一例を示す断面図である。図３の左側には、図２（Ａ）乃至図３（Ｄ）の一点鎖線Ａ１−Ａ２で切断した断面図を示し、同図中央には、図２（Ａ）乃至図２（Ｄ）の一点鎖線Ｂ１−Ｂ２で切断した断面を示し、同図右側には、図２（Ａ）乃至図２（Ｄ）の一点鎖線Ｃ１−Ｃ２で切断した断面を示す。
【００７９】
図２及び図３に示すメモリセル５００は、トランジスタ４９０、トランジスタ４９１、トランジスタ４９２、容量素子４９３、及び容量素子４９４を有し、図１に示した回路構成のメモリセルを構成する。ここでは、トランジスタ４９０乃至トランジスタ４９２は、一例として、酸化物半導体（好ましくはＩｎ、Ｇａ、及びＺｎを含む酸化物）をチャネル形成領域に含むトランジスタを用いるものとして説明する。
【００８０】
まず、図３に示すメモリセル５００の断面図を用いて、デバイス構造について説明する。
【００８１】
図３に示すメモリセル５００は、基板４００と、基板４００上のトランジスタ４９０および容量素子４９３と、トランジスタ４９０および容量素子４９３上の絶縁体４４４と、絶縁体４４４上のトランジスタ４９２と、トランジスタ４９２上の絶縁体４４６と、絶縁体４４６上のトランジスタ４９１および容量素子４９４と、を有する。なお、絶縁体４４４、４４６は、酸素および水素をブロックする機能を有する絶縁体であることが好ましい。
【００８２】
基板４００は、例えば、シリコン、ゲルマニウムなどの単体半導体、または炭化シリコン、シリコンゲルマニウム、ヒ化ガリウム、窒化ガリウム、リン化インジウム、酸化亜鉛、酸化ガリウムなどの化合物半導体を用いた半導体基板であってもよい。半導体基板は、非晶質半導体または結晶質半導体を用いればよく、結晶質半導体としては、単結晶半導体、多結晶半導体、微結晶半導体などがある。また、ガラス基板であってもよい。また、半導体基板やガラス基板上に半導体素子が形成された素子基板であってもよい。
【００８３】
トランジスタ４９０は、半導体４０６ａと、半導体４０６ａ上の半導体４０６ｂと、半導体４０６ａの側面、ならびに半導体４０６ｂの上面および側面と接する、導電体４１６ａおよび導電体４１６ｂと、半導体４０６ａの側面、半導体４０６ｂの上面および側面、導電体４１６ａの上面および側面、ならびに導電体４１６ｂの上面および側面と接する半導体４０６ｃと、半導体４０６ｃ上の絶縁体４１１と、絶縁体４１１上の導電体４２６と、を有する。
【００８４】
導電体４１６ａおよび導電体４１６ｂは、トランジスタ４９０のソース電極およびドレイン電極としての機能を有する。また、絶縁体４１１は、トランジスタ４９０のゲート絶縁体としての機能を有する。また、導電体４２６は、トランジスタ４９０のゲート電極としての機能を有する。
【００８５】
図３に示すように、導電体４１６ａおよび導電体４１６ｂの側面は、半導体４０６ｂの側面と接する。また、導電体４２６は、半導体４０６ｂのチャネル幅方向を電気的に取り囲んだ構造となっており、半導体４０６ｂを上面だけでなく側面も取り囲んだ構造となっている。このようなトランジスタの構造を、ｓｕｒｒｏｕｎｄｅｄ  ｃｈａｎｎｅｌ（ｓ−ｃｈａｎｎｅｌ）構造とよぶ。導電体４０４は、半導体４０６ｂの下方まで伸びている構造となっていることが好ましい。
【００８６】
トランジスタの構造をｓ−ｃｈａｎｎｅｌ構造とすることで、半導体４０６ｂの側面に対してゲート電界によるチャネル形成領域の制御がしやすくなる。導電体４２６が半導体４０６ｂの下方まで伸びている構造では、さらに制御性が優れる。その結果、トランジスタ４９０のサブスレッショルドスイング値（Ｓ値ともいう。）を小さくすることができ、トランジスタ４９０のオフ状態の電流を小さくすることができる。
【００８７】
容量素子４９３は、導電体４１６ａと、導電体４１６ａ上の半導体４０９ｃと、半導体４０９ｃ上の絶縁体４１４と、絶縁体４１４上の導電体４２９と、を有する。
【００８８】
導電体４１６ａは、容量素子４９３の電極の一方としての機能を有する。また、絶縁体４１４は、容量素子４９３の誘電体としての機能を有する。また、導電体４２９は、容量素子４９３の電極の他方としての機能を有する。
【００８９】
トランジスタ４９２は、絶縁体４４４上の導電体４２３と、導電体４２３上の絶縁体４３４と、絶縁体４３４上の半導体４０８ａ、４０８ｂ、および４０８ｃと、当該半導体に上の絶縁体４１３と、絶縁体４１３上の導電体４２８と、当該半導体に接続された導電体４１８ａおよび導電体４１８ｂと、を有する。
【００９０】
または、トランジスタ４９２は、導電体４２３と、導電体４２３上の絶縁体４３４と、絶縁体４３４上の半導体４０８ａと、半導体４０８ａ上の半導体４０８ｂと、半導体４０８ａの側面、ならびに半導体４０８ｂの上面および側面と接する、導電体４１８ａおよび導電体４１８ｂと、半導体４０８ａの側面、半導体４０８ｂの上面および側面、導電体４１８ａの上面および側面、ならびに導電体４１８ｂの上面および側面と接する半導体４０８ｃと、半導体４０８ｃ上の絶縁体４１３と、絶縁体４１３上の導電体４２８と、を有する。
【００９１】
導電体４１８ａおよび導電体４１８ｂの側面は、半導体４０８ｂの側面と接する。また、導電体４２８は、半導体４０８ｂのチャネル幅方向を電気的に取り囲んだ構造となっており、半導体４０８ｂを上面だけでなく側面も取り囲んだ構造となっている。つまり、ｓ−ｃｈａｎｎｅｌ構造となっている。
【００９２】
導電体４１８ａおよび導電体４１８ｂは、トランジスタ４９２のソース電極およびドレイン電極としての機能を有する。また、絶縁体４１３は、トランジスタ４９２のゲート絶縁体としての機能を有する。また、導電体４２８は、トランジスタ４９２のゲート電極（第１ゲート電極と呼ぶ）としての機能を有する。また、絶縁体４３４は、トランジスタ４９２のゲート絶縁体としての機能を有する。また、導電体４２３は、トランジスタ４９２のゲート電極（第２ゲート電極と呼ぶ）としての機能を有する。
【００９３】
トランジスタ４９２において、半導体４０８ｂは、導電体４２３と重なり導電体４２８と重ならない第１領域と、導電体４２８と重なり導電体４２３と重ならない第２領域と、を有する。
【００９４】
図２、および図３に示すトランジスタ４９２において、導電体４２３と、導電体４２８とは、上面からみて、一部重なっている、または、概ね揃っている。本発明において、導電体４２３と導電体４２８の位置関係は、これに限定されない。上面から見て導電体４２３と導電体４２８が重なっていると、導電体４２３と導電体４２８の間の容量結合が生じる場合があり、メモリセル５００の動作に影響を及ぼす場合がある。したがって、当該重なりは、小さいことが好ましい。また、上面から見て導電体４２３と導電体４２８が重ならずに間隔を開けて離れていると、導電体４２３と導電体４２８との間に位置する半導体４０８ｂは、トランジスタ４９２が導通状態であっても、高抵抗となる場合があり、メモリセル５００の動作に影響を及ぼす場合がある。したがって、当該間隔は、小さいことが好ましい。したがって、導電体４２３の端部と導電体４２８の端部は揃っていることが好ましい。
【００９５】
トランジスタ４９２において、半導体４０８ｂは、導電体４２３と重なる第３領域と、導電体４２８と重なる第４領域と、を有し、第３領域と第４領域とは重ならなくても良い。
【００９６】
第３領域と第４領域とが重ならない場合、第３領域と第４領域の間隔は、小さいことが好ましい。第３領域と第４領域が並ぶ方向に対して、第３領域の幅、間隔、第４領域の幅を定義した場合、間隔は、第３領域の幅以下である、および／または、第４領域の幅以下であることが好ましい。さらに好ましくは、当該間隔は、第３領域の幅の１／２以下である、および／または、第４領域の幅の１／２以下である。
【００９７】
または、導電体４２３と、導電体４２８と、は上面から見て、間隔を開けて位置してもよい。導電体４２３と導電体４２８とが並ぶ方向に対して、導電体４２３の幅、間隔、導電体４２８の幅を定義した場合、当該間隔は、導電体４２３の幅以下であり、および／または、導電体４２８の幅以下であることが好ましい。さらに好ましくは、当該間隔は、導電体４２３の幅の１／２以下である、および／または、導電体４２８の幅の１／２以下である。
【００９８】
または、上面から見て、導電体４２３の端部と、導電体４２８の端部と、は重ならず、導電体４２３の端部と導電体４２８の端部との間隔は、導電体４２３の幅以下であり、および／または、導電体４２８の幅以下であることが好ましい。さらに好ましくは、当該間隔は、導電体４２３の幅の１／２以下である、および／または、導電体４２８の幅の１／２以下である。
【００９９】
または、第３領域と第４領域とは、一部重なってもよい。一部重なった領域は、小さいことが好ましい。当該領域は、好ましくは、第１領域の１／２以下の面積を有し、かつ、第２領域の１／２以下の面積を有し、さらに好ましくは、第１領域の１／４以下の面積を有し、かつ、第２領域の１／４以下の面積を有する。
【０１００】
または、導電体４２３と、導電体４２８と、は互いに重なる領域を有し、重なる領域の面積は、好ましくは、導電体４２３の面積の５０％以下であり、かつ、導電体４２８の面積５０％以下であり、さらに好ましくは、導電体４２３の面積の２５％以下であり、かつ、導電体４２８の面積の２５％以下である。
【０１０１】
または、上面から見て、導電体４２３の端部と、導電体４２８の端部と、は揃っていても良い。
【０１０２】
このような構造とすることで、トランジスタ４９２は、ゲート電極を同じ層で構成したトランジスタより面積を小さくできる。その結果、メモリセルを縮小することができる場合がある。また、このような構造とすることで、トランジスタ４９２の導通状態を、２つのゲート電極によって独立に制御することができる。その結果、メモリセル５００は、２つのフローティングノードの状態数の積で与えられる値の情報を記憶することができ、記憶密度を向上することができる。
【０１０３】
トランジスタ４９１は、半導体４０７ａと、半導体４０７ａ上の半導体４０７ｂと、半導体４０７ａの側面、ならびに半導体４０７ｂの上面および側面と接する、導電体４１７ａおよび導電体４１７ｂと、半導体４０７ａの側面、半導体４０７ｂの上面および側面、導電体４１７ａの上面および側面、ならびに導電体４１７ｂの上面および側面と接する半導体４０７ｃと、半導体４０７ｃ上の絶縁体４１２と、絶縁体４１２上の導電体４２７と、を有する。
【０１０４】
導電体４１７ａおよび導電体４１７ｂは、トランジスタ４９１のソース電極およびドレイン電極としての機能を有する。また、絶縁体４１２は、トランジスタ４９１のゲート絶縁体としての機能を有する。また、導電体４２７は、トランジスタ４９１のゲート電極としての機能を有する。
【０１０５】
導電体４１７ａおよび導電体４１７ｂの側面は、半導体４０７ｂの側面と接する。また、導電体４２７は、半導体４０７ｂのチャネル幅方向を電気的に取り囲んだ構造となっており、半導体４０７ｂを上面だけでなく側面も取り囲んだ構造となっている。つまり、ｓ−ｃｈａｎｎｅｌ構造となっている。
【０１０６】
容量素子４９４は、導電体４１７ａと、導電体４１７ａ上の半導体４１０ｃと、半導体４１０ｃ上の絶縁体４１５と、絶縁体４１５上の導電体４３０と、を有する。
【０１０７】
導電体４１７ａは、容量素子４９３の電極の一方としての機能を有する。また、絶縁体４１５は、容量素子４９４の誘電体としての機能を有する。また、導電体４３０は、容量素子４９４の電極の他方としての機能を有する。
【０１０８】
このように、トランジスタ４９０として、半導体４０６ａ、４０６ｂ、４０６ｃを用いたトランジスタを適用することにより以下に述べるような優れた特性を得ることができる。具体的には、優れたサブスレッショルド特性や極めて小さいオフ電流が得られる。また、微細なトランジスタとすることで面積を縮小したメモリセルが得られる。なお、以下の説明は、トランジスタ４９０だけでなく、トランジスタ４９１および／またはトランジスタ４９２に対しても適用される。また、半導体４０７ａだけでなく、半導体４０８ａおよび／または半導体４０９ａに対しても適用される。また、半導体４０７ｂだけでなく、半導体４０８ｂおよび／または半導体４０９ｂに対しても適用される。また、半導体４０７ｃだけでなく、半導体４０８ｃおよび／または半導体４０９ｃに対しても適用される。
【０１０９】
トランジスタ４９０が電子を多数キャリアとする蓄積型である場合、半導体４０６ｂのソース電極およびドレイン電極と接する領域からチャネル形成領域へ延びる電界が短距離で遮蔽されるため、短チャネルでもゲート電界によるキャリアの制御を行いやすい。
【０１１０】
また、絶縁表面上にトランジスタを形成することで、半導体基板をそのままチャネル形成領域として用いる場合と異なり、ゲート電極とボディもしくは半導体基板との間で寄生容量が形成されないため、ゲート電界によるキャリアの制御が容易になる。
【０１１１】
トランジスタの構造をｓ−ｃｈａｎｎｅｌ構造とすることで、半導体４０６ｂの側面に対してゲート電界によるチャネル形成領域の制御がしやすくなる。導電体４２６が半導体４０６ｂの下方まで伸びている構造では、さらに制御性が優れる。その結果、トランジスタ４９０のサブスレッショルドスイング値（Ｓ値ともいう。）を小さくすることができ、トランジスタ４９０のオフ状態の電流を小さくすることができる。
【０１１２】
トランジスタの構造をｓ−ｃｈａｎｎｅｌ構造とすることで、微細なトランジスタにおいても良好な電気特性が得られる。トランジスタの微細化により、該トランジスタを有する半導体装置は、集積度の高い、高密度化された半導体装置とすることが可能となる。例えば、トランジスタ４９０は、チャネル長が好ましくは４０ｎｍ以下、さらに好ましくは３０ｎｍ以下、より好ましくは２０ｎｍ以下の領域を有し、かつ、トランジスタ４９０は、チャネル幅が好ましくは４０ｎｍ以下、さらに好ましくは３０ｎｍ以下、より好ましくは２０ｎｍ以下の領域を有する。
【０１１３】
トランジスタの構造をｓ−ｃｈａｎｎｅｌ構造とすることで、半導体４０６ｂの全体（バルク）にチャネルが形成される場合がある。従って、半導体４０６ｂが厚いほどチャネル形成領域は大きくなる。例えば、２０ｎｍ以上、好ましくは４０ｎｍ以上、さらに好ましくは６０ｎｍ以上、より好ましくは１００ｎｍ以上の厚さの領域を有する半導体４０６ｂとすればよい。ただし、半導体装置の生産性が低下する場合があるため、例えば、３００ｎｍ以下、好ましくは２００ｎｍ以下、さらに好ましくは１５０ｎｍ以下の厚さの領域を有する半導体４０６ｂとすればよい。このような構造とすることで、ｓ−ｃｈａｎｎｅｌ構造では、トランジスタのソース−ドレイン間に大電流を流すことができ、導通時の電流（オン電流）を高くすることができる。
【０１１４】
上述したトランジスタは、短チャネル効果に対する耐性が高いために、シリコン等を用いた従来のトランジスタよりもゲート絶縁体を厚くすることが可能となる。例えばチャネル長及びチャネル幅が５０ｎｍ以下の微細なトランジスタにおいても、５ｎｍ以上、好ましくは７ｎｍ以上、より好ましくは１０ｎｍ以上の厚いゲート絶縁体を用いてもよい。ゲート絶縁体を厚くすることにより、ゲート絶縁体を介したリーク電流を低減できる場合がある。その結果、メモリセルにおける保持特性が向上する。また、ゲート絶縁体を厚くすることにより、ゲート絶縁体の耐圧を高めることができ、より高いゲート電圧でトランジスタを駆動することができる。よって、フローティングノードにより高い電圧を保持することが可能となり、より多くの状態を保持することが可能となり、記憶密度を高めることができる。
【０１１５】
また、導電体４１６ａ（および／または、導電体４１６ｂ）の、少なくとも一部（または全部）は、半導体４０６ｂなどの半導体層の、表面、側面、上面、および／または、下面の少なくとも一部（または全部）と、接触している。当該接触している半導体４０６ｂでは、酸素欠損のサイトに水素が入り込むことでドナー準位を形成することがあり、ｎチャネル型導電領域を有する。なお、酸素欠損のサイトに水素が入り込んだ状態をＶＯＨと表記する場合がある。その結果、ｎチャネル型導電領域を電流が流れることで、良好なオン電流を得ることができる。
【０１１６】
また、酸化物半導体として、後述するＣＡＡＣ−ＯＳ（Ｃ  Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ）を用いることが好ましい。ＣＡＡＣ−ＯＳは、ｃ軸配向した複数の結晶部を有する酸化物半導体の一つである。特に、後述する、ＣＡＡＣ比率を高めることが好ましい。ＣＡＡＣ比率は、一定の範囲におけるＣＡＡＣ−ＯＳの回折パターンが観測される領域の割合である。ＣＡＡＣ比率を高めることにより、例えば、欠陥をより少なくすることができる。また、例えばキャリアの散乱を小さくすることができる。また、不純物の少ないＣＡＡＣ−ＯＳを実現することができ、例えば極めて低いオフ電流特性を実現することができる。例えば、良質なＣＡＡＣ−ＯＳであれば、ＣＡＡＣ比率は、５０％以上、好ましくは８０％以上、より好ましくは９０％以上、さらに好ましくは９５％以上１００％以下である。
【０１１７】
また、半導体４０６ｂ中の不純物濃度を低減し、酸化物半導体を真性または実質的に真性にすることが有効である。ここで、実質的に真性とは、酸化物半導体のキャリア密度が、１×１０１７／ｃｍ３未満であること、好ましくは１×１０１５／ｃｍ３未満であること、さらに好ましくは１×１０１３／ｃｍ３未満であることを指す。酸化物半導体において、水素、窒素、炭素、シリコン、および主成分以外の金属元素は不純物となる。例えば、水素および窒素はドナー準位の形成に寄与し、キャリア密度を増大させてしまう。
【０１１８】
実質的に真性な酸化物半導体を用いたトランジスタは、キャリア密度が低いため、しきい値電圧がマイナスとなる電気特性になることが少ない。また、当該酸化物半導体を用いたトランジスタは、酸化物半導体のキャリアトラップが少ないため、電気特性の変動が小さく、信頼性の高いトランジスタとなる。また、当該酸化物半導体を用いたトランジスタは、オフ電流を非常に低くすることが可能となる。
【０１１９】
例えば、酸化物半導体を用いたトランジスタがオフ状態のときのドレイン電流を、室温（２５℃程度）にて１×１０−１８Ａ以下、好ましくは１×１０−２１Ａ以下、さらに好ましくは１×１０−２４Ａ以下、または８５℃にて１×１０−１５Ａ以下、好ましくは１×１０−１８Ａ以下、さらに好ましくは１×１０−２１Ａ以下とすることができる。なお、トランジスタがオフ状態とは、ｎチャネル型のトランジスタの場合、ゲート電圧がしきい値電圧よりも小さい状態をいう。具体的には、ゲート電圧がしきい値電圧よりも１Ｖ以上、２Ｖ以上または３Ｖ以上小さければ、トランジスタはオフ状態となる。
【０１２０】
なお、上述の３層構造は一例である。例えば、半導体４０６ａまたは半導体４０６ｃのない２層構造としても構わない。または、半導体４０６ａの上もしくは下、または半導体４０６ｃ上もしくは下に、半導体４０６ａ、半導体４０６および半導体４０６ｃとして例示した半導体のいずれか一を有する４層構造としても構わない。または、半導体４０６ａの上、半導体４０６ａの下、半導体４０６ｃの上、半導体４０６ｃの下のいずれか二箇所以上に、半導体４０６ａ、半導体４０６および半導体４０６ｃとして例示した半導体のいずれか一を有するｎ層構造（ｎは５以上の整数）としても構わない。
【０１２１】
さらに、図３に示すメモリセル５００の断面図を用いて、デバイス間の積層構造について説明する。
【０１２２】
図３に示すメモリセル５００は、基板４００と、基板４００上の絶縁体４４２と、絶縁体４４２上の絶縁体４３２と、絶縁体４３２上のトランジスタ４９０および容量素子４９３と、トランジスタ４９０および容量素子４９３上の絶縁体４５２と、絶縁体４５２上の絶縁体４６２と、絶縁体４６２上の絶縁体４４４と、絶縁体４４４上の絶縁体４３４と、絶縁体４３４上のトランジスタ４９２と、トランジスタ４９２上の絶縁体４５４と、絶縁体４５４上の絶縁体４６４と、絶縁体４６４上の絶縁体４４６と、絶縁体４４６上の絶縁体４３６と、絶縁体４３６上のトランジスタ４９１および容量素子４９４と、トランジスタ４９１および容量素子４９４上の絶縁体４５６と、絶縁体４５６上の絶縁体４６６と、絶縁体４６６上の導電体４８０と、を有する。絶縁体には適宜開口部が設けられ、当該開口部に導電体（ビアとも呼ぶ）設けられている。複数の導電体は、当該導電体を介して、適宜接続されている。導電体４８０上には、さらに１つもしくは複数層の絶縁体および導電体が設けられていても良い。
【０１２３】
導電体４８０は、ビット線ＢＬとして機能する領域を有する。導電体４３０は、容量素子４９４の電極としての機能と、読み出しワード線ＲＷ１としての機能とを有する。導電体４２７は、トランジスタ４９１のゲート電極としての機能と、書き込みワード線ＷＷ１としての機能を有する。導電体４２９は、容量素子４９３の電極としての機能と、読み出しワード線ＲＷ２としての機能を有する。導電体４２６は、トランジスタ４９０のゲート電極としての機能と、書き込みワード線ＷＷ２としての機能を有する。なお、導電体４１８ａは、ソース線ＳＬ（図示せず）に接続される。
【０１２４】
トランジスタ４９１のソース電極またはドレイン電極の一方と容量素子４９４の一方の電極とは同じ導電体（導電体４１７ａ）が用いられている。そして、トランジスタ４９２の第１ゲート電極（導電体４２８）と電気的に接続されている。トランジスタ４９０のソース電極またはドレイン電極の一方と容量素子４９３の一方の電極とは同じ導電体（導電体４１６ａ）が用いられている。そして、トランジスタ４９２の第２ゲート電極（導電体４２３）と電気的に接続されている。
【０１２５】
ビット線（導電体４８０）と、トランジスタ４９１のソース電極またはドレイン電極の他方（導電体４１７ｂ）と、トランジスタ４９２のソース電極またはドレイン電極の他方（導電体４１８ｂ）と、トランジスタ４９０のソース電極またはドレイン電極の他方（導電体４１６ｂ）と、は電気的に接続されている。
【０１２６】
トランジスタ４９２は、トランジスタ４９０上に積層され、トランジスタ４９１は、トランジスタ４９２上に積層される。
【０１２７】
トランジスタ４９１のチャネル形成領域と、トランジスタ４９０のチャネル形成領域と、は重なる。
【０１２８】
つまり、トランジスタ４９０乃至トランジスタ４９２を積層し、トランジスタ４９０を、トランジスタ４９２のチャネル形成領域から見て、第２ゲート電極（導電体４２３）と同じ側に配置し、かつ、トランジスタ４９１を、トランジスタ４９２のチャネル形成領域から見て、第１ゲート電極（導電体４２８）と同じ側に配置することで、メモリセル５００を縮小することができる。また、トランジスタ４９０とトランジスタ４９１とを互いに重ねて配置することで、メモリセル５００を縮小することができる。また、トランジスタ４９０のチャネル形成領域とトランジスタ４９１のチャネル形成領域とを互いに重ねて配置することで、メモリセル５００を縮小することができる。また、トランジスタ４９０とトランジスタ４９２とを互いに重ねて配置することで、メモリセル５００を縮小することができる。また、トランジスタ４９１とトランジスタ４９２とを互いに重ねて配置することで、メモリセル５００を縮小することができる。
【０１２９】
絶縁体４３２は過剰酸素を含む絶縁体であると好ましい。
【０１３０】
例えば、過剰酸素を含む絶縁体は、加熱処理によって酸素を放出する機能を有する絶縁体である。例えば、過剰酸素を含む酸化シリコンは、加熱処理などによって酸素を放出することができる酸化シリコンである。従って、絶縁体４３２は膜中を酸素が移動可能な絶縁体である。即ち、絶縁体４３２は酸素透過性を有する絶縁体とすればよい。例えば、絶縁体４３２は、当該絶縁体上の半導体よりも酸素透過性の高い絶縁体とすればよい。
【０１３１】
過剰酸素を含む絶縁体は、当該絶縁体上の半導体中の酸素欠損を低減させる機能を有する場合がある。半導体中で酸素欠損は、ＤＯＳを形成し、正孔トラップなどとなる。また、酸素欠損のサイトに水素が入ることによって、キャリアである電子を生成することがある。従って、半導体中の酸素欠損を低減することで、トランジスタに安定した電気特性を付与することができる。
【０１３２】
絶縁体４４２は、基板４００とトランジスタ４９０の間に設けられる。絶縁体４４２としては、例えば、アルミニウムを含む酸化物、例えば酸化アルミニウムを用いる。絶縁体４４２は、酸素および水素をブロックする絶縁体であるが、密度が３．２ｇ／ｃｍ３未満の酸化アルミニウムは、特に水素をブロックする機能が高いため好ましい。または、結晶性の低い酸化アルミニウムは、特に水素をブロックする機能が高いため好ましい。
【０１３３】
例えば、基板４００が、Ｓｉトランジスタを有する素子基板である場合、水素を外部から供給することでシリコンのダングリングボンドを低減させることができるため、トランジスタの電気特性が向上する場合がある。水素の供給は、例えば、水素を含む絶縁体をＳｉトランジスタの近傍に配置し、加熱処理を行うことで、該水素を拡散させて、Ｓｉトランジスタに供給しても構わない。
【０１３４】
水素を含む絶縁体は、例えば、ＴＤＳ分析にて、１００℃以上７００℃以下または１００℃以上５００℃以下の表面温度の範囲で１×１０１８ａｔｏｍｓ／ｃｍ３以上、１×１０１９ａｔｏｍｓ／ｃｍ３以上または１×１０２０ａｔｏｍｓ／ｃｍ３以上の水素（水素原子数換算）を放出することもある。
【０１３５】
ところで、水素を含む絶縁体から拡散した水素は、絶縁体４４２が水素をブロックする機能を有するため、トランジスタ４９０まで到達する水素は僅かとなる。水素は、酸化物半導体中でキャリアトラップやキャリア発生源となりトランジスタ４９０の電気特性を劣化させることがある。そのため、絶縁体４４２によって水素をブロックすることは半導体装置の性能および信頼性を高めるために重要な意味を持つ。
【０１３６】
一方、例えば、トランジスタ４９０に外部から酸素を供給することで、酸化物半導体の酸素欠損を低減させることができるため、トランジスタの電気特性が向上する場合がある。酸素の供給は、例えば、酸素を含む雰囲気下における加熱処理によって行えばよい。または、例えば、過剰酸素（酸素）を含む絶縁体をトランジスタ４９０の近傍に配置し、加熱処理を行うことで、該酸素を拡散させて、トランジスタ４９０に供給しても構わない。ここでは、絶縁体４３２に過剰酸素を含む絶縁体を用いる。
【０１３７】
拡散した酸素は、各層を介してＳｉトランジスタまで到達する場合があるが、絶縁体４４２が酸素をブロックする機能を有するため、Ｓｉトランジスタまで到達する酸素は僅かとなる。シリコン中に酸素が混入することでシリコンの結晶性を低下させることや、キャリアの移動を阻害させる要因となることがある。そのため、絶縁体４４２によって酸素をブロックすることは半導体装置の性能および信頼性を高めるために重要な意味を持つ。
【０１３８】
トランジスタ４９０上に絶縁体４５２を有すると好ましい。絶縁体４５２は、酸素および水素をブロックする機能を有する。絶縁体４５２は、例えば、絶縁体４４２についての記載を参照する。または、絶縁体４５２は、例えば、半導体４０６ａおよび／または半導体４０６ｃよりも、酸素および水素をブロックする機能が高い。
【０１３９】
半導体装置が絶縁体４５２を有することで、酸素がトランジスタ４９０から外方拡散することを抑制できる。従って、絶縁体４３２などに含まれる過剰酸素（酸素）の量に対して、トランジスタ４９０へ効果的に酸素を供給することができる。また、絶縁体４５２は、絶縁体４５２よりも上に設けられた層や半導体装置の外部から混入する水素を含む不純物をブロックするため、不純物の混入によってトランジスタ４９０の電気特性が劣化することを抑制できる。
【０１４０】
なお、便宜上、絶縁体４４２および／または絶縁体４５２をトランジスタ４９０と区別して説明したが、トランジスタ４９０の一部であっても構わない。
【０１４１】
絶縁体４３４、４３６は、過剰酸素を含む絶縁体であると好ましい。例えば、絶縁体４３２についての記載を参照することができる。
【０１４２】
また、絶縁体４４４、４４６は、酸素および水素をブロックする絶縁体であると好ましい。例えば、絶縁体４４２についての記載を参照することができる。
【０１４３】
また、絶縁体４５４、４５６は、酸素および水素をブロックする絶縁体であると好ましい。例えば、絶縁体４５２についての記載を参照することができる。
【０１４４】
なお、本実施の形態において、トランジスタ４９０、４９１または４９２は、一例として、チャネル形成領域などにおいて、酸化物半導体を用いることができるが、本発明の実施形態の一態様は、これに限定されない。例えば、トランジスタ４９０は、チャネル形成領域やその近傍、ソース領域、ドレイン領域などにおいて、場合によっては、または、状況に応じて、Ｓｉ（シリコン）、Ｇｅ（ゲルマニウム）、ＳｉＧｅ（シリコンゲルマニウム）、ＧａＡｓ（ガリウムヒ素）、などを有する材料で形成してもよい。
【０１４５】
例えば、本明細書等において、様々な基板を用いて、トランジスタ４９０、４９１または４９２などのトランジスタを形成することが出来る。基板の種類は、特定のものに限定されることはない。その基板の一例としては、半導体基板（例えば単結晶基板又はシリコン基板）、ＳＯＩ基板、ガラス基板、石英基板、プラスチック基板、金属基板、ステンレス・スチル基板、ステンレス・スチル・ホイルを有する基板、タングステン基板、タングステン・ホイルを有する基板、可撓性基板、貼り合わせフィルム、繊維状の材料を含む紙、又は基材フィルムなどがある。ガラス基板の一例としては、バリウムホウケイ酸ガラス、アルミノホウケイ酸ガラス、又はソーダライムガラスなどがある。可撓性基板、貼り合わせフィルム、基材フィルムなどの一例としては、以下のものがあげられる。例えば、ポリエチレンテレフタレート（ＰＥＴ）、ポリエチレンナフタレート（ＰＥＮ）、ポリエーテルサルフォン（ＰＥＳ）に代表されるプラスチックがある。または、一例としては、アクリル等の合成樹脂などがある。または、一例としては、ポリプロピレン、ポリエステル、ビニル、ポリフッ化ビニル、又は塩化ビニルなどがある。または、一例としては、ポリエステル、ポリアミド、ポリイミド、アラミド、エポキシ、無機蒸着フィルム、又は紙類などがある。特に、半導体基板、単結晶基板、又はＳＯＩ基板などを用いてトランジスタを製造することによって、特性、サイズ、又は形状などのばらつきが少なく、電流能力が高く、サイズの小さいトランジスタを製造することができる。このようなトランジスタによって回路を構成すると、回路の低消費電力化、又は回路の高集積化を図ることができる。
【０１４６】
また、基板として、可撓性基板を用い、可撓性基板上に直接、トランジスタを形成してもよい。または、基板とトランジスタの間に剥離層を設けてもよい。剥離層は、その上に半導体装置を一部あるいは全部完成させた後、基板より分離し、他の基板に転載するために用いることができる。その際、トランジスタは耐熱性の劣る基板や可撓性の基板にも転載できる。なお、上述の剥離層には、例えば、タングステン膜と酸化シリコン膜との無機膜の積層構造の構成や、基板上にポリイミド等の有機樹脂膜が形成された構成等を用いることができる。
【０１４７】
つまり、ある基板を用いてトランジスタを形成し、その後、別の基板にトランジスタを転置し、別の基板上にトランジスタを配置してもよい。トランジスタが転置される基板の一例としては、上述したトランジスタを形成することが可能な基板に加え、紙基板、セロファン基板、アラミドフィルム基板、ポリイミドフィルム基板、石材基板、木材基板、布基板（天然繊維（絹、綿、麻）、合成繊維（ナイロン、ポリウレタン、ポリエステル）若しくは再生繊維（アセテート、キュプラ、レーヨン、再生ポリエステル）などを含む）、皮革基板、又はゴム基板などがある。これらの基板を用いることにより、特性のよいトランジスタの形成、消費電力の小さいトランジスタの形成、壊れにくい装置の製造、耐熱性の付与、軽量化、又は薄型化を図ることができる。
【０１４８】
次いで、図１に示すメモリセル５００の動作を、図４乃至図８を用いて説明する。
【０１４９】
以下では、トランジスタ４９０、トランジスタ４９１、及びトランジスタ４９２はｎチャネル型トランジスタである場合について説明する。トランジスタ４９０はｐチャネル型トランジスタであっても構わない。また、トランジスタ４９１はｐチャネル型トランジスタであっても構わない。また、トランジスタ４９２はｐチャネル型トランジスタであっても構わない。
【０１５０】
図４および図５は、メモリセル５００の動作において用いられる各種電圧を説明する図である。ここでは、ＦＮ１にｋ１種類の状態（ｋ１は２以上の整数）、ＦＮ２にｋ２種類の状態（ｋ２は２以上の整数）を記憶させる場合を想定し、説明する。図４は、フローティングノードＦＮ１に着目した図であり、図４（Ａ）、（Ｂ）、（Ｃ）はそれぞれ、フローティングノードＦＮ１、書き込みワード線ＷＷ１、読み出しワード線ＲＷ１の電位を示す。同様に、図５は、フローティングノードＦＮ２に着目した図であり、図５（Ａ）、（Ｂ）、（Ｃ）はそれぞれ、フローティングノードＦＮ２、書き込みワード線ＷＷ２、読み出しワード線ＲＷ２の電位を示す。
【０１５１】
ここで、トランジスタ４９２の機能を改めて確認しておく。トランジスタ４９２において、第１ゲート電極と第２ゲート電極は、チャネル形成領域を挟んで上下に、かつ、ずらして配置される。第１ゲート電極の電位は、フローティングノードＦＮ１の電位であり、第２ゲート電極の電位は、フローティングノードＦＮ２の電位である。よって、トランジスタ４９２は、フローティングノードＦＮ１の電位およびフローティングノードＦＮ２の電位に従って、導通もしくは非導通となる。トランジスタ４９２には、第１ゲート電極に関わるしきい値電圧Ｖｔｈ１と、第２ゲート電極に関わるしきい値電圧Ｖｔｈ２が存在する。第１ゲート電極、もしくはフローティングノードＦＮ１の電位がＶｔｈ１より大きくなると、第１ゲート電極によって制御されるチャネル形成領域にはチャネルが形成される（または、キャリアが誘起される）。第２ゲート電極、もしくはフローティングノードＦＮ２の電位がＶｔｈ２より大きくなると、第２ゲート電極によって制御されるチャネル形成領域にはチャネルが形成される（または、キャリアが誘起される）。トランジスタ４９２は、第１ゲート電極の電位がＶｔｈ１より大きく、第２ゲート電極の電位がＶｔｈ２より大きい場合のみ、導通状態となる。
【０１５２】
トランジスタ４９２は、Ｖｔｈ１のしきい値電圧をもつトランジスタ（トランジスタ４９２＿１と呼ぶ）と、Ｖｔｈ２のしきい値電圧をもつトランジスタ（トランジスタ４９２＿２と呼ぶ）の２つのトランジスタが直列に接続された回路と等価な機能を有するということができる。トランジスタ４９２＿１は、第１ゲート電極の電位がＶｔｈ１より大きいと導通し、第１ゲート電極の電位がＶｔｈ１より小さいと非導通となる。トランジスタ４９２＿２は、第２ゲート電極の電位がＶｔｈ２より大きいと導通し、第２ゲート電極の電位がＶｔｈ２より小さいと非導通となる。トランジスタ４９２は、トランジスタ４９２＿１とトランジスタ４９２＿２が導通したときのみ、導通状態となる。
【０１５３】
図４において、状態Ｗｒｉｔｅ１は、トランジスタ４９１が導通状態であり、ビット線ＢＬの電位がフローティングノードＦＮ１に与えられている状態を示す。電位Ｖ１（ｉ）（ｉは１以上、ｋ１以下の整数）は、ＦＮ１に与えるｋ１種類の電位である。ここでは、Ｖ１（ｉ）＜Ｖ１（ｉ＋１）（（ｉは１以上、（ｋ１−１）以下の整数）とする。図４（Ａ）では、Ｖ１（１）以上、Ｖ１（ｋ１）以下の電位の領域をハッチングパターンで示している。ＷＷ１にＶＧ１＿Ｈを与え、ｋ１種類の状態に依らず、トランジスタ４９１を導通状態にする。ＶＧ１＿Ｈは、Ｖ１（ｋ１）よりも、Ｖｔｈ（４９１）以上大きいことが好ましい。つまり、ＶＧ１＿Ｈ＞Ｖ１（ｋ１）＋Ｖｔｈ（４９１）である。ここで、Ｖｔｈ（４９１）は、トランジスタ４９１のしきい値電圧である。これにより、最大電位であるＶ１（ｋ１）をＦＮ１に与える時にも、トランジスタ４９１を導通状態に保つことができる。電位ＶＣ１＿０は、書き込み時にＲＷ１に与える電位である。
【０１５４】
図４において、状態Ｓｔａｎｄｂｙ１は、フローティングノードＦＮ１の電位を保持している状態である。ＲＷ１には、ＶＣ１＿０を与える。ＷＷ１にＶＧ１＿０を与え、ｋ１種類の状態に依らず、トランジスタ４９１を非導通状態にする。ＶＧ１＿０は、ＦＮ１にＶ１（１）を書き込んだ状態においても、トランジスタ４９１を非導通状態とする電位、或いは、トランジスタ４９１のドレイン電流が十分に低くなる電位である。なお、書き込み直後のＦＮ１の電位は、トランジスタ４９１のゲートドレイン間容量（或はゲートソース間容量）によって、書き込み中のＦＮ１の電位から多少変動してもよい。
【０１５５】
図４において、状態Ｏｆｆ１は、ｋ１種類の状態に依らず、トランジスタ４９２＿１が非導通となる状態である。書き込み時や読み出し時の非選択のメモリセルにおいて用いる場合がある。ＲＷ１にＶＣ１＿Ｌを与え、ｋ１種類の状態に依らず、トランジスタ４９２＿１を非導通状態にする。ＶＣ１＿Ｌは、ＦＮ１の電位がＶ１Ｌ（ｋ１）であっても、トランジスタ４９２＿１が非導通状態となる電位である。つまり、Ｖ１Ｌ（ｋ１）＜Ｖｔｈ１である。ここで、Ｖ１（ｋ１）を書き込んだ状態において、ＲＷ１にＶＣ１＿Ｌを与えた時のＦＮ１の電位をＶ１Ｌ（ｋ１）とする。Ｖ１Ｌ（ｋ１）は、Ｖ１Ｌ（ｋ１）＝Ｖ１（ｋ１）＋Ｃｓ１／ＣＦＮ１×（ＶＣ１＿Ｌ−ＶＣ１＿０）と表される。ここで、ＣＦＮ１はＦＮ１が有する容量値の合計、Ｃｓ１は容量素子４９４の容量値である。よって、ＶＣ１＿Ｌは、ＶＣ１＿Ｌ＜ＶＣ１＿０＋ＣＦＮ１／Ｃｓ１×（Ｖｔｈ１−Ｖ１（ｋ１））を満たす電位である。なお、Ｖ１（ｋ１）の代わりに、状態Ｓｔａｎｂｙ１におけるＦＮ１の電位を用いてもよい。
【０１５６】
図４において、状態Ｒｅａｄ１（１）は、Ｖ１（ｋ１）を書き込んだ状態において、トランジスタ４９２＿１が導通し、Ｖ１（ｋ１−１）を書き込んだ状態において、トランジスタ４９２＿１が非導通となる状態である。言い換えると、Ｖ１（ｋ１）を書き込んだ状態以外の、（ｋ１−１）種類の電位を書き込んだ状態において、トランジスタ４９２＿１が非導通となる状態である。ＲＷ１に電位ＶＣ１（１）を与えることで、そのような状態となる。上述した計算と同様に、ＶＣ１（１）は、ＶＣ１＿０＋ＣＦＮ１／Ｃｓ１×（Ｖｔｈ１−Ｖ１（ｋ１））＜ＶＣ１（１）＜ＶＣ１＿０＋ＣＦＮ１／Ｃｓ１×（Ｖｔｈ１−Ｖ１（ｋ１−１））を満たす電位であると求まる。
【０１５７】
図４において、状態Ｒｅａｄ１（ｋ１−１）は、Ｖ１（２）を書き込んだ状態において、トランジスタ４９２＿１が導通し、Ｖ１（１）を書き込んだ状態において、トランジスタ４９２＿１が非導通となる状態である。言い換えると、Ｖ１（１）を書き込んだ状態以外の、（ｋ１−１）種類の電位を書き込んだ状態において、トランジスタ４９２＿１が導通となる状態である。ＲＷ１に電位ＶＣ１（ｋ１−１）を与えることで、そのような状態となる。上述した計算と同様に、ＶＣ１（１）は、ＶＣ１＿０＋ＣＦＮ１／Ｃｓ１×（Ｖｔｈ１−Ｖ１（２））＜ＶＣ１（ｋ１−１）＜ＶＣ１＿０＋ＣＦＮ１／Ｃｓ１×（Ｖｔｈ１−Ｖ１（１））を満たす電位であると求まる。
【０１５８】
図４において、状態Ｏｎ１は、ｋ１種類の状態に依らず、トランジスタ４９２＿１が導通する状態である。書き込み時や読み出し時の選択されたメモリセルにおいて用いる場合がある。ＲＷ１にＶＣ１＿Ｈを与え、ｋ１種類の状態に依らず、トランジスタ４９２＿１を導通状態にする。ＶＣ１＿Ｈは、ＦＮ１の電位がＶ１Ｈ（１）であっても、トランジスタ４９２＿１が導通状態となる電位である。つまり、Ｖ１Ｈ（１）＞Ｖｔｈ１である。ここで、Ｖ１（１）を書き込んだ状態において、ＲＷ１にＶＣ１＿Ｈを与えた時のＦＮ１の電位をＶ１Ｈ（１）とする。Ｖ１Ｈ（１）は、Ｖ１Ｈ（１）＝Ｖ１（１）＋Ｃｓ１／ＣＦＮ１×（ＶＣ１＿Ｈ−ＶＣ１＿０）と表される。よって、ＶＣ１＿Ｈは、ＶＣ１＿Ｈ＞ＶＣ１＿０＋ＣＦＮ１／Ｃｓ１×（Ｖｔｈ１−Ｖ１（１））を満たす電位である。なお、Ｖ１（１）の代わりに、状態Ｓｔａｎｂｙ１におけるＦＮ１の電位を用いてもよい。
【０１５９】
なお、上述した説明において、フローティングノードＦＮ２、書き込みワード線ＷＷ２、読み出しワード線ＲＷ２の電位を指定しなかったが、これらの電位に特に制限はない。フローティングノードＦＮ２、書き込みワード線ＷＷ２、及び読み出しワード線ＲＷ２の電位が、フローティングノードＦＮ１に与える影響は小さいためである。
【０１６０】
図４において説明したのと同様に、図５を用いて、Ｗｒｉｔｅ２、Ｓｔａｎｄｂｙ２、Ｏｆｆ２、Ｒｅａｄ２（１）、Ｒｅａｄ２（ｋ２−１）、Ｏｎ２の状態が定義される。また、電位Ｖ２（ｉ）（ｉは１以上、ｋ２以下の整数）、ＶＧ２＿Ｈ、ＶＣ２＿０、ＶＧ２＿０、ＶＣ２＿Ｌ、ＶＣ２（１）、ＶＣ２（ｋ２−１）、ＶＣ２＿Ｈが定義される。なお、Ｖ２（ｉ）＜Ｖ２（ｉ＋１）（ｉは１以上、（ｋ２−１）以下の整数）とする。また、トランジスタ４９２のしきい値電圧をＶｔｈ（４９２）、ＦＮ２が有する容量値の合計をＣＦＮ２、容量素子４９３の容量値をＣｓ２とする。
【０１６１】
図６は、メモリセルの動作を説明するために、メモリセルアレイの一部を抜粋した図である。図６には、メモリセルアレイの（ｎ−１）番目のビット線ＢＬ［ｎ−１］またはｎ番目のビット線ＢＬ［ｎ］に接続され、かつ、（ｍ−１）番目のワード線ＷＬ［ｍ−１］またはｍ番目のワード線ＷＬ［ｍ］に接続される、４個のメモリセルを示す。なお、ソース線ＳＬはすべてのメモリセルで共通としても良い。
【０１６２】
図７は、図６に示したメモリセルアレイへの書き込み動作の一例を説明するタイミングチャートである。ＦＮ１、ＦＮ２には、それぞれ４種類の電位Ｖ１、Ｖ２、Ｖ３、Ｖ４（Ｖ１＜Ｖ２＜Ｖ３＜Ｖ４とする）を書き込む場合を示す。メモリセルは１６値の多値を実現している。
【０１６３】
図７に示すタイミングチャート図は、（ｍ−１）番目のワード線ＷＬ［ｍ−１］に接続されるメモリセルへデータの書き込みを行う期間ｐ１１乃至ｐ１８におけるタイミングチャートと、ｍ番目のワード線ＷＬ［ｍ］に接続されるメモリセルへデータの書き込みを行う期間ｐ２１乃至ｐ２８におけるタイミングチャートと、からなる。ソース線ＳＬには一定の電位ＶＳ０が与えられる。
【０１６４】
図７に示す期間ｐ１１では、書き込みワード線ＷＷ１［ｍ−１］にＶＧ１＿Ｈを与え、読み出しワード線ＲＷ１［ｍ−１］にＶＣ１＿０を与えることで、選択されたメモリセルのＦＮ１に書き込みを行う状態とする（状態Ｗｒｉｔｅ１）。書き込みワード線ＷＷ２［ｍ−１］にＶＧ２＿Ｌを与え、読み出しワード線ＲＷ２［ｍ−１］にＶＣ２＿Ｌを与えることで、選択されたメモリセルのトランジスタ４９２＿２を非導通状態とする（状態Ｏｆｆ２）。このとき選択されたメモリセルのトランジスタ４９２は非導通状態となる。書き込みワード線ＷＷ１［ｍ］にＶＧ１＿Ｌを与え、読み出しワード線ＲＷ１［ｍ］にＶＣ１＿Ｌを与えることで、非選択メモリセルのトランジスタ４９２＿１を非導通状態とする（状態Ｏｆｆ１）。書き込みワード線ＷＷ２［ｍ］にＶＧ２＿Ｌを与え、読み出しワード線ＲＷ２［ｍ］にＶＣ２＿Ｌを与えることで、非選択メモリセルのトランジスタ４９２＿２を非導通状態とする（状態Ｏｆｆ２）。このとき非選択メモリセルのトランジスタ４９２は非導通状態となる。ビット線ＢＬ［ｎ−１］及びＢＬ［ｎ］に電位ＶＢ０を与える。電位ＶＢ０は待機時のビット線電位としても良い。
【０１６５】
図７に示す期間ｐ１２では、ビット線ＢＬ［ｎ−１］に電位Ｖ４を与え、ＢＬ［ｎ］に電位Ｖ１を与える。なお、他の配線は、前の期間の電位を保持する。その結果、ビット線ＢＬ［ｎ−１］に接続される選択されたメモリセルのＦＮ１には、Ｖ４が与えられ、ビット線ＢＬ［ｎ］に接続される選択されたメモリセルのＦＮ１には、Ｖ１が与えられる。
【０１６６】
図７に示す期間ｐ１３では、書き込みワード線ＷＷ１［ｍ−１］にＶＧ１＿Ｌを与える。なお、他の配線は、前の期間の電位を保持する。その結果、書き込みワード線ＷＷ１［ｍ−１］に接続される選択されたメモリセルのトランジスタ４９１は非導通状態となり、フローティングノードＦＮ１に蓄積された電荷は保持される。つまり、書き込み状態が終了する。書き込み終了時に、読み出しワード線ＲＷ１［ｍ−１］、ビット線ＢＬ［ｎ−１］、ＢＬ［ｎ］の電位を保持することで、確実に書き込みを行うことができる。書き込みワード線ＷＷ１［ｍ−１］の電位変動と同時に、これらの電位が変動すると、書き込んだ状態に影響を及ぼす可能性がある。
【０１６７】
図７に示す期間ｐ１４では、読み出しワード線ＲＷ１［ｍ−１］にＶＣ１＿Ｌを与える。ビット線ＢＬ［ｎ−１］及びＢＬ［ｎ］に電位ＶＢ０を与える。なお、他の配線は、前の期間の電位を保持する。その結果、全てのメモリセルにおいて、トランジスタ４９２＿１は状態Ｏｆｆ１に、４９２＿２は状態Ｏｆｆ２となり、非選択状態となる。
【０１６８】
図７に示す期間ｐ１５では、書き込みワード線ＷＷ１［ｍ−１］にＶＧ１＿Ｌを与え、読み出しワード線ＲＷ１［ｍ−１］にＶＣ１＿Ｌを与えることで、選択されたメモリセルのトランジスタ４９２＿１を非導通状態とする（状態Ｏｆｆ１）。書き込みワード線ＷＷ２［ｍ−１］にＶＧ２＿Ｈを与え、読み出しワード線ＲＷ２［ｍ−１］にＶＣ２＿０を与えることで、選択されたメモリセルのＦＮ２に書き込みを行う状態とする（状態Ｗｒｉｔｅ２）。このとき選択されたメモリセルのトランジスタ４９２は非導通状態となる。書き込みワード線ＷＷ１［ｍ］にＶＧ１＿Ｌを与え、読み出しワード線ＲＷ１［ｍ］にＶＣ１＿Ｌを与えることで、非選択メモリセルのトランジスタ４９２＿１を非導通状態とする（状態Ｏｆｆ１）。書き込みワード線ＷＷ２［ｍ］にＶＧ２＿Ｌを与え、読み出しワード線ＲＷ２［ｍ］にＶＣ２＿Ｌを与えることで、非選択メモリセルのトランジスタ４９２＿２を非導通状態とする（状態Ｏｆｆ２）。このとき非選択メモリセルのトランジスタ４９２は非導通状態となる。ビット線ＢＬ［ｎ−１］及びＢＬ［ｎ］に電位ＶＢ０を与える。
【０１６９】
図７に示す期間ｐ１６では、ビット線ＢＬ［ｎ−１］に電位Ｖ３を与え、ＢＬ［ｎ］に電位Ｖ２を与える。なお、他の配線は、前の期間の電位を保持する。その結果、ビット線ＢＬ［ｎ−１］に接続される選択されたメモリセルのＦＮ２には、Ｖ３が与えられ、ビット線ＢＬ［ｎ］に接続される選択されたメモリセルのＦＮ１には、Ｖ２が与えられる。
【０１７０】
図７に示す期間ｐ１７では、書き込みワード線ＷＷ２［ｍ−１］にＶＧ２＿Ｌを与える。なお、他の配線は、前の期間の電位を保持する。その結果、書き込みワード線ＷＷ２［ｍ−１］に接続される選択されたメモリセルのトランジスタ４９０は非導通状態となり、フローティングノードＦＮ２に蓄積された電荷は保持される。つまり、書き込み状態が終了する。書き込み終了時に、読み出しワード線ＲＷ２［ｍ−１］、ビット線ＢＬ［ｎ−１］、ＢＬ［ｎ］の電位を保持することで、確実に書き込みを行うことができる。書き込みワード線ＷＷ２［ｍ−１］の電位変動と同時に、これらの電位が変動すると、書き込んだ状態に影響を及ぼす可能性がある。
【０１７１】
図７に示す期間ｐ１８では、読み出しワード線ＲＷ２［ｍ−１］にＶＣ２＿Ｌを与える。ビット線ＢＬ［ｎ−１］及びＢＬ［ｎ］に電位ＶＢ０を与える。なお、他の配線は、前の期間の電位を保持する。その結果、全てのメモリセルにおいて、トランジスタ４９２＿１は状態Ｏｆｆ１に、４９２＿２は状態Ｏｆｆ２となり、非選択状態となる。
【０１７２】
図７に示す期間ｐ２１では、書き込みワード線ＷＷ１［ｍ］にＶＧ１＿Ｈを与え、読み出しワード線ＲＷ１［ｍ］にＶＣ１＿０を与えることで、選択されたメモリセルのＦＮ１に書き込みを行う状態とする（状態Ｗｒｉｔｅ１）。書き込みワード線ＷＷ２［ｍ］にＶＧ２＿Ｌを与え、読み出しワード線ＲＷ２［ｍ］にＶＣ２＿Ｌを与えることで、選択されたメモリセルのトランジスタ４９２＿２を非導通状態とする（状態Ｏｆｆ２）。このとき選択されたメモリセルのトランジスタ４９２は非導通状態となる。書き込みワード線ＷＷ１［ｍ−１］にＶＧ１＿Ｌを与え、読み出しワード線ＲＷ１［ｍ−１］にＶＣ１＿Ｌを与えることで、非選択メモリセルのトランジスタ４９２を非導通状態とする（状態Ｏｆｆ１）。書き込みワード線ＷＷ２［ｍ−１］にＶＧ２＿Ｌを与え、読み出しワード線ＲＷ２［ｍ−１］にＶＣ２＿Ｌを与えることで、非選択メモリセルのトランジスタ４９２を非導通状態とする（状態Ｏｆｆ２）。このとき非選択メモリセルのトランジスタ４９２は非導通状態となる。ビット線ＢＬ［ｎ−１］及びＢＬ［ｎ］に電位ＶＢ０を与える。
【０１７３】
図７に示す期間ｐ２２では、ビット線ＢＬ［ｎ−１］に電位Ｖ２を与え、ＢＬ［ｎ］に電位Ｖ３を与える。なお、他の配線は、前の期間の電位を保持する。その結果、ビット線ＢＬ［ｎ−１］に接続される選択されたメモリセルのＦＮ１には、Ｖ２が与えられ、ビット線ＢＬ［ｎ］に接続される選択されたメモリセルのＦＮ１には、Ｖ３が与えられる。
【０１７４】
図７に示す期間ｐ２３では、書き込みワード線ＷＷ１［ｍ］にＶＧ１＿Ｌを与える。なお、他の配線は、前の期間の電位を保持する。その結果、書き込みワード線ＷＷ１［ｍ］に接続される選択されたメモリセルのトランジスタ４９１は非導通状態となり、フローティングノードＦＮ１に蓄積された電荷は保持される。つまり、書き込み状態が終了する。書き込み終了時に、読み出しワード線ＲＷ１［ｍ］、ビット線ＢＬ［ｎ−１］、ＢＬ［ｎ］の電位を保持することで、確実に書き込みを行うことができる。書き込みワード線ＷＷ１［ｍ］の電位変動と同時に、これらの電位が変動すると、書き込んだ状態に影響を及ぼす可能性がある。
【０１７５】
図７に示す期間ｐ２４では、読み出しワード線ＲＷ１［ｍ］にＶＣ１＿Ｌを与える。ビット線ＢＬ［ｎ−１］及びＢＬ［ｎ］に電位ＶＢ０を与える。なお、他の配線は、前の期間の電位を保持する。その結果、全てのメモリセルにおいて、トランジスタ４９２＿１は状態Ｏｆｆ１に、４９２＿２は状態Ｏｆｆ２となり、非選択状態となる。
【０１７６】
図７に示す期間ｐ２５では、書き込みワード線ＷＷ１［ｍ］にＶＧ１＿Ｌを与え、読み出しワード線ＲＷ１［ｍ］にＶＣ１＿Ｌを与えることで、選択されたメモリセルのトランジスタ４９２＿１を非導通状態とする（状態Ｏｆｆ１）。書き込みワード線ＷＷ２［ｍ］にＶＧ２＿Ｈを与え、読み出しワード線ＲＷ２［ｍ］にＶＣ２＿０を与えることで、選択されたメモリセルのＦＮ２に書き込みを行う状態とする（状態Ｗｒｉｔｅ２）。このとき選択されたメモリセルのトランジスタ４９２は非導通状態となる。書き込みワード線ＷＷ１［ｍ−１］にＶＧ１＿Ｌを与え、読み出しワード線ＲＷ１［ｍ−１］にＶＣ１＿Ｌを与えることで、非選択メモリセルのトランジスタ４９２＿１を非導通状態とする（状態Ｏｆｆ１）。書き込みワード線ＷＷ２［ｍ−１］にＶＧ２＿Ｌを与え、読み出しワード線ＲＷ２［ｍ−１］にＶＣ２＿Ｌを与えることで、非選択メモリセルのトランジスタ４９２＿２を非導通状態とする（状態Ｏｆｆ２）。このとき非選択メモリセルのトランジスタ４９２は非導通状態となる。ビット線ＢＬ［ｎ−１］及びＢＬ［ｎ］に電位ＶＢ０を与える。
【０１７７】
図７に示す期間ｐ２６では、ビット線ＢＬ［ｎ−１］に電位Ｖ１を与え、ＢＬ［ｎ］に電位Ｖ４を与える。なお、他の配線は、前の期間の電位を保持する。その結果、ビット線ＢＬ［ｎ−１］に接続される選択されたメモリセルのＦＮ２には、Ｖ１が与えられ、ビット線ＢＬ［ｎ］に接続される選択されたメモリセルのＦＮ１には、Ｖ４が与えられる。
【０１７８】
図７に示す期間ｐ２７では、書き込みワード線ＷＷ２［ｍ］にＶＧ２＿Ｌを与える。なお、他の配線は、前の期間の電位を保持する。その結果、書き込みワード線ＷＷ２［ｍ］に接続される選択されたメモリセルのトランジスタ４９０は非導通状態となり、フローティングノードＦＮ２に蓄積された電荷は保持される。つまり、書き込み状態が終了する。書き込み終了時に、読み出しワード線ＲＷ２［ｍ］、ビット線ＢＬ［ｎ−１］、ＢＬ［ｎ］の電位を保持することで、確実に書き込みを行うことができる。書き込みワード線ＷＷ２［ｍ］の電位変動と同時に、これらの電位が変動すると、書き込んだ状態に影響を及ぼす可能性がある。
【０１７９】
図７に示す期間ｐ２８では、読み出しワード線ＲＷ２［ｍ］にＶＣ２＿Ｌを与える。ビット線ＢＬ［ｎ−１］及びＢＬ［ｎ］に電位ＶＢ０を与える。なお、他の配線は、前の期間の電位を保持する。その結果、全てのメモリセルにおいて、トランジスタ４９２＿１は状態Ｏｆｆ１に、４９２＿２は状態Ｏｆｆ２となり、非選択状態となる。
【０１８０】
以上、期間ｐ１１乃至ｐ１８、およびｐ２１乃至ｐ２８で説明したデータの書き込みにより、図６に示すメモリセルアレイに所定の状態が書き込まれる。なお、書き込み動作期間では、選択されたメモリセルのトランジスタ４９２は非導通状態であり、非選択メモリセルのトランジスタ４９２も非導通状態である。したがって、ソース線ＳＬに与えられた電位と、ビット線ＢＬに与えられた電位が異なっていても、導通状態のトランジスタ４９２によって電流が流れるということはない。
【０１８１】
図８は、図６に示したメモリセルアレイへの読み出し動作の一例を説明するタイミングチャートである。ＦＮ１、ＦＮ２から、それぞれ４種類の電位を読み出す場合を示す。メモリセルは１６値の多値を実現している。
【０１８２】
図８に示すタイミングチャート図は、（ｍ−１）番目のワード線ＷＬ［ｍ−１］に接続されるメモリセルのＦＮ１に保持されたデータを読み出す期間ｐ３１乃至ｐ３９と、ＦＮ２に保持されたデータを読み出す期間ｐ４１乃至ｐ４９におけるタイミングチャートと、からなる。ソース線ＳＬには一定の電位ＶＳ０が与えられる。また、ｍ番目のワード線ＷＬ［ｍ］に接続されるメモリセルからの読み出しは行わないので、読み出し期間を通して、ＷＷ１［ｍ］にはＶＧ１＿Ｌが、ＷＷ２［ｍ］にはＶＧ２＿Ｌが与えられる。また、ＲＷ１［ｍ］にはＶＣ１＿Ｌが、ＲＷ２［ｍ］にはＶＣ２＿Ｌが与えられる。また、読み出しでは、トランジスタ４９０および４９１を常に非導通状態とするため、読み出し期間を通して、ＷＷ１［ｍ−１］にはＶＧ１＿Ｌが、ＷＷ２［ｍ−１］にはＶＧ２＿Ｌが与えられる。従って、以下では、ＲＷ１［ｍ−１］、ＲＷ２［ｍ−１］、ＢＬ［ｎ−１］、ＢＬ［ｎ］に与えられる電位について、主に説明する。
【０１８３】
図８に示す期間ｐ３１では、読み出しワード線ＲＷ１［ｍ−１］にＶＣ１＿Ｌを与えることで、選択されたメモリセルのトランジスタ４９２＿１を非導通状態とする（状態Ｏｆｆ１）。読み出しワード線ＲＷ２［ｍ−１］にＶＣ２＿Ｈを与えることで、選択されたメモリセルのトランジスタ４９２＿２を導通状態とする（状態Ｏｎ２）。この時点では、選択されたメモリセルのトランジスタ４９２は非導通状態である。ビット線ＢＬ［ｎ−１］及びＢＬ［ｎ］に、電位Ｖｐｒｅｃｈａｒｇｅを与える。期間ｐ３１は、プリチャージ期間である。電位Ｖｐｒｅｃｈａｒｇｅは、プリチャージ電位である。期間ｐ３１の終了時に、ビット線ＢＬ［ｎ−１］及びＢＬ［ｎ］はフローティング状態となる。
【０１８４】
図８に示す期間ｐ３２では、読み出しワード線ＲＷ１［ｍ−１］にＶＣ１（１）を与えることで、選択されたメモリセルのＦＮ１にＶ４を書き込んだ状態において、トランジスタ４９２＿１が導通し、それ以外の状態において、トランジスタ４９２＿１が非導通となる状態とする（状態Ｒｅａｄ１（１））。なお、読み出しワード線ＲＷ２［ｍ−１］には、ＶＣ２＿Ｈが与えられているため、選択されたメモリセルのトランジスタ４９２＿２は導通状態のままである。従って、選択されたメモリセルのトランジスタ４９２を導通状態は、ＦＮ１が保持する状態によって決まる。ビット線ＢＬ［ｎ−１］に接続される選択メモリセルのＦＮ１には、電位Ｖ４が書き込まれているので、トランジスタ４９２は導通状態となる。その結果、フローティング状態となっているビット線ＢＬ［ｎ−１］は、導通状態のトランジスタ４９２を介してソース線ＳＬと電気的に接続される。そして、ビット線ＢＬ［ｎ−１］に蓄積された電荷が充電もしくは放電され、ビット線ＢＬ［ｎ−１］の電位はＶｐｒｅｃｈａｒｇｅからＶＳ０に変化する。一方、ビット線ＢＬ［ｎ］に接続される選択メモリセルのＦＮ１には、電位Ｖ１が書き込まれているので、トランジスタ４９２は非導通状態となる。その結果、フローティング状態となっているビット線ＢＬ［ｎ］の電位は保持される。
【０１８５】
図８に示す期間ｐ３３では、読み出しワード線ＲＷ１［ｍ−１］にＶＣ１＿Ｌを与えることで、選択されたメモリセルのトランジスタ４９２＿１を非導通状態とする（状態Ｏｆｆ１）。従って、選択されたメモリセルのトランジスタ４９２は非導通状態となる。その結果、ビット線ＢＬ［ｎ−１］とビット線ＢＬ［ｎ］では、直前の期間の電位が保持される。期間ｐ３２もしくは期間ｐ３３において、ビット線ＢＬ［ｎ−１］とビット線ＢＬ［ｎ］の電位を読み出し回路で検知することで、読み出しを行うことができる。
【０１８６】
図８に示す期間ｐ３４乃至ｐ３６は、期間ｐ３１乃至期間ｐ３３と同様な動作を行う。ただし、読み出しワード線ＲＷ１［ｍ−１］にＶＣ１（１）の代わりにＶＣ１（２）を与える。読み出しワード線ＲＷ１［ｍ−１］にＶＣ１（２）を与えると、選択されたメモリセルのＦＮ１にＶ３もしくはＶ４を書き込んだ状態において、トランジスタ４９２＿１が導通し、それ以外の状態において、トランジスタ４９２＿１が非導通となる。ビット線ＢＬ［ｎ−１］に接続される選択メモリセルのＦＮ１には、電位Ｖ４が書き込まれているので、トランジスタ４９２は導通状態となる。ビット線ＢＬ［ｎ］に接続される選択メモリセルのＦＮ１には、電位Ｖ１が書き込まれているので、トランジスタ４９２は非導通状態となる。その結果、期間ｐ３５において、ビット線ＢＬ［ｎ−１］の電位はＶｐｒｅｃｈａｒｇｅからＶＳ０に変化する。ビット線ＢＬ［ｎ］の電位は保持される。
【０１８７】
図８に示す期間ｐ３７乃至ｐ３９は、期間ｐ３１乃至期間ｐ３３と同様な動作を行う。ただし、読み出しワード線ＲＷ１［ｍ−１］にＶＣ１（１）の代わりにＶＣ１（３）を与える。読み出しワード線ＲＷ１［ｍ−１］にＶＣ１（３）を与えると、選択されたメモリセルのＦＮ１にＶ２、Ｖ３もしくはＶ４を書き込んだ状態において、トランジスタ４９２＿１が導通し、それ以外の状態において、トランジスタ４９２＿１が非導通となる。ビット線ＢＬ［ｎ−１］に接続される選択メモリセルのＦＮ１には、電位Ｖ４が書き込まれているので、トランジスタ４９２は導通状態となる。ビット線ＢＬ［ｎ］に接続される選択メモリセルのＦＮ１には、電位Ｖ１が書き込まれているので、トランジスタ４９２は非導通状態となる。その結果、期間ｐ３８において、ビット線ＢＬ［ｎ−１］の電位はＶｐｒｅｃｈａｒｇｅからＶＳ０に変化する。ビット線ＢＬ［ｎ］の電位は保持される。
【０１８８】
図８に示す期間ｐ４１では、読み出しワード線ＲＷ１［ｍ−１］にＶＣ１＿Ｈを与えることで、選択されたメモリセルのトランジスタ４９２＿１を導通状態とする（状態Ｏｎ１）。読み出しワード線ＲＷ２［ｍ−１］にＶＣ２＿Ｌを与えることで、選択されたメモリセルのトランジスタ４９２＿２を非導通状態とする（状態Ｏｆｆ２）。この時点では、選択されたメモリセルのトランジスタ４９２は非導通状態である。ビット線ＢＬ［ｎ−１］及びＢＬ［ｎ］に、電位Ｖｐｒｅｃｈａｒｇｅを与える。期間ｐ３１は、プリチャージ期間である。電位Ｖｐｒｅｃｈａｒｇｅは、プリチャージ電位である。期間ｐ４１の終了時に、ビット線ＢＬ［ｎ−１］及びＢＬ［ｎ］はフローティング状態となる。
【０１８９】
図８に示す期間ｐ４２では、読み出しワード線ＲＷ２［ｍ−１］にＶＣ２（１）を与えることで、選択されたメモリセルのＦＮ２にＶ４を書き込んだ状態において、トランジスタ４９２＿２が導通し、それ以外の状態において、トランジスタ４９２＿２が非導通となる状態とする（状態Ｒｅａｄ２（１））。なお、読み出しワード線ＲＷ１［ｍ−１］には、ＶＣ１＿Ｈが与えられているため、選択されたメモリセルのトランジスタ４９２＿１は導通状態のままである。従って、選択されたメモリセルのトランジスタ４９２を導通状態は、ＦＮ２が保持する状態によって決まる。ビット線ＢＬ［ｎ−１］に接続される選択メモリセルのＦＮ２には、電位Ｖ３が書き込まれているので、トランジスタ４９２は非導通状態となる。その結果、フローティング状態となっているビット線ＢＬ［ｎ−１］の電位は保持される。一方、ビット線ＢＬ［ｎ］に接続される選択メモリセルのＦＮ２には、電位Ｖ２が書き込まれているので、トランジスタ４９２は非導通状態となる。その結果、フローティング状態となっているビット線ＢＬ［ｎ］の電位は保持される。
【０１９０】
図８に示す期間ｐ４３では、読み出しワード線ＲＷ２［ｍ−１］にＶＣ２＿Ｌを与えることで、選択されたメモリセルのトランジスタ４９２＿２を非導通状態とする（状態Ｏｆｆ２）。従って、選択されたメモリセルのトランジスタ４９２は非導通状態となる。その結果、ビット線ＢＬ［ｎ−１］とビット線ＢＬ［ｎ］では、直前の期間の電位が保持される。期間ｐ４２もしくは期間ｐ４３において、ビット線ＢＬ［ｎ−１］とビット線ＢＬ［ｎ］の電位を読み出し回路で検知することで、読み出しを行うことができる。
【０１９１】
図８に示す期間ｐ４４乃至ｐ４６は、期間ｐ４１乃至期間ｐ４３と同様な動作を行う。ただし、読み出しワード線ＲＷ２［ｍ−１］にＶＣ２（１）の代わりにＶＣ２（２）を与える。読み出しワード線ＲＷ２［ｍ−１］にＶＣ２（２）を与えると、選択されたメモリセルのＦＮ２にＶ３もしくはＶ４を書き込んだ状態において、トランジスタ４９２＿２が導通し、それ以外の状態において、トランジスタ４９２＿２が非導通となる。ビット線ＢＬ［ｎ−１］に接続される選択メモリセルのＦＮ２には、電位Ｖ３が書き込まれているので、トランジスタ４９２は導通状態となる。ビット線ＢＬ［ｎ］に接続される選択メモリセルのＦＮ２には、電位Ｖ２が書き込まれているので、トランジスタ４９２は非導通状態となる。その結果、期間ｐ４５において、ビット線ＢＬ［ｎ−１］の電位はＶｐｒｅｃｈａｒｇｅからＶＳ０に変化する。ビット線ＢＬ［ｎ］の電位は保持される。
【０１９２】
図８に示す期間ｐ４７乃至ｐ４９は、期間ｐ４１乃至期間ｐ４３と同様な動作を行う。ただし、読み出しワード線ＲＷ２［ｍ−１］にＶＣ２（１）の代わりにＶＣ２（３）を与える。読み出しワード線ＲＷ２［ｍ−１］にＶＣ２（３）を与えると、選択されたメモリセルのＦＮ２にＶ２、Ｖ３もしくはＶ４を書き込んだ状態において、トランジスタ４９２＿２が導通し、それ以外の状態において、トランジスタ４９２＿２が非導通となる。ビット線ＢＬ［ｎ−１］に接続される選択メモリセルのＦＮ２には、電位Ｖ３が書き込まれているので、トランジスタ４９２は導通状態となる。ビット線ＢＬ［ｎ］に接続される選択メモリセルのＦＮ２には、電位Ｖ２が書き込まれているので、トランジスタ４９２は導通状態となる。その結果、期間ｐ４８において、ビット線ＢＬ［ｎ−１］の電位はＶｐｒｅｃｈａｒｇｅからＶＳ０に変化する。ビット線ＢＬ［ｎ］の電位はＶｐｒｅｃｈａｒｇｅからＶＳ０に変化する。
【０１９３】
以上、期間ｐ３１乃至ｐ３９、およびｐ４１乃至ｐ４９で説明したデータの読み出しにより、図６に示すメモリセルアレイに格納されたデータが読み出される。読み出し回路において、ビット線電位がＶｒｅｆより高い場合を”１”、低い場合を”０”とすると、図８に示したタイミングチャートの結果、ビット線ＢＬ［ｎ−１］に接続される読み出し回路は、”０”  、”０”  、”０”  、”１”  、”０”  、”０”を読み出す。前半の３つの値は、選択されたメモリセルのＦＮ１にＶ４が書き込まれていることを表し、後半の３つの値は、選択されたメモリセルのＦＮ２にＶ３が書き込まれていることを表す。ビット線ＢＬ［ｎ］に接続される読み出し回路は、”１”  、”１”  、”１”  、”１”  、”１”  、”０”を読み出す。前半の３つの値は、選択されたメモリセルのＦＮ１にＶ１が書き込まれていることを表し、後半の３つの値は、選択されたメモリセルのＦＮ２にＶ２が書き込まれていることを表す。
【０１９４】
このように、図６に示したメモリセルアレイにおいて、ＦＮ１、ＦＮ２に、それぞれ４種類の電位Ｖ１、Ｖ２、Ｖ３、Ｖ４（Ｖ１＜Ｖ２＜Ｖ３＜Ｖ４とする）を書き込み、読み出すことが可能である。ＦＮ１とＦＮ２に書き込む状態は独立であるから、メモリセルは１６値の多値を実現している。なお、ＦＮ１、ＦＮ２に、それぞれ４種類の電位を書き込む例を示したが、本発明はこれに限らず、さまざまな多値を実現することができる。
【０１９５】
上述した半導体装置（メモリセル）によって、面積を縮小したメモリセルを実現できる。その結果、記憶密度を向上した半導体装置や、記憶容量を向上した半導体装置を提供することができる。
【０１９６】
（実施の形態２）
本発明の一態様に係る半導体装置の構成の一例について、図９を用いながら説明する。
【０１９７】
図９に半導体装置の構成の一例を示す。図９に示す半導体装置６００は、記憶装置として機能することが可能な半導体装置の一例である。半導体装置６００は、メモリセルアレイ６１０、ローデコーダ６２１、ワード線ドライバ回路６２２、ビット線ドライバ回路６３０、出力回路６４０、コントロールロジック回路６６０、電源回路６７０を有する。
【０１９８】
メモリセルアレイ６１０は、上述したメモリセルを有する。ビット線ドライバ回路６３０は、カラムデコーダ６３１、プリチャージ回路６３２、読み出し回路６３３、および書き込み回路６３４を有する。プリチャージ回路６３２は、ビット線をプリチャージする機能を有する。読み出し回路６３３は、ビット線の電位を検知し、メモリセルからデータを読み出す機能を有する。読み出された信号は、出力回路６４０を介して、デジタルのデータ信号ＲＤＡＴＡとして半導体装置６００の外部に出力される。
【０１９９】
また、半導体装置６００には、外部から電源電圧として低電源電圧（ＶＳＳ）、高電源電圧（ＶＤＤ）等が供給される。
【０２００】
また、半導体装置６００には、制御信号（ＣＥ、ＷＥ、ＲＥ）、アドレス信号ＡＤＤＲ、データ信号ＷＤＡＴＡ等が外部から入力される。ＡＤＤＲは、ローデコーダ６２１およびカラムデコーダ６３１に入力され、ＷＤＡＴＡは書き込み回路６３４に入力される。
【０２０１】
コントロールロジック回路６６０は、外部からの入力信号（ＣＥ、ＷＥ、ＲＥ）を処理して、ローデコーダ６２１、カラムデコーダ６３１、電源回路６７０の制御信号等を生成する。ＣＥは、チップイネーブル信号であり、ＷＥは、書き込みイネーブル信号であり、ＲＥは、読み出しイネーブル信号である。コントロールロジック回路６６０が処理する信号は、これに限定されるものではなく、必要に応じて、他の制御信号を入力すればよい。
【０２０２】
読み出し回路６３３は、センスアンプを有し、電位Ｖｒｅｆとビット線電位とを比較してもよい。また、データ変換を行う論理回路を有し、読み出したデータを、出力するフォーマットに変換しても良い。書き込み回路６３４は、データ変換を行う論理回路を有し、入力されたデータＷＤＡＴＡを、書き込みを行うフォーマットに変換しても良い。
【０２０３】
電源回路６７０は、ＶＤＤ、ＶＳＳあるいは他の高電源電圧を入力して、読み出し動作、書き込み動作に必要な電位を生成し、出力する。
例えば、上述した１６値のメモリセルへの書き込みおよび読み出しを行う場合、Ｖ１、Ｖ２、Ｖ３、Ｖ４、ＶＧ１＿Ｈ、ＶＧ１＿Ｌ、ＶＧ２＿Ｈ、ＶＧ２＿Ｌ、ＶＣ１＿Ｈ、ＶＣ１＿Ｌ、ＶＣ２＿Ｈ、ＶＣ２＿Ｌ、ＶＣ１（１）、ＶＣ１（２）、ＶＣ１（３）、ＶＣ２（１）、ＶＣ２（２）、ＶＣ２（３）等を生成しても良い。
【０２０４】
なお、上述の各回路あるいは各信号は、必要に応じて、適宜、取捨することができる。
【０２０５】
半導体装置６００は、上述したメモリセルを有することで、面積を縮小したメモリセルを有する半導体装置、記憶密度を向上した半導体装置、記憶容量を向上した半導体装置、或いは小型の半導体装置を提供することができる。
【０２０６】
なお、メモリセルアレイ６１０以外の回路は、ｎチャネル型Ｓｉトランジスタとｐチャネル型Ｓｉトランジスタを有していても良い。酸化物半導体を用いたトランジスタを用いない領域は、メモリセルアレイ６１０の下側に積層して配置することができる。その結果、より小さい記憶装置を作製できる。
【０２０７】
また、メモリセルアレイ６１０以外の回路は、酸化物半導体を用いたトランジスタとｐチャネル型Ｓｉトランジスタを有していても良い。上述した酸化物半導体を用いたトランジスタは低いオフ電流と高いオン電流を有するため、ｐチャネル型Ｓｉトランジスタと組み合わせてＣＭＯＳ回路を構成しても、低いリーク電流と高速動作を両立することができる。特に、全てのｎチャネル型トランジスタを酸化物半導体を用いたトランジスタとすることで、ｎチャネル型Ｓｉトランジスタを作製する必要がなく、工程が簡略化され、歩留まりの向上とプロセスコストの低減が可能となる。
【０２０８】
なお、本実施の形態は、本明細書で示す他の実施の形態と適宜組み合わせることができる。
【０２０９】
（実施の形態３）
トランジスタ４９０、４９１、或いは４９２は、様々な構造をとりうる。本実施の形態では、理解を容易にするため、トランジスタ４９０と、その近傍の領域についてのみ抜き出し、図１０乃至図１１に示す。
【０２１０】
図１０（Ａ）は、トランジスタ４９０の上面図の一例である。図１０（Ａ）の一点鎖線Ｅ１−Ｅ２および一点鎖線Ｅ３−Ｅ４で切断した断面図の一例を図１０（Ｂ）に示す。なお、図１０（Ａ）では、理解を容易にするため、絶縁体などの一部を省略して示す。
【０２１１】
図３などではソース電極およびドレイン電極として機能する導電体４１６ａおよび導電体４１６ｂが半導体４０６ｂの上面および側面、絶縁体４３２の上面などと接する例を示したが、本発明の一態様に係るトランジスタの構造はこれに限定されない。例えば、図１０に示すように、導電体４１６ａおよび導電体４１６ｂが半導体４０６ｂの上面のみと接する構造であっても構わない。
【０２１２】
図１０に示すトランジスタは、導電体４１６ａおよび導電体４１６ｂは、半導体４０６ｂの側面と接しない。従って、ゲート電極としての機能を有する導電体４０４から半導体４０６ｂの側面に向けて印加される電界が、導電体４１６ａおよび導電体４１６ｂによって遮蔽されにくい構造である。また、導電体４１６ａおよび導電体４１６ｂは、絶縁体４３２の上面と接しない。そのため、絶縁体４３２から放出される過剰酸素（酸素）が４１６ａおよび導電体４１６ｂを酸化させるために消費されない。従って、絶縁体４３２から放出される過剰酸素（酸素）を、半導体４０６ｂの酸素欠損を低減するために効率的に利用することのできる構造である。即ち、図１０に示す構造のトランジスタは、高いオン電流、高い電界効果移動度、低いサブスレッショルドスイング値、高い信頼性などを有する優れた電気特性のトランジスタである。
【０２１３】
図１１（Ａ）は、トランジスタ４９０の上面図の一例である。図１１（Ａ）の一点鎖線Ｇ１−Ｇ２および一点鎖線Ｇ３−Ｇ４で切断した断面図の一例を図１１（Ｂ）に示す。なお、図１１（Ａ）では、理解を容易にするため、絶縁体などの一部を省略して示す。
【０２１４】
図１１（Ａ）および図１１（Ｂ）に示すトランジスタ４９０は、絶縁体４４２上の導電体４２１と、絶縁体４４２上および導電体４２１上の凸部を有する絶縁体４３２と、絶縁体４３２の凸部上の半導体４０６ａと、半導体４０６ａ上の半導体４０６ｂと、半導体４０６ｂ上の半導体４０６ｃと、半導体４０６ａ、半導体４０６ｂおよび半導体４０６ｃと接し、間隔を開けて配置された導電体４１６ａおよび導電体４１６ｂと、半導体４０６ｃ上、導電体４１６ａ上および導電体４１６ｂ上の絶縁体４１１と、絶縁体４１１上の導電体４２６と、導電体４１６ａ上、導電体４１６ｂ上、絶縁体４１１上および導電体４２６上の絶縁体４５２と、絶縁体４５２上の絶縁体４６２と、を有する。
【０２１５】
なお、絶縁体４１１は、Ｇ３−Ｇ４断面において、少なくとも半導体４０６ｂの側面と接する。また、導電体４２６は、Ｇ３−Ｇ４断面において、少なくとも絶縁体４１１を介して半導体４０６ｂの上面および側面と面する。また、導電体４２１は、絶縁体４３２を介して半導体４０６ｂの下面と面する。また、絶縁体４３２が凸部を有さなくても構わない。また、半導体４０６ｃを有さなくても構わない。また、絶縁体４５２を有さなくても構わない。また、絶縁体４６２を有さなくても構わない。
【０２１６】
図１１に示すトランジスタ４９０は、図３に示したトランジスタ４９０と一部の構造が異なるのみである。具体的には、図３に示したトランジスタ４９０の半導体４０６ａ、半導体４０６ｂおよび半導体４０６ｃの構造と、図１１に示すトランジスタ４９０の半導体４０６ａ、半導体４０６ｂおよび半導体４０６ｃの構造が異なる。また、導電体４２１の有無が異なる。従って、図１１に示すトランジスタは、図４に示したトランジスタについての説明を適宜参照することができる。
【０２１７】
（実施の形態４）
以下では、半導体４０６ａ、半導体４０６ｂ、半導体４０６ｃ、半導体４０７ａ、半導体４０７ｂ、半導体４０７ｃ、半導体４０８ａ、半導体４０８ｂ、半導体４０８ｃ、などに適用可能な酸化物半導体の構造について説明する。なお、本明細書において、結晶が三方晶または菱面体晶である場合、六方晶系として表す。
【０２１８】
酸化物半導体は、非単結晶酸化物半導体と単結晶酸化物半導体とに大別される。非単結晶酸化物半導体とは、ＣＡＡＣ−ＯＳ（Ｃ  Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ）、多結晶酸化物半導体、微結晶酸化物半導体、非晶質酸化物半導体などをいう。
【０２１９】
まずは、ＣＡＡＣ−ＯＳについて説明する。
【０２２０】
ＣＡＡＣ−ＯＳは、ｃ軸配向した複数の結晶部を有する酸化物半導体の一つである。
【０２２１】
ＣＡＡＣ−ＯＳを透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）によって観察すると、明確な結晶部同士の境界、即ち結晶粒界（グレインバウンダリーともいう。）を確認することができない。そのため、ＣＡＡＣ−ＯＳは、結晶粒界に起因する電子移動度の低下が起こりにくいといえる。
【０２２２】
ＣＡＡＣ−ＯＳを、試料面と概略平行な方向からＴＥＭによって観察（断面ＴＥＭ観察）すると、結晶部において、金属原子が層状に配列していることを確認できる。金属原子の各層は、ＣＡＡＣ−ＯＳを形成する面（被形成面ともいう。）または上面の凹凸を反映した形状であり、ＣＡＡＣ−ＯＳの被形成面または上面と平行に配列する。
【０２２３】
一方、ＣＡＡＣ−ＯＳを、試料面と概略垂直な方向からＴＥＭによって観察（平面ＴＥＭ観察）すると、結晶部において、金属原子が三角形状または六角形状に配列していることを確認できる。しかしながら、異なる結晶部間で、金属原子の配列は必ずしも規則的に配列しているとは限らない。
【０２２４】
図１２（ａ）は、ＣＡＡＣ−ＯＳの断面ＴＥＭ像である。また、図１２（ｂ）は、図１２（ａ）をさらに拡大した断面ＴＥＭ像であり、理解を容易にするために原子配列を強調表示している。
【０２２５】
図１２（ｃ）は、図１２（ａ）のＡ−Ｏ−Ａ’間において、丸で囲んだ領域（直径約４ｎｍ）の局所的なフーリエ変換像である。図１２（ｃ）より、各領域においてｃ軸配向性が確認できる。また、Ａ−Ｏ間とＯ−Ａ’間とでは、ｃ軸の向きが異なるため、異なるグレインであることが示唆される。また、Ａ−Ｏ間では、ｃ軸の角度が１４．３°、１６．６°、２６．４°のように少しずつ連続的に変化していることがわかる。同様に、Ｏ−Ａ’間では、ｃ軸の角度が−１８．３°、−１７．６°、−１５．９°と少しずつ連続的に変化していることがわかる。
【０２２６】
なお、ＣＡＡＣ−ＯＳに対し、電子回折を行うと、配向性を示すスポット（輝点）が観測される。例えば、ＣＡＡＣ−ＯＳの上面に対し、例えば１ｎｍ以上３０ｎｍ以下の電子線を用いる電子回折（ナノビーム電子回折ともいう。）を行うと、スポットが観測される（図１３（Ａ）参照。）。
【０２２７】
断面ＴＥＭ観察および平面ＴＥＭ観察より、ＣＡＡＣ−ＯＳの結晶部は配向性を有していることがわかる。
【０２２８】
なお、ＣＡＡＣ−ＯＳに含まれるほとんどの結晶部は、一辺が１００ｎｍ未満の立方体内に収まる大きさである。従って、ＣＡＡＣ−ＯＳに含まれる結晶部は、一辺が１０ｎｍ未満、５ｎｍ未満または３ｎｍ未満の立方体内に収まる大きさの場合も含まれる。ただし、ＣＡＡＣ−ＯＳに含まれる複数の結晶部が連結することで、一つの大きな結晶領域を形成する場合がある。例えば、平面ＴＥＭ像において、２５００ｎｍ２以上、５μｍ２以上または１０００μｍ２以上となる結晶領域が観察される場合がある。
【０２２９】
ＣＡＡＣ−ＯＳに対し、Ｘ線回折（ＸＲＤ：Ｘ−Ｒａｙ  Ｄｉｆｆｒａｃｔｉｏｎ）装置を用いて構造解析を行うと、例えばＩｎＧａＺｎＯ４の結晶を有するＣＡＡＣ−ＯＳのｏｕｔ−ｏｆ−ｐｌａｎｅ法による解析では、回折角（２θ）が３１°近傍にピークが現れる場合がある。このピークは、ＩｎＧａＺｎＯ４の結晶の（００９）面に帰属されることから、ＣＡＡＣ−ＯＳの結晶がｃ軸配向性を有し、ｃ軸が被形成面または上面に概略垂直な方向を向いていることが確認できる。
【０２３０】
一方、ＣＡＡＣ−ＯＳに対し、ｃ軸に概略垂直な方向からＸ線を入射させるｉｎ−ｐｌａｎｅ法による解析では、２θが５６°近傍にピークが現れる場合がある。このピークは、ＩｎＧａＺｎＯ４の結晶の（１１０）面に帰属される。ＩｎＧａＺｎＯ４の単結晶酸化物半導体であれば、２θを５６°近傍に固定し、試料面の法線ベクトルを軸（φ軸）として試料を回転させながら分析（φスキャン）を行うと、（１１０）面と等価な結晶面に帰属されるピークが６本観察される。これに対し、ＣＡＡＣ−ＯＳの場合は、２θを５６°近傍に固定してφスキャンした場合でも、明瞭なピークが現れない。
【０２３１】
以上のことから、ＣＡＡＣ−ＯＳでは、異なる結晶部間ではａ軸およびｂ軸の配向は不規則であるが、ｃ軸配向性を有し、かつｃ軸が被形成面または上面の法線ベクトルに平行な方向を向いていることがわかる。従って、前述の断面ＴＥＭ観察で確認された層状に配列した金属原子の各層は、結晶のａｂ面に平行な面である。
【０２３２】
なお、結晶部は、ＣＡＡＣ−ＯＳを成膜した際、または加熱処理などの結晶化処理を行った際に形成される。上述したように、結晶のｃ軸は、ＣＡＡＣ−ＯＳの被形成面または上面の法線ベクトルに平行な方向に配向する。従って、例えば、ＣＡＡＣ−ＯＳの形状をエッチングなどによって変化させた場合、結晶のｃ軸がＣＡＡＣ−ＯＳの被形成面または上面の法線ベクトルと平行にならないこともある。
【０２３３】
また、ＣＡＡＣ−ＯＳ中において、ｃ軸配向した結晶部の分布が均一でなくてもよい。例えば、ＣＡＡＣ−ＯＳの結晶部が、ＣＡＡＣ−ＯＳの上面近傍からの結晶成長によって形成される場合、上面近傍の領域は、被形成面近傍の領域よりもｃ軸配向した結晶部の割合が高くなることがある。また、不純物の添加されたＣＡＡＣ−ＯＳは、不純物が添加された領域が変質し、部分的にｃ軸配向した結晶部の割合の異なる領域が形成されることもある。
【０２３４】
なお、ＩｎＧａＺｎＯ４の結晶を有するＣＡＡＣ−ＯＳのｏｕｔ−ｏｆ−ｐｌａｎｅ法による解析では、２θが３１°近傍のピークの他に、２θが３６°近傍にもピークが現れる場合がある。２θが３６°近傍のピークは、ＣＡＡＣ−ＯＳ中の一部に、ｃ軸配向性を有さない結晶が含まれることを示している。ＣＡＡＣ−ＯＳは、２θが３１°近傍にピークを示し、２θが３６°近傍にピークを示さないことが好ましい。
【０２３５】
ＣＡＡＣ−ＯＳは、不純物濃度の低い酸化物半導体である。不純物は、水素、炭素、シリコン、遷移金属元素などの酸化物半導体の主成分以外の元素である。特に、シリコンなどの、酸化物半導体を構成する金属元素よりも酸素との結合力の強い元素は、酸化物半導体から酸素を奪うことで酸化物半導体の原子配列を乱し、結晶性を低下させる要因となる。また、鉄やニッケルなどの重金属、アルゴン、二酸化炭素などは、原子半径（または分子半径）が大きいため、酸化物半導体内部に含まれると、酸化物半導体の原子配列を乱し、結晶性を低下させる要因となる。なお、酸化物半導体に含まれる不純物は、キャリアトラップやキャリア発生源となる場合がある。
【０２３６】
また、ＣＡＡＣ−ＯＳは、欠陥準位密度の低い酸化物半導体である。例えば、酸化物半導体中の酸素欠損は、キャリアトラップとなることや、水素を捕獲することによってキャリア発生源となることがある。
【０２３７】
不純物濃度が低く、欠陥準位密度が低い（酸素欠損の少ない）ことを、高純度真性または実質的に高純度真性と呼ぶ。高純度真性または実質的に高純度真性である酸化物半導体は、キャリア発生源が少ないため、キャリア密度を低くすることができる。従って、当該酸化物半導体を用いたトランジスタは、しきい値電圧がマイナスとなる電気特性（ノーマリーオンともいう。）になることが少ない。また、高純度真性または実質的に高純度真性である酸化物半導体は、キャリアトラップが少ない。そのため、当該酸化物半導体を用いたトランジスタは、電気特性の変動が小さく、信頼性の高いトランジスタとなる。なお、酸化物半導体のキャリアトラップに捕獲された電荷は、放出するまでに要する時間が長く、あたかも固定電荷のように振る舞うことがある。そのため、不純物濃度が高く、欠陥準位密度が高い酸化物半導体を用いたトランジスタは、電気特性が不安定となる場合がある。
【０２３８】
また、ＣＡＡＣ−ＯＳを用いたトランジスタは、可視光や紫外光の照射による電気特性の変動が小さい。
【０２３９】
次に、微結晶酸化物半導体について説明する。
【０２４０】
微結晶酸化物半導体は、ＴＥＭによる観察像では、明確に結晶部を確認することができない場合がある。微結晶酸化物半導体に含まれる結晶部は、１ｎｍ以上１００ｎｍ以下、または１ｎｍ以上１０ｎｍ以下の大きさであることが多い。特に、１ｎｍ以上１０ｎｍ以下、または１ｎｍ以上３ｎｍ以下の微結晶であるナノ結晶（ｎｃ：ｎａｎｏｃｒｙｓｔａｌ）を有する酸化物半導体を、ｎｃ−ＯＳ（ｎａｎｏｃｒｙｓｔａｌｌｉｎｅ  Ｏｘｉｄｅ  Ｓｅｍｉｃｏｎｄｕｃｔｏｒ）と呼ぶ。また、ｎｃ−ＯＳは、例えば、ＴＥＭによる観察像では、結晶粒界を明確に確認できない場合がある。
【０２４１】
ｎｃ−ＯＳは、微小な領域（例えば、１ｎｍ以上１０ｎｍ以下の領域、特に１ｎｍ以上３ｎｍ以下の領域）において原子配列に周期性を有する。また、ｎｃ−ＯＳは、異なる結晶部間で結晶方位に規則性が見られない。そのため、層全体で配向性が見られない。従って、ｎｃ−ＯＳは、分析方法によっては、非晶質酸化物半導体と区別が付かない場合がある。例えば、ｎｃ−ＯＳに対し、結晶部よりも大きい径のＸ線を用いるＸＲＤ装置を用いて構造解析を行うと、ｏｕｔ−ｏｆ−ｐｌａｎｅ法による解析では、結晶面を示すピークが検出されない。また、ｎｃ−ＯＳに対し、結晶部よりも大きいプローブ径（例えば５０ｎｍ以上）の電子線を用いる電子回折（制限視野電子回折ともいう。）を行うと、ハローパターンのような回折パターンが観測される。一方、ｎｃ−ＯＳに対し、結晶部の大きさと近いか結晶部より小さいプローブ径の電子線を用いるナノビーム電子回折を行うと、スポットが観測される。また、ｎｃ−ＯＳに対しナノビーム電子回折を行うと、円を描くように（リング状に）輝度の高い領域が観測される場合がある。また、ｎｃ−ＯＳに対しナノビーム電子回折を行うと、リング状の領域内に複数のスポットが観測される場合がある（図１３（Ｂ）参照。）。
【０２４２】
ｎｃ−ＯＳは、非晶質酸化物半導体よりも規則性の高い酸化物半導体である。そのため、ｎｃ−ＯＳは、非晶質酸化物半導体よりも欠陥準位密度が低くなる。ただし、ｎｃ−ＯＳは、異なる結晶部間で結晶方位に規則性が見られない。そのため、ｎｃ−ＯＳは、ＣＡＡＣ−ＯＳと比べて欠陥準位密度が高くなる。
【０２４３】
従って、ｎｃ−ＯＳは、ＣＡＡＣ−ＯＳと比べて、キャリア密度が高くなる場合がある。キャリア密度が高い酸化物半導体は、電子移動度が高くなる場合がある。従って、ｎｃ−ＯＳを用いたトランジスタは、高い電界効果移動度を有する場合がある。また、ｎｃ−ＯＳは、ＣＡＡＣ−ＯＳと比べて、欠陥準位密度が高いため、キャリアトラップが多くなる場合がある。従って、ｎｃ−ＯＳを用いたトランジスタは、ＣＡＡＣ−ＯＳを用いたトランジスタと比べて、電気特性の変動が大きく、信頼性の低いトランジスタとなる。ただし、ｎｃ−ＯＳは、比較的不純物が多く含まれていても形成することができるため、ＣＡＡＣ−ＯＳよりも形成が容易となり、用途によっては好適に用いることができる場合がある。そのため、ｎｃ−ＯＳを用いたトランジスタを有する半導体装置は、生産性高く作製することができる場合がある。
【０２４４】
なお、酸化物半導体は、例えば、非晶質酸化物半導体、微結晶酸化物半導体、ＣＡＡＣ−ＯＳのうち、二種以上を有する積層膜であってもよい。
【０２４５】
以上のように、ＣＡＡＣ−ＯＳは、多結晶及び微結晶と比較して結晶粒界に起因するキャリアの散乱が小さいためにキャリア移動度の低下が起こりにくい利点がある。また、ＣＡＡＣ−ＯＳは、欠陥準位密度が低い酸化物半導体でありキャリアトラップが少ないため、ＣＡＡＣ−ＯＳを用いたトランジスタは、電気特性の変動が小さく、信頼性の高い優れたトランジスタとなる。
【０２４６】
酸化物半導体が複数の構造を有する場合、ナノビーム電子回折を用いることで構造解析が可能となる場合がある。
【０２４７】
図１３（Ｃ）に、電子銃室１０と、電子銃室１０の下の光学系１２と、光学系１２の下の試料室１４と、試料室１４の下の光学系１６と、光学系１６の下の観察室２０と、観察室２０に設置されたカメラ１８と、観察室２０の下のフィルム室２２と、を有する透過電子回折測定装置を示す。カメラ１８は、観察室２０内部に向けて設置される。なお、フィルム室２２を有さなくても構わない。
【０２４８】
また、図１３（Ｄ）に、図１３（Ｃ）に示した透過電子回折測定装置内部の構造を示す。透過電子回折測定装置内部では、電子銃室１０に設置された電子銃から放出された電子が、光学系１２を介して試料室１４に配置された物質２８に照射される。物質２８を通過した電子は、光学系１６を介して観察室２０内部に設置された蛍光板３２に入射する。蛍光板３２では、入射した電子の強度に応じたパターンが現れることで透過電子回折パターンを測定することができる。
【０２４９】
カメラ１８は、蛍光板３２を向いて設置されており、蛍光板３２に現れたパターンを撮影することが可能である。カメラ１８のレンズの中央、および蛍光板３２の中央を通る直線と、蛍光板３２の上面と、の為す角度は、例えば、１５°以上８０°以下、３０°以上７５°以下、または４５°以上７０°以下とする。該角度が小さいほど、カメラ１８で撮影される透過電子回折パターンは歪みが大きくなる。ただし、あらかじめ該角度がわかっていれば、得られた透過電子回折パターンの歪みを補正することも可能である。なお、カメラ１８をフィルム室２２に設置しても構わない場合がある。例えば、カメラ１８をフィルム室２２に、電子２４の入射方向と対向するように設置してもよい。この場合、蛍光板３２の裏面から歪みの少ない透過電子回折パターンを撮影することができる。
【０２５０】
試料室１４には、試料である物質２８を固定するためのホルダが設置されている。ホルダは、物質２８を通過する電子を透過するような構造をしている。ホルダは、例えば、物質２８をＸ軸、Ｙ軸、Ｚ軸などに移動させる機能を有していてもよい。ホルダの移動機能は、例えば、１ｎｍ以上１０ｎｍ以下、５ｎｍ以上５０ｎｍ以下、１０ｎｍ以上１００ｎｍ以下、５０ｎｍ以上５００ｎｍ以下、１００ｎｍ以上１μｍ以下などの範囲で移動させる精度を有すればよい。これらの範囲は、物質２８の構造によって最適な範囲を設定すればよい。
【０２５１】
次に、上述した透過電子回折測定装置を用いて、物質の透過電子回折パターンを測定する方法について説明する。
【０２５２】
例えば、図１３（Ｄ）に示すように物質におけるナノビームである電子２４の照射位置を変化させる（スキャンする）ことで、物質の構造が変化していく様子を確認することができる。このとき、物質２８がＣＡＡＣ−ＯＳであれば、図１３（Ａ）に示したような回折パターンが観測される。または、物質２８がｎｃ−ＯＳであれば、図１３（Ｂ）に示したような輝点を伴ったリング状の回折パターンが観測される。
【０２５３】
図１３（Ａ）に示す、ＣＡＡＣ−ＯＳに代表的にみられる回折パターン、すなわちｃ軸配向を示す回折パターンを、ＣＡＡＣ構造の回折パターンと呼ぶ。図１３（Ａ）に示すように、ＣＡＡＣ−ＯＳの回折パターンでは、例えば六角形の頂点に位置するスポットが確認される。ＣＡＡＣ−ＯＳでは、照射位置をスキャンすることにより、この六角形の向きが一様ではなく、少しずつ回転している様子がみられる。また、回転の角度はある幅を有する。
【０２５４】
または、ＣＡＡＣ−ＯＳの回折パターンでは、照射位置をスキャンすることにより、ｃ軸を中心として少しずつ回転する様子が見られる。これは、例えばａ軸とｂ軸が形成する面が回転しているともいえる。
【０２５５】
ところで、物質２８がＣＡＡＣ−ＯＳであったとしても、部分的にｎｃ−ＯＳなどと同様の回折パターンが観測される場合がある。従って、ＣＡＡＣ−ＯＳの良否は、一定の範囲におけるＣＡＡＣ−ＯＳの回折パターンが観測される領域の割合（ＣＡＡＣ比率、またはＣＡＡＣ化率ともいう。）で表すことができる場合がある。例えば、良質なＣＡＡＣ−ＯＳであれば、ＣＡＡＣ比率は、５０％以上、好ましくは８０％以上、より好ましくは９０％以上、さらに好ましくは９５％以上１００％以下である。なお、一定の範囲におけるＣＡＡＣ−ＯＳと異なる回折パターンが観測される領域の割合を非ＣＡＡＣ比率、または非ＣＡＡＣ化率と表記する。
【０２５６】
以下に、ＣＡＡＣ−ＯＳのＣＡＡＣ比率の評価方法について説明する。無作為に測定点を選び、透過電子回折パターンを取得し、全測定点の数に対し、ＣＡＡＣ構造の回折パターンが観測される測定点の数の割合を算出する。ここで、測定点数は、５０点以上が好ましく、１００点以上がより好ましい。
【０２５７】
無作為に測定点を選ぶ方法として、例えば直線状に照射位置をスキャンし、ある等間隔の時間毎に回折パターンを取得すればよい。照射位置をスキャンすることによりＣＡＡＣ構造を有する領域と、その他の領域の境界などが確認できるため、好ましい。
【０２５８】
一例として、成膜直後（ａｓ−ｓｐｕｔｔｅｒｄと表記。）のＣＡＡＣ−ＯＳを有する試料、および酸素を含む雰囲気における４５０℃加熱処理後のＣＡＡＣ−ＯＳを有する試料を作製し、各試料の上面に対し、スキャンしながら透過電子回折パターンを取得した。ここでは、５ｎｍ／秒の速度で６０秒間スキャンしながら回折パターンを観測し、観測された回折パターンを０．５秒ごとに静止画に変換することで、ＣＡＡＣ比率を導出した。なお、電子線としては、プローブ径が１ｎｍのナノビームを用いた。なお、同様の測定は６試料に対して行った。そしてＣＡＡＣ比率の算出には、６試料における平均値を用いた。
【０２５９】
各試料におけるＣＡＡＣ比率を図１４（Ａ）に示す。成膜直後のＣＡＡＣ−ＯＳのＣＡＡＣ比率は７５．７％（非ＣＡＡＣ比率は２４．３％）であった。また、４５０℃加熱処理後のＣＡＡＣ−ＯＳのＣＡＡＣ比率は８５．３％（非ＣＡＡＣ比率は１４．７％）であった。成膜直後と比べて、４５０℃加熱処理後のＣＡＡＣ比率が高いことがわかる。即ち、高い温度（例えば４００℃以上）における加熱処理によって、非ＣＡＡＣ比率が低くなる（ＣＡＡＣ比率が高くなる）ことがわかる。また、５００℃未満の加熱処理においても高いＣＡＡＣ比率を有するＣＡＡＣ−ＯＳが得られることがわかる。
【０２６０】
ここで、ＣＡＡＣ−ＯＳと異なる回折パターンのほとんどはｎｃ−ＯＳと同様の回折パターンであった。また、測定領域において非晶質酸化物半導体は、確認することができなかった。従って、加熱処理によって、ｎｃ−ＯＳと同様の構造を有する領域が、隣接する領域の構造の影響を受けて再配列し、ＣＡＡＣ化していることが示唆される。
【０２６１】
図１４（Ｂ）および図１４（Ｃ）は、成膜直後および４５０℃加熱処理後のＣＡＡＣ−ＯＳの平面ＴＥＭ像である。図１４（Ｂ）と図１４（Ｃ）とを比較することにより、４５０℃加熱処理後のＣＡＡＣ−ＯＳは、膜質がより均質であることがわかる。即ち、高い温度における加熱処理によって、ＣＡＡＣ−ＯＳの膜質が向上することがわかる。
【０２６２】
このような測定方法を用いれば、複数の構造を有する酸化物半導体の構造解析が可能となる場合がある。
【０２６３】
ここでナノビーム電子回折を行った場合に、ＣＡＡＣ−ＯＳが部分的にＣＡＡＣ構造以外の構造を有する領域、例えばｎｃ構造の回折パターンが観測される領域や、スピネル型の結晶構造の回折パターンが観測される領域を有する場合を考える。このような場合には、ＣＡＡＣ構造の回折パターンが観測される領域と、ＣＡＡＣ構造以外の構造の回折パターンが観測される領域との境界では、例えばキャリアの散乱が増大し、キャリア移動度が低下することがある。また、境界部は不純物の移動経路になりやすく、また不純物を捕獲しやすいと考えられるため、ＣＡＡＣ−ＯＳの不純物濃度が高まる懸念がある。
【０２６４】
特に、ＣＡＡＣ構造以外の構造を有する領域がスピネル型の結晶構造を有する領域であった場合には、ＣＡＡＣ構造を有する領域との間に明確な境界が観測されることがあるため、その境界部ではキャリアの散乱などにより電子移動度が低下する場合がある。また、ＣＡＡＣ−ＯＳ上に導電膜を形成する場合に、導電膜の有する元素、例えば金属元素等がスピネルと他の領域の境界に拡散してしまうことがある。また、スピネル型の結晶構造を有する膜では膜中の不純物濃度、例えば水素濃度が上昇することがあり、例えば粒界部分に水素等の不純物が捕獲されている可能性などが考えられる。よって、ＣＡＡＣ−ＯＳには、特にスピネル型の結晶構造が含まれない、または少ないことがより好ましい。
【０２６５】
酸化物半導体が、インジウ酸化物半導体ム、元素Ｍ及び亜鉛を有する場合を考える。ここで、元素Ｍは、好ましくは、アルミニウム、ガリウム、イットリウムまたはスズなどとする。そのほかの元素Ｍに適用可能な元素としては、ホウ素、シリコン、チタン、鉄、ニッケル、ゲルマニウム、イットリウム、ジルコニウム、モリブデン、ランタン、セリウム、ネオジム、ハフニウム、タンタル、タングステンなどがある。ただし、元素Ｍとして、前述の元素を複数組み合わせても構わない場合がある。酸化物半導体が有するインジウム、元素Ｍ及び亜鉛の原子数の比、ｘ：ｙ：ｚの好ましい範囲について説明する。
【０２６６】
インジウム、元素Ｍ及び亜鉛を有する酸化物では、ＩｎＭＯ３（ＺｎＯ）ｍ（ｍは自然数）で表されるホモロガス相（ホモロガスシリーズ）が存在することが知られている。ここで、例として元素ＭがＧａである場合を考える。
【０２６７】
例えば、スピネル型の結晶構造を有する化合物として、ＺｎＧａ２Ｏ４などのＺｎＭ２Ｏ４で表される化合物が知られている。また、ＺｎＧａ２Ｏ４の近傍の組成、つまりｘ，ｙ及びｚが（ｘ，ｙ，ｚ）＝（０，１，２）に近い値を有する場合には、スピネル型の結晶構造が形成、あるいは混在しやすい。
【０２６８】
また、キャリア移動度を高めるためにはＩｎの含有率を高めることが好ましい。インジウム、元素Ｍ及び亜鉛を有する酸化物半導体では主として重金属のｓ軌道がキャリア伝導に寄与しており、インジウムの含有率を多くすることにより、より多くのｓ軌道が重なるため、インジウムの含有率が多い酸化物はインジウムの含有率が少ない酸化物と比較して移動度が高くなる。そのため、酸化物半導体にインジウムの含有量が多い酸化物を用いることで、キャリア移動度を高めることができる。
【０２６９】
例えば、インジウムの原子数比を高めることにより、キャリア移動度を高めることができるため好ましい。例えば、酸化物半導体の有するインジウム、元素Ｍ及び亜鉛の原子数の比をｘ：ｙ：ｚで表した場合、ｘはｙの１．７５倍以上であると好ましい。
【０２７０】
また、酸化物半導体のＣＡＡＣ比率をより高めるためには、亜鉛の原子数比を高めることが好ましい。例えば、Ｉｎ−Ｇａ−Ｚｎ酸化物の原子数比を、固溶域をとり得る範囲とすることにより、ＣＡＡＣ比率をより高めることができる場合がある。インジウムとガリウムの原子数の和に対して亜鉛の原子数の比を高めると、固溶域をとり得る範囲は広くなる傾向がある。よって、インジウムとガリウムの原子数の和に対して亜鉛の原子数比を高めることにより、酸化物半導体のＣＡＡＣ比率をより高めることができる場合がある。例えば、酸化物半導体の有するインジウム、元素Ｍ及び亜鉛の原子数の比をｘ：ｙ：ｚで表した場合、ｚはｘ＋ｙの０．５倍以上であると好ましい。一方で、インジウムの原子数比を高め、キャリア移動度を高めるために、ｚはｘ＋ｙの２倍以下であると好ましい。
【０２７１】
その結果、ナノビーム電子回折においてスピネル型の結晶構造が観測される割合をなくすことができる、または極めて低くすることができる。よって、優れたＣＡＡＣ−ＯＳを得ることができる。また、ＣＡＡＣ構造とスピネル型の結晶構造の境界におけるキャリア散乱等を減少させることができるため、酸化物半導体をトランジスタに用いた場合に、高い電界効果移動度のトランジスタを実現することができる。また、信頼性の高いトランジスタを実現することができる。
【０２７２】
その結果、ＣＡＡＣ比率の高い酸化物半導体を実現することができる。すなわち、良質なＣＡＡＣ−ＯＳを実現することができる。また、スピネル型の結晶構造が観測される領域のない、または極めて少ないＣＡＡＣ−ＯＳを実現することができる。例えば、良質なＣＡＡＣ−ＯＳであれば、ＣＡＡＣ比率は、５０％以上、好ましくは８０％以上、より好ましくは９０％以上、さらに好ましくは９５％以上１００％以下である。
【０２７３】
また、酸化物半導体をスパッタリング法で成膜する場合、ターゲットの原子数比からずれた原子数比の膜が形成される場合がある。特に、亜鉛は、ターゲットの原子数比よりも膜の原子数比が小さくなる場合がある。具体的には、ターゲットに含まれる亜鉛の原子数比の４０ａｔｏｍｉｃ％以上９０ａｔｏｍｉｃ％程度以下となる場合がある。
【０２７４】
従って、ターゲットの原子数比は、スパッタリング法により得られる酸化物半導体よりも亜鉛の原子数比が多くなることが好ましい。
【０２７５】
なお、酸化物半導体は、複数の膜を積層してもよい。また複数の膜のそれぞれのＣＡＡＣ比率が異なってもよい。また、積層された複数の膜のうち、少なくとも一層の膜は例えばＣＡＡＣ比率が９０％高いことが好ましく、９５％以上であることがより好ましく、９７％以上１００％以下であることがさらに好ましい。
【０２７６】
以上が、半導体４０６ａ、半導体４０６ｂ、半導体４０６ｃ、半導体４０７ａ、半導体４０７ｂ、半導体４０７ｃ、半導体４０８ａ、半導体４０８ｂ、半導体４０８ｃなどに適用可能な酸化物半導体の構造である。
【０２７７】
次に、半導体４０６ａ、半導体４０６ｂ、半導体４０６ｃ、半導体４０７ａ、半導体４０７ｂ、半導体４０７ｃ、半導体４０８ａ、半導体４０８ｂ、半導体４０８ｃなどに適用可能な半導体の、その他の要素について説明する。
以下では、代表的に、半導体４０６ａ、半導体４０６ｂ、半導体４０６ｃについて説明を行うが、半導体４０６ａに適用される半導体は、半導体４０７ａ、４０８ａにも同様に適用することができる。また、半導体４０６ｂに適用される半導体は、半導体４０７ｂ、４０８ｂにも同様に適用することができる。また、半導体４０６ｃに適用される半導体は、半導体４０７ｃ、４０８ｃにも同様に適用することができる。また、トランジスタ４９０の特性は、トランジスタ４９１、４９２においても同様に得られる。
【０２７８】
半導体４０６ｂに適用可能な酸化物半導体は、例えば、インジウムを含む酸化物半導体である。半導体４０６ｂは、例えば、インジウムを含むと、キャリア移動度（電子移動度）が高くなる。また、半導体４０６ｂは、元素Ｍを含むと好ましい。元素Ｍは、好ましくは、アルミニウム、ガリウム、イットリウムまたはスズなどとする。そのほかの元素Ｍに適用可能な元素としては、ホウ素、シリコン、チタン、鉄、ニッケル、ゲルマニウム、イットリウム、ジルコニウム、モリブデン、ランタン、セリウム、ネオジム、ハフニウム、タンタル、タングステンなどがある。ただし、元素Ｍとして、前述の元素を複数組み合わせても構わない場合がある。元素Ｍは、例えば、酸素との結合エネルギーが高い元素である。例えば、酸素との結合エネルギーがインジウムよりも高い元素である。または、元素Ｍは、例えば、酸化物半導体のエネルギーギャップを大きくする機能を有する元素である。また、半導体４０６ｂは、亜鉛を含むと好ましい。酸化物半導体は、亜鉛を含むと結晶化しやすくなる場合がある。
【０２７９】
半導体４０６ｂは、例えば、エネルギーギャップが大きい酸化物を用いる。半導体４０６ｂのエネルギーギャップは、例えば、２．５ｅＶ以上４．２ｅＶ以下、好ましくは２．８ｅＶ以上３．８ｅＶ以下、さらに好ましくは３ｅＶ以上３．５ｅＶ以下とする。
【０２８０】
酸化物半導体では、エネルギーギャップが大きく、電子が励起されにくいことや、ホールの有効質量が大きいことなどから、酸化物半導体を用いたトランジスタは、従来のシリコン等を用いたトランジスタと比較して、アバランシェ崩壊等が生じにくい場合がある。よって、例えばアバランシェ崩壊に起因するホットキャリア劣化等を抑制できる場合がある。よって、ドレイン耐圧を高めることができ、より高いドレイン電圧でトランジスタを駆動することができる。よって、フローティングノードにより高い電圧、つまり、より多くの状態を保持することができ、記憶密度を高めることができる場合がある。
【０２８１】
半導体４０６ａ、半導体４０６ｂおよび半導体４０６ｃは、少なくともインジウムを含むと好ましい。なお、半導体４０６ａがＩｎ−Ｍ−Ｚｎ酸化物のとき、ＩｎおよびＭの和を１００ａｔｏｍｉｃ％としたとき、好ましくはＩｎが５０ａｔｏｍｉｃ％未満、Ｍが５０ａｔｏｍｉｃ％以上、さらに好ましくはＩｎが２５ａｔｏｍｉｃ％未満、Ｍが７５ａｔｏｍｉｃ％以上とする。また、半導体４０６ｂがＩｎ−Ｍ−Ｚｎ酸化物のとき、ＩｎおよびＭの和を１００ａｔｏｍｉｃ％としたとき、好ましくはＩｎが２５ａｔｏｍｉｃ％以上、Ｍが７５ａｔｏｍｉｃ％未満、さらに好ましくはＩｎが３４ａｔｏｍｉｃ％以上、Ｍが６６ａｔｏｍｉｃ％未満とする。また、半導体４０６ｃがＩｎ−Ｍ−Ｚｎ酸化物のとき、ＩｎおよびＭの和を１００ａｔｏｍｉｃ％としたとき、好ましくはＩｎが５０ａｔｏｍｉｃ％未満、Ｍが５０ａｔｏｍｉｃ％以上、さらに好ましくはＩｎが２５ａｔｏｍｉｃ％未満、Ｍが７５ａｔｏｍｉｃ％以上とする。なお、半導体４０６ｃは、半導体４０６ａと同種の酸化物を用いても構わない。
【０２８２】
半導体４０６ｂは、半導体４０６ａおよび半導体４０６ｃよりも電子親和力の大きい酸化物を用いる。例えば、半導体４０６ｂとして、半導体４０６ａおよび半導体４０６ｃよりも電子親和力の０．０７ｅＶ以上１．３ｅＶ以下、好ましくは０．１ｅＶ以上０．７ｅＶ以下、さらに好ましくは０．１５ｅＶ以上０．４ｅＶ以下大きい酸化物を用いる。なお、電子親和力は、真空準位と伝導帯下端のエネルギーとの差である。
【０２８３】
なお、インジウムガリウム酸化物は、小さい電子親和力と、高い酸素ブロック性を有する。そのため、半導体４０６ｃがインジウムガリウム酸化物を含むと好ましい。ガリウム原子割合［Ｉｎ／（Ｉｎ＋Ｇａ）］は、例えば、７０％以上、好ましくは８０％以上、さらに好ましくは９０％以上とする。
【０２８４】
このとき、ゲート電極に電界を印加すると、半導体４０６ａ、半導体４０６ｂ、半導体４０６ｃのうち、電子親和力の大きい半導体４０６ｂにチャネルが形成される。よって、トランジスタの電界効果移動度を高くすることができる。ここで、半導体４０６ｂと半導体４０６ｃは構成する元素が共通しているため、界面散乱がほとんど生じない。
【０２８５】
ここで、半導体４０６ａと半導体４０６ｂとの間には、半導体４０６ａと半導体４０６ｂとの混合領域を有する場合がある。また、半導体４０６ｂと半導体４０６ｃとの間には、半導体４０６ｂと半導体４０６ｃとの混合領域を有する場合がある。混合領域は、界面準位密度が低くなる。そのため、半導体４０６ａ、半導体４０６ｂおよび半導体４０６ｃの積層体は、それぞれの界面近傍において、エネルギーが連続的に変化する（連続接合ともいう。）バンド構造となる。なお、図１５（Ａ）は、半導体４０６ａ、半導体４０６ｂおよび半導体４０６ｃが、この順番に積層した断面図である。図１５（Ｂ）は、図１５（Ａ）の一点鎖線Ｐ１−Ｐ２に対応する伝導帯下端のエネルギー（Ｅｃ）であり、半導体４０６ａより半導体４０６ｃの電子親和力が大きい場合を示す。また、図１５（Ｃ）は、半導体４０６ａより半導体４０６ｃの電子親和力が小さい場合を示す。
【０２８６】
このとき、電子は、半導体４０６ａ中および半導体４０６ｃ中ではなく、半導体４０６ｂ中を主として移動する。上述したように、半導体４０６ａおよび半導体４０６ｂの界面における界面準位密度、半導体４０６ｂと半導体４０６ｃとの界面における界面準位密度を低くすることによって、半導体４０６ｂ中で電子の移動が阻害されることが少なく、トランジスタ４９０のオン電流を高くすることができる。
【０２８７】
例えば、半導体４０６ａおよび半導体４０６ｃは、半導体４０６ｂを構成する酸素以外の元素一種以上、または二種以上から構成される酸化物半導体である。半導体４０６ｂを構成する酸素以外の元素一種以上、または二種以上から半導体４０６ａおよび半導体４０６ｃが構成されるため、半導体４０６ａと半導体４０６ｂとの界面、および半導体４０６ｂと半導体４０６ｃとの界面において、界面準位が形成されにくい。
【０２８８】
半導体４０６ａ、半導体４０６ｂ及び半導体４０６ｃは、スピネル型の結晶構造が含まれない、または少ないことが好ましい。また、半導体４０６ａ、半導体４０６ｂ及び半導体４０６ｃは、ＣＡＡＣ−ＯＳであることが好ましい。
【０２８９】
例えば、ｃ軸配向した複数の結晶部を有するＣＡＡＣ−ＯＳを半導体４０６ａとして用いることにより、その上に積層される半導体４０６ｂは、半導体４０６ａとの界面近傍においても、良好なｃ軸配向を有する領域を形成することができる。
【０２９０】
また、ＣＡＡＣ−ＯＳのＣＡＡＣ比率を高めることにより、例えば、欠陥をより少なくすることができる。また、例えばスピネル型の構造を有する領域を少なくすることができる。また、例えばキャリアの散乱を小さくすることができる。また、例えば不純物に対するブロック能の高い膜とすることができる。よって、半導体４０６ａ及び半導体４０６ｃのＣＡＡＣ比率を高めることにより、チャネルが形成される半導体４０６ｂと良好な界面を形成し、キャリア散乱を小さく抑えることができる。例えば、半導体４０６ａおよび／または半導体４０６ｃのＣＡＡＣ比率を、１０％以上、好ましくは２０％以上、さらに好ましくは５０％、より好ましくは７０％以上とすればよい。また、半導体４０６ｂへの不純物の混入を抑制することができ、半導体４０６ｂの不純物濃度を低減することができる。
【０２９１】
また、半導体４０６ｂは、酸素欠損が低減された半導体であることが好ましい。
【０２９２】
例えば、半導体４０６ｂが酸素欠損（ＶＯとも表記。）を有する場合、酸素欠損のサイトに水素が入り込むことでドナー準位を形成することがある。以下では酸素欠損のサイトに水素が入り込んだ状態をＶＯＨと表記する場合がある。ＶＯＨは電子を散乱するため、トランジスタ４９０のオン電流を低下させる要因となる。なお、酸素欠損のサイトは、水素が入るよりも酸素が入る方が安定する。従って、半導体４０６ｂ中の酸素欠損を低減することで、トランジスタ４９０のオン電流を高くすることができる場合がある。
【０２９３】
半導体４０６ｂの酸素欠損を低減するために、例えば、絶縁体４３２に含まれる過剰酸素を、半導体４０６ａを介して半導体４０６ｂまで移動させる方法などがある。この場合、半導体４０６ａは、酸素透過性を有する層（酸素を通過または透過させる層）であることが好ましい。
【０２９４】
酸素は、加熱処理などによって絶縁体４３２から放出され、半導体４０６ａ中に取り込まれる。なお、酸素は、半導体４０６ａ中の原子間に遊離して存在する場合や、酸素などと結合して存在する場合がある。半導体４０６ａは、密度が低いほど、即ち原子間に間隙が多いほど酸素透過性が高くなる。例えば、また、半導体４０６ａが層状の結晶構造を有し、層を横切るような酸素の移動は起こりにくい場合、半導体４０６ａは適度に結晶性の低い層であると好ましい。
【０２９５】
絶縁体４３２から放出された過剰酸素（酸素）を半導体４０６ｂまで到達させるためには、半導体４０６ａは過剰酸素（酸素）を透過する程度の結晶性を有するとよい。例えば、半導体４０６ａがＣＡＡＣ−ＯＳである場合、層全体がＣＡＡＣ化してしまうと、過剰酸素（酸素）を透過することができないため、一部に隙間を有する構造とすると好ましい。例えば、半導体４０６ａのＣＡＡＣ比率を、１００％未満、好ましくは９８％未満、さらに好ましくは９５％未満、より好ましくは９０％未満とすればよい。
【０２９６】
また、トランジスタ４９０のオン電流を高くするためには、半導体４０６ｃの厚さは小さいほど好ましい。例えば、１０ｎｍ未満、好ましくは５ｎｍ以下、さらに好ましくは３ｎｍ以下の領域を有する半導体４０６ｃとすればよい。一方、半導体４０６ｃは、チャネルの形成される半導体４０６ｂへ、隣接する絶縁体を構成する酸素以外の元素（水素、シリコンなど）が入り込まないようブロックする機能を有する。そのため、半導体４０６ｃは、ある程度の厚さを有することが好ましい。例えば、０．３ｎｍ以上、好ましくは１ｎｍ以上、さらに好ましくは２ｎｍ以上の厚さの領域を有する半導体４０６ｃとすればよい。また、半導体４０６ｃは、絶縁体４０２などから放出される酸素の外方拡散を抑制するために、酸素をブロックする性質を有すると好ましい。
【０２９７】
また、信頼性を高くするためには、半導体４０６ａは厚く、半導体４０６ｃは薄いことが好ましい。例えば、１０ｎｍ以上、好ましくは２０ｎｍ以上、さらに好ましくは４０ｎｍ以上、より好ましくは６０ｎｍ以上の厚さの領域を有する半導体４０６ａとすればよい。半導体４０６ａの厚さを、厚くすることで、隣接する絶縁体と半導体４０６ａとの界面からチャネルの形成される半導体４０６ｂまでの距離を離すことができる。ただし、半導体装置の生産性が低下する場合があるため、例えば、２００ｎｍ以下、好ましくは１２０ｎｍ以下、さらに好ましくは８０ｎｍ以下の厚さの領域を有する半導体４０６ａとすればよい。
【０２９８】
例えば、半導体４０６ｂと半導体４０６ａとの間に、例えば、二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）において、１×１０１９ａｔｏｍｓ／ｃｍ３未満、好ましくは５×１０１８ａｔｏｍｓ／ｃｍ３未満、さらに好ましくは２×１０１８ａｔｏｍｓ／ｃｍ３未満のシリコン濃度となる領域を有する。また、半導体４０６ｂと半導体４０６ｃとの間に、ＳＩＭＳにおいて、１×１０１９ａｔｏｍｓ／ｃｍ３未満、好ましくは５×１０１８ａｔｏｍｓ／ｃｍ３未満、さらに好ましくは２×１０１８ａｔｏｍｓ／ｃｍ３未満のシリコン濃度となる領域を有する。
【０２９９】
また、半導体４０６ｂの水素濃度を低減するために、半導体４０６ａおよび半導体４０６ｃの水素濃度を低減すると好ましい。半導体４０６ａおよび半導体４０６ｃは、ＳＩＭＳにおいて、２×１０２０ａｔｏｍｓ／ｃｍ３以下、好ましくは５×１０１９ａｔｏｍｓ／ｃｍ３以下、より好ましくは１×１０１９ａｔｏｍｓ／ｃｍ３以下、さらに好ましくは５×１０１８ａｔｏｍｓ／ｃｍ３以下の水素濃度となる領域を有する。また、半導体４０６ｂの窒素濃度を低減するために、半導体４０６ａおよび半導体４０６ｃの窒素濃度を低減すると好ましい。半導体４０６ａおよび半導体４０６ｃは、ＳＩＭＳにおいて、５×１０１９ａｔｏｍｓ／ｃｍ３未満、好ましくは５×１０１８ａｔｏｍｓ／ｃｍ３以下、より好ましくは１×１０１８ａｔｏｍｓ／ｃｍ３以下、さらに好ましくは５×１０１７ａｔｏｍｓ／ｃｍ３以下の窒素濃度となる領域を有する。
【０３００】
以上が、半導体４０６ａ、半導体４０６ｂ、半導体４０６ｃなどに適用可能な酸化物半導体の構造およびその他の要素である。以上のような酸化物半導体を半導体４０６ａ、半導体４０６ｂ、半導体４０６ｃなどに適用することで、トランジスタ４９０は、良好な電気特性が得られる。例えば、優れたサブスレッショルド特性や極めて小さいオフ電流が得られる。また、高いオン電流や良好なスイッチングスピードが得られる。また、高い耐圧が得られる。
【０３０１】
（実施の形態５）
本発明の一態様に係る半導体装置を適用した半導体装置の構成の一例について、図１６を用いながら説明する。
【０３０２】
図１６に示す半導体装置３００は、ＣＰＵコア３０１、パワーマネージメントユニット３２１および周辺回路３２２を有する。パワーマネージメントユニット３２１は、パワーコントローラ３０２、およびパワースイッチ３０３を有する。周辺回路３２２は、キャッシュメモリを有するキャッシュ３０４、バスインターフェース（ＢＵＳ  Ｉ／Ｆ）３０５、及びデバッグインターフェース（Ｄｅｂｕｇ  Ｉ／Ｆ）３０６を有する。ＣＰＵコア３０１は、データバス３２３、制御装置３０７、ＰＣ（プログラムカウンタ）３０８、パイプラインレジスタ３０９、パイプラインレジスタ３１０、ＡＬＵ（Ａｒｉｔｈｍｅｔｉｃ  ｌｏｇｉｃ  ｕｎｉｔ）３１１、及びレジスタファイル３１２を有する。ＣＰＵコア３０１と、キャッシュ３０４等の周辺回路３２２とのデータのやり取りは、データバス３２３を介して行われる。
【０３０３】
本発明の一態様に係る半導体装置は、キャッシュ３０４に適用することができる。その結果、キャッシュの小型化、高密度化、または大容量化が可能となり、小型化した半導体装置、記憶容量のより大きな半導体装置、より高速で動作する半導体装置、或いはより低消費電力の半導体装置を提供できる。
【０３０４】
制御装置３０７は、ＰＣ３０８、パイプラインレジスタ３０９、パイプラインレジスタ３１０、ＡＬＵ３１１、レジスタファイル３１２、キャッシュ３０４、バスインターフェース３０５、デバッグインターフェース３０６、及びパワーコントローラ３０２の動作を統括的に制御することで、入力されたアプリケーションなどのプログラムに含まれる命令をデコードし、実行する機能を有する。
【０３０５】
ＡＬＵ３１１は、四則演算、論理演算などの各種演算処理を行う機能を有する。
【０３０６】
キャッシュ３０４は、使用頻度の高いデータを一時的に記憶しておく機能を有する。ＰＣ３０８は、次に実行する命令のアドレスを記憶する機能を有するレジスタである。なお、図１６では図示していないが、キャッシュ３０４には、キャッシュメモリの動作を制御するキャッシュコントローラが設けられている。
【０３０７】
パイプラインレジスタ３０９は、命令データを一時的に記憶する機能を有するレジスタである。
【０３０８】
レジスタファイル３１２は、汎用レジスタを含む複数のレジスタを有しており、メインメモリから読み出されたデータ、またはＡＬＵ３１１の演算処理の結果得られたデータ、などを記憶することができる。
【０３０９】
パイプラインレジスタ３１０は、ＡＬＵ３１１の演算処理に利用するデータ、またはＡＬＵ３１１の演算処理の結果得られたデータなどを一時的に記憶する機能を有するレジスタである。
【０３１０】
バスインターフェース３０５は、半導体装置３００と半導体装置３００の外部にある各種装置との間におけるデータの経路としての機能を有する。デバッグインターフェース３０６は、デバッグの制御を行うための命令を半導体装置３００に入力するための信号の経路としての機能を有する。
【０３１１】
パワースイッチ３０３は、半導体装置３００が有する、パワーコントローラ３０２以外の各種回路への、電源電圧の供給を制御する機能を有する。上記各種回路は、幾つかのパワードメインにそれぞれ属しており、同一のパワードメインに属する各種回路は、パワースイッチ３０３によって電源電圧の供給の有無が制御される。また、パワーコントローラ３０２はパワースイッチ３０３の動作を制御する機能を有する。
【０３１２】
上記構成を有する半導体装置３００は、パワーゲーティングを行うことが可能である。パワーゲーティングの動作の流れについて、一例を挙げて説明する。
【０３１３】
まず、ＣＰＵコア３０１が、電源電圧の供給を停止するタイミングを、パワーコントローラ３０２のレジスタに設定する。次いで、ＣＰＵコア３０１からパワーコントローラ３０２へ、パワーゲーティングを開始する旨の命令を送る。次いで、半導体装置３００内に含まれる各種レジスタとキャッシュ３０４が、データの退避を開始する。次いで、半導体装置３００が有するパワーコントローラ３０２以外の各種回路への電源電圧の供給が、パワースイッチ３０３により停止される。次いで、割込み信号がパワーコントローラ３０２に入力されることで、半導体装置３００が有する各種回路への電源電圧の供給が開始される。なお、パワーコントローラ３０２にカウンタを設けておき、電源電圧の供給が開始されるタイミングを、割込み信号の入力に依らずに、当該カウンタを用いて決めるようにしてもよい。次いで、各種レジスタとキャッシュ３０４が、データの復帰を開始する。次いで、制御装置３０７における命令の実行が再開される。
【０３１４】
このようなパワーゲーティングは、プロセッサ全体、もしくはプロセッサを構成する一つ、または複数の論理回路において行うことができる。また、短い時間でも電源の供給を停止することができる。このため、空間的に、あるいは時間的に細かい粒度で消費電力の削減を行うことができる。
【０３１５】
本発明の一態様に係る半導体装置をキャッシュ３０４に適用することで、キャッシュ３０４は、電源電圧の供給が停止されても、長期間データを保持することができる。したがって、パワーゲーティングを行う際に、キャッシュ３０４のデータを保持し続けることができ、退避する必要がない。その結果、電力と時間を削減することができる。つまり、キャッシュ３０４に本発明の一態様に係る半導体装置を適用せず、揮発性のＳＲＡＭを用いる場合には、パワーゲーティングの際に、キャッシュのデータを破棄するか半導体装置３００の外部に退避する必要がある。データを破棄する場合には、復帰時に半導体装置３００の外部からデータを取ってくるエネルギーと時間（つまり、キャッシュのウォームアップに必要なエネルギーと時間）を要するが、本発明の一態様に係る半導体装置を適用することで、これを削減することができる。データを退避する場合には、データの退避および復帰に必要な電力と時間を要するが、本発明の一態様に係る半導体装置を適用することで、これを削減することができる。
【０３１６】
なお、本発明の一態様に係る半導体装置は、ＣＰＵだけでなく、ＧＰＵ（Ｇｒａｐｈｉｃｓ  Ｐｒｏｃｅｓｓｉｎｇ  Ｕｎｉｔ）、ＰＬＤ（Ｐｒｏｇｒａｍｍａｂｌｅ  Ｌｏｇｉｃ  Ｄｅｖｉｃｅ）、ＤＳＰ（Ｄｉｇｉｔａｌ  Ｓｉｇｎａｌ  Ｐｒｏｃｅｓｓｏｒ）、ＭＣＵ（Ｍｉｃｒｏｃｏｎｔｒｏｌｌｅｒ  Ｕｎｉｔ）、ＲＦ−ＩＤ（Ｒａｄｉｏ  Ｆｒｅｑｕｅｎｃｙ  Ｉｄｅｎｔｉｆｉｃａｔｉｏｎ）、カスタムＬＳＩなどにも適用可能である。
【０３１７】
（実施の形態６）
本発明の一態様に係る半導体装置を適用した半導体装置の構成の一例について、図１７を用いながら説明する。
【０３１８】
図１７に示す半導体装置８００は、ＲＦＩＤタグの構成の一例である。本実施の形態におけるＲＦＩＤタグは、内部に記憶回路を有し、記憶回路に必要な情報を記憶し、非接触手段、例えば無線通信を用いて外部と情報の授受を行うものである。このような特徴から、ＲＦＩＤタグは、物品などの個体情報を読み取ることにより物品の識別を行う個体認証システムなどに用いることが可能である。
【０３１９】
図１７に示す半導体装置８００は、アンテナ８０４、整流回路８０５、定電圧回路８０６、復調回路８０７、変調回路８０８、論理回路８０９、記憶回路８１０、ＲＯＭ８１１を有している。
【０３２０】
本発明の一態様に係る半導体装置は、記憶回路８１０に適用することができる。その結果、記憶回路８１０の小型化、高密度化、または大容量化が可能となり、小型化した半導体装置、あるいは記憶容量のより大きな半導体装置を提供できる。
【０３２１】
アンテナ８０４は、通信器８０１に接続されたアンテナ８０２との間で無線信号８０３の送受信を行うためのものである。また、整流回路８０５は、アンテナ８０４で無線信号を受信することにより生成される入力交流信号を整流、例えば、半波２倍圧整流し、後段に設けられた容量素子により、整流された信号を平滑化することで入力電位を生成するための回路である。なお、整流回路８０５の入力側または出力側には、リミッタ回路を設けてもよい。リミッタ回路とは、入力交流信号の振幅が大きく、内部生成電圧が大きい場合に、ある電力以上の電力を後段の回路に入力しないように制御するための回路である。
【０３２２】
定電圧回路８０６は、入力電位から安定した電源電圧を生成し、各回路に供給するための回路である。なお、定電圧回路８０６は、内部にリセット信号生成回路を有していてもよい。リセット信号生成回路は、安定した電源電圧の立ち上がりを利用して、論理回路８０９のリセット信号を生成するための回路である。
【０３２３】
復調回路８０７は、入力交流信号を包絡線検出することにより復調し、復調信号を生成するための回路である。また、変調回路８０８は、アンテナ８０４より出力するデータに応じて変調を行うための回路である。
【０３２４】
論理回路８０９は復調信号を解読し、処理を行うための回路である。記憶回路８１０は、入力された情報を保持する回路であり、ローデコーダ、カラムデコーダ、記憶領域などを有する。また、ＲＯＭ８１１は、固有番号（ＩＤ）などを格納し、処理に応じて出力を行うための回路である。
【０３２５】
なお、データの伝送形式は、一対のコイルを対向配置して相互誘導によって交信を行う電磁結合方式、誘導電磁界によって交信する電磁誘導方式、電波を利用して交信する電波方式などがある。本実施の形態に示す半導体装置８００は、いずれの方式に用いることも可能である。
【０３２６】
なお、上述の各回路は、必要に応じて、適宜、取捨することができる。
【０３２７】
なお、記憶回路８１０以外の回路において、ｎチャネル型トランジスタには、先の実施の形態で説明した酸化物半導体を用いたトランジスタを用いることができる。当該トランジスタが低いオフ電流と高いオン電流を有するため低いリーク電流と高速動作を両立することができる。また、復調回路８０７に含まれる整流作用を示す素子に、先の実施の形態で説明した酸化物半導体を用いたトランジスタを用いてもよい。当該トランジスタが低いオフ電流を有するため、整流作用を示す素子の逆方向電流を小さく抑えることが可能となる。その結果、優れた整流効率を実現できる。また、これらの酸化物半導体を用いたトランジスタは同じプロセスで作製することができるため、プロセスコストを抑えたまま半導体装置８００を高性能化できる。
【０３２８】
なお、本実施の形態は、本明細書で示す他の実施の形態と適宜組み合わせることができる。
【０３２９】
（実施の形態７）
本実施の形態では、上述の実施の形態で説明した半導体装置を電子部品に適用する例、及び該電子部品を具備する電子機器に適用する例について、図１８、図１９を用いて説明する。
【０３３０】
図１８（ａ）では上述の実施の形態で説明した半導体装置を電子部品に適用する例について説明する。なお電子部品は、半導体パッケージ、又はＩＣ用パッケージともいう。この電子部品は、端子取り出し方向や、端子の形状に応じて、複数の規格や名称が存在する。そこで、本実施の形態では、その一例について説明することにする。
【０３３１】
図３に示すようなトランジスタで構成される半導体装置は、組み立て工程（後工程）を経て、プリント基板に脱着可能な部品が複数合わさることで完成する。
【０３３２】
後工程については、図１８（ａ）に示す各工程を経ることで完成させることができる。具体的には、前工程で得られる素子基板が完成（ステップＳ１）した後、基板の裏面を研削する（ステップＳ２）。この段階で基板を薄膜化することで、前工程での基板の反り等を低減し、部品としての小型化を図る。
【０３３３】
基板の裏面を研削して、基板を複数のチップに分離するダイシング工程を行う。そして、分離したチップを個々にピックアップしてリードフレーム上に搭載し接合する、ダイボンディング工程を行う（ステップＳ３）。このダイボンディング工程におけるチップとリードフレームとの接着は、樹脂による接着や、テープによる接着等、適宜製品に応じて適した方法を選択する。なお、ダイボンディング工程は、インターポーザ上に搭載し接合してもよい。
【０３３４】
次いでリードフレームのリードとチップ上の電極とを、金属の細線（ワイヤー）で電気的に接続する、ワイヤーボンディングを行う（ステップＳ４）。金属の細線には、銀線や金線を用いることができる。また、ワイヤーボンディングは、ボールボンディングや、ウェッジボンディングを用いることができる。
【０３３５】
ワイヤーボンディングされたチップは、エポキシ樹脂等で封止される、モールド工程が施される（ステップＳ５）。モールド工程を行うことで電子部品の内部が樹脂で充填され、機械的な外力から、内蔵される回路部やワイヤーを保護することができ、また水分や埃による特性の劣化を低減することができる。
【０３３６】
次いでリードフレームのリードをめっき処理する。そしてリードを切断及び成形加工する（ステップＳ６）。このめっき処理によりリードの錆を防止し、後にプリント基板に実装する際のはんだ付けをより確実に行うことができる。
【０３３７】
次いでパッケージの表面に印字処理（マーキング）を施す（ステップＳ７）。そして最終的な検査工程（ステップＳ８）を経て電子部品が完成する（ステップＳ９）。
【０３３８】
以上説明した電子部品は、先の実施の形態で説明した半導体装置を含む構成とすることができる。そのため、小型化、高密度化、または大容量化された記憶装置を有する電子部品を実現することができる。該電子部品は、小型化あるいは記憶容量の大容量化が図られた電子部品である。
【０３３９】
また、完成した電子部品の斜視模式図を図１８（ｂ）に示す。図１８（ｂ）では、電子部品の一例として、ＱＦＰ（Ｑｕａｄ  Ｆｌａｔ  Ｐａｃｋａｇｅ）の斜視模式図を示している。図１８（ｂ）に示す電子部品７００は、リード７０１及び半導体装置７０３を示している。図１８（ｂ）に示す電子部品７００は、例えばプリント基板７０２に実装される。このような電子部品７００が複数組み合わされて、それぞれがプリント基板７０２上で電気的に接続されることで電子部品が実装された基板（実装基板７０４）が完成する。完成した実装基板７０４は、電子機器等の内部に設けられる。
【０３４０】
上述の電子部品は、表示機器、パーソナルコンピュータ、記録媒体を備えた画像再生装置（代表的にはＤＶＤ：Ｄｉｇｉｔａｌ  Ｖｅｒｓａｔｉｌｅ  Ｄｉｓｃなどの記録媒体を再生し、その画像を表示しうるディスプレイを有する装置）に適用することができる。その他に、上述の電子部品を用いることができる電子機器として、携帯電話、携帯型を含むゲーム機、携帯データ端末、電子書籍、ビデオカメラ、デジタルスチルカメラなどのカメラ、ゴーグル型ディスプレイ（ヘッドマウントディスプレイ）、ナビゲーションシステム、音響再生装置（カーオーディオ、デジタルオーディオプレイヤーなど）、複写機、ファクシミリ、プリンタ、プリンタ複合機、現金自動預け入れ払い機（ＡＴＭ）、自動販売機などが挙げられる。これら電子機器の具体例を図１９に示す。
【０３４１】
図１９（Ａ）は携帯型ゲーム機であり、筐体９０１、筐体９０２、表示部９０３、表示部９０４、マイクロフォン９０５、スピーカー９０６、操作キー９０７、スタイラス９０８などを有する。なお、図１９（Ａ）に示した携帯型ゲーム機は、２つの表示部９０３と表示部９０４とを有しているが、携帯型ゲーム機が有する表示部の数は、これに限定されない。
【０３４２】
図１９（Ｂ）は携帯データ端末であり、第１筐体９１１、第２筐体９１２、第１表示部９１３、第２表示部９１４、接続部９１５、操作キー９１６などを有する。第１表示部９１３は第１筐体９１１に設けられており、第２表示部９１４は第２筐体９１２に設けられている。そして、第１筐体９１１と第２筐体９１２とは、接続部９１５により接続されており、第１筐体９１１と第２筐体９１２の間の角度は、接続部９１５により変更が可能である。第１表示部９１３における映像を、接続部９１５における第１筐体９１１と第２筐体９１２との間の角度にしたがって、切り替える構成としてもよい。また、第１表示部９１３および第２表示部９１４の少なくとも一方に、位置入力装置としての機能が付加された表示装置を用いるようにしてもよい。なお、位置入力装置としての機能は、表示装置にタッチパネルを設けることで付加することができる。または、位置入力装置としての機能は、フォトセンサーとも呼ばれる光電変換素子を表示装置の画素部に設けることでも、付加することができる。
【０３４３】
図１９（Ｃ）はノート型パーソナルコンピュータであり、筐体９２１、表示部９２２、キーボード９２３、ポインティングデバイス９２４などを有する。
【０３４４】
図１９（Ｄ）は電気冷凍冷蔵庫であり、筐体９３１、冷蔵室用扉９３２、冷凍室用扉９３３などを有する。
【０３４５】
図１９（Ｅ）はビデオカメラであり、第１筐体９４１、第２筐体９４２、表示部９４３、操作キー９４４、レンズ９４５、接続部９４６などを有する。操作キー９４４およびレンズ９４５は第１筐体９４１に設けられており、表示部９４３は第２筐体９４２に設けられている。そして、第１筐体９４１と第２筐体９４２とは、接続部９４６により接続されており、第１筐体９４１と第２筐体９４２の間の角度は、接続部９４６により変更が可能である。表示部９４３における映像を、接続部９４６における第１筐体９４１と第２筐体９４２との間の角度にしたがって切り替える構成としてもよい。
【０３４６】
図１９（Ｆ）は普通自動車であり、車体９５１、車輪９５２、ダッシュボード９５３、ライト９５４などを有する。
【０３４７】
これらの電子機器に、本発明の一態様に係る半導体装置（メモリセル）を含む、小型化、高密度化、または大容量化された記憶装置を有する電子部品を適用することで、小型の電子機器、または、高性能の電子機器を提供できる。
【０３４８】
なお、本実施の形態は、本明細書で示す他の実施の形態と適宜組み合わせることができる。
【０３４９】
例えば、本明細書等において、ＸとＹとが接続されている、と明示的に記載する場合は、ＸとＹとが電気的に接続されている場合と、ＸとＹとが機能的に接続されている場合と、ＸとＹとが直接接続されている場合とを含むものとする。したがって、所定の接続関係、例えば、図または文章に示された接続関係に限定されず、図または文章に示された接続関係以外のものも含むものとする。
【０３５０】
ここで、Ｘ、Ｙは、対象物（例えば、装置、素子、回路、配線、電極、端子、導電膜、層、など）であるとする。
【０３５１】
ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、または、非導通状態（オフ状態）になり、電流を流すか流さないかを制御する機能を有している。または、スイッチは、電流を流す経路を選択して切り替える機能を有している。
【０３５２】
ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅または電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ａから出力された信号がＢへ伝達される場合は、ＸとＹとは機能的に接続されているものとする。
【０３５３】
なお、ＸとＹとが電気的に接続されている、と明示的に記載する場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とを含むものとする。つまり、電気的に接続されている、と明示的に記載する場合は、単に、接続されている、とのみ明示的に記載されている場合と同じであるとする。
【０３５４】
なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。
【０３５５】
例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。または、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。または、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【０３５６】
なお、ある一つの実施の形態の中で述べる内容（一部の内容でもよい）は、その実施の形態で述べる別の内容（一部の内容でもよい）、及び／又は、一つ若しくは複数の別の実施の形態で述べる内容（一部の内容でもよい）に対して、適用、組み合わせ、又は置き換えなどを行うことが出来る。
【０３５７】
なお、実施の形態の中で述べる内容とは、各々の実施の形態において、様々な図を用いて述べる内容、又は明細書に記載される文章を用いて述べる内容のことである。
【０３５８】
なお、ある一つの実施の形態において述べる図（一部でもよい）は、その図の別の部分、その実施の形態において述べる別の図（一部でもよい）、及び／又は、一つ若しくは複数の別の実施の形態において述べる図（一部でもよい）に対して、組み合わせることにより、さらに多くの図を構成させることが出来る。
【０３５９】
なお、明細書の中の図面や文章において規定されていない内容について、その内容を除くことを規定した発明の一態様を構成することが出来る。または、ある値について、上限値と下限値などで示される数値範囲が記載されている場合、その範囲を任意に狭めることで、または、その範囲の中の一点を除くことで、その範囲を一部除いた発明の一態様を規定することができる。これらにより、例えば、従来技術が本発明の一態様の技術的範囲内に入らないことを規定することができる。
【０３６０】
具体例としては、ある回路において、第１乃至第５のトランジスタを用いている回路図が記載されているとする。その場合、その回路が、第６のトランジスタを有していないことを発明として規定することが可能である。または、その回路が、容量素子を有していないことを規定することが可能である。さらに、その回路が、ある特定の接続構造をとっているような第６のトランジスタを有していない、と規定して発明を構成することができる。または、その回路が、ある特定の接続構造をとっている容量素子を有していない、と規定して発明を構成することができる。例えば、ゲートが第３のトランジスタのゲートと接続されている第６のトランジスタを有していない、と発明を規定することが可能である。または、例えば、第１の電極が第３のトランジスタのゲートと接続されている容量素子を有していない、と発明を規定することが可能である。
【０３６１】
別の具体例としては、ある値について、例えば、「ある電圧が、３Ｖ以上１０Ｖ以下であることが好適である」と記載されているとする。その場合、例えば、ある電圧が、−２Ｖ以上１Ｖ以下である場合を除く、と発明の一態様を規定することが可能である。または、例えば、ある電圧が、１３Ｖ以上である場合を除く、と発明の一態様を規定することが可能である。なお、例えば、その電圧が、５Ｖ以上８Ｖ以下であると発明を規定することも可能である。なお、例えば、その電圧が、概略９Ｖであると発明を規定することも可能である。なお、例えば、その電圧が、３Ｖ以上１０Ｖ以下であるが、９Ｖである場合を除くと発明を規定することも可能である。なお、ある値について、「このような範囲であることが好ましい」、「これらを満たすことが好適である」となどと記載されていたとしても、ある値は、それらの記載に限定されない。つまり、「好ましい」、「好適である」などと記載されていたとしても、必ずしも、それらの記載には、限定されない。
【０３６２】
別の具体例としては、ある値について、例えば、「ある電圧が、１０Ｖであることが好適である」と記載されているとする。その場合、例えば、ある電圧が、−２Ｖ以上１Ｖ以下である場合を除く、と発明の一態様を規定することが可能である。または、例えば、ある電圧が、１３Ｖ以上である場合を除く、と発明の一態様を規定することが可能である。
【０３６３】
別の具体例としては、ある物質の性質について、例えば、「ある膜は、絶縁膜である」と記載されているとする。その場合、例えば、その絶縁膜が、有機絶縁膜である場合を除く、と発明の一態様を規定することが可能である。または、例えば、その絶縁膜が、無機絶縁膜である場合を除く、と発明の一態様を規定することが可能である。または、例えば、その膜が、導電膜である場合を除く、と発明の一態様を規定することが可能である。または、例えば、その膜が、半導体膜である場合を除く、と発明の一態様を規定することが可能である。
【０３６４】
別の具体例としては、ある積層構造について、例えば、「Ａ膜とＢ膜との間に、ある膜が設けられている」と記載されているとする。その場合、例えば、その膜が、４層以上の積層膜である場合を除く、と発明を規定することが可能である。または、例えば、Ａ膜とその膜との間に、導電膜が設けられている場合を除く、と発明を規定することが可能である。
【０３６５】
なお、本明細書等において記載されている発明の一態様は、さまざまな人が実施することが出来る。しかしながら、その実施は、複数の人にまたがって実施される場合がある。例えば、送受信システムの場合において、Ａ社が送信機を製造および販売し、Ｂ社が受信機を製造および販売する場合がある。別の例としては、トランジスタおよび発光素子を有する発光装置の場合において、トランジスタが形成された半導体装置は、Ａ社が製造および販売する。そして、Ｂ社がその半導体装置を購入して、その半導体装置に発光素子を成膜して、発光装置として完成させる、という場合がある。
【０３６６】
このような場合、Ａ社またはＢ社のいずれに対しても、特許侵害を主張できるような発明の一態様を、構成することが出来る。つまり、Ａ社のみが実施するような発明の一態様を構成することが可能であり、別の発明の一態様として、Ｂ社のみが実施するような発明の一態様を構成することが可能である。また、Ａ社またはＢ社に対して、特許侵害を主張できるような発明の一態様は、明確であり、本明細書等に記載されていると判断する事が出来る。例えば、送受信システムの場合において、送信機のみの場合の記載や、受信機のみの場合の記載が本明細書等になかったとしても、送信機のみで発明の一態様を構成することができ、受信機のみで別の発明の一態様を構成することができ、それらの発明の一態様は、明確であり、本明細書等に記載されていると判断することが出来る。別の例としては、トランジスタおよび発光素子を有する発光装置の場合において、トランジスタが形成された半導体装置のみの場合の記載や、発光素子を有する発光装置のみの場合の記載が本明細書等になかったとしても、トランジスタが形成された半導体装置のみで発明の一態様を構成することができ、発光素子を有する発光装置のみで発明の一態様を構成することができ、それらの発明の一態様は、明確であり、本明細書等に記載されていると判断することが出来る。
【０３６７】
なお、本明細書等においては、能動素子（トランジスタ、ダイオードなど）、受動素子（容量素子、抵抗素子など）などが有するすべての端子について、その接続先を特定しなくても、当業者であれば、発明の一態様を構成することは可能な場合がある。つまり、接続先を特定しなくても、発明の一態様が明確であると言える。そして、接続先が特定された内容が、本明細書等に記載されている場合、接続先を特定しない発明の一態様が、本明細書等に記載されていると判断することが可能な場合がある。特に、端子の接続先が複数のケース考えられる場合には、その端子の接続先を特定の箇所に限定する必要はない。したがって、能動素子（トランジスタ、ダイオードなど）、受動素子（容量素子、抵抗素子など）などが有する一部の端子についてのみ、その接続先を特定することによって、発明の一態様を構成することが可能な場合がある。
【０３６８】
なお、本明細書等においては、ある回路について、少なくとも接続先を特定すれば、当業者であれば、発明を特定することが可能な場合がある。または、ある回路について、少なくとも機能を特定すれば、当業者であれば、発明を特定することが可能な場合がある。つまり、機能を特定すれば、発明の一態様が明確であると言える。そして、機能が特定された発明の一態様が、本明細書等に記載されていると判断することが可能な場合がある。したがって、ある回路について、機能を特定しなくても、接続先を特定すれば、発明の一態様として開示されているものであり、発明の一態様を構成することが可能である。または、ある回路について、接続先を特定しなくても、機能を特定すれば、発明の一態様として開示されているものであり、発明の一態様を構成することが可能である。
【０３６９】
なお、本明細書等においては、ある一つの実施の形態において述べる図または文章において、その一部分を取り出して、発明の一態様を構成することは可能である。したがって、ある部分を述べる図または文章が記載されている場合、その一部分の図または文章を取り出した内容も、発明の一態様として開示されているものであり、発明の一態様を構成することが可能であるものとする。そして、その発明の一態様は明確であると言える。そのため、例えば、能動素子（トランジスタ、ダイオードなど）、配線、受動素子（容量素子、抵抗素子など）、導電層、絶縁層、半導体層、有機材料、無機材料、部品、装置、動作方法、製造方法などが単数もしくは複数記載された図面または文章において、その一部分を取り出して、発明の一態様を構成することが可能であるものとする。例えば、Ｎ個（Ｎは整数）の回路素子（トランジスタ、容量素子等）を有して構成される回路図から、Ｍ個（Ｍは整数で、Ｍ＜Ｎ）の回路素子（トランジスタ、容量素子等）を抜き出して、発明の一態様を構成することは可能である。別の例としては、Ｎ個（Ｎは整数）の層を有して構成される断面図から、Ｍ個（Ｍは整数で、Ｍ＜Ｎ）の層を抜き出して、発明の一態様を構成することは可能である。さらに別の例としては、Ｎ個（Ｎは整数）の要素を有して構成されるフローチャートから、Ｍ個（Ｍは整数で、Ｍ＜Ｎ）の要素を抜き出して、発明の一態様を構成することは可能である。さらに別の例としては、「Ａは、Ｂ、Ｃ、Ｄ、Ｅ、または、Ｆを有する」と記載されている文章から、一部の要素を任意に抜き出して、「Ａは、ＢとＥとを有する」、「Ａは、ＥとＦとを有する」、「Ａは、ＣとＥとＦとを有する」、または、「Ａは、ＢとＣとＤとＥとを有する」などの発明の一態様を構成することは可能である。
【０３７０】
なお、本明細書等においては、ある一つの実施の形態において述べる図または文章において、少なくとも一つの具体例が記載される場合、その具体例の上位概念を導き出すことは、当業者であれば容易に理解される。したがって、ある一つの実施の形態において述べる図または文章において、少なくとも一つの具体例が記載される場合、その具体例の上位概念も、発明の一態様として開示されているものであり、発明の一態様を構成することが可能である。そして、その発明の一態様は、明確であると言える。
【０３７１】
なお、本明細書等においては、少なくとも図に記載した内容（図の中の一部でもよい）は、発明の一態様として開示されているものであり、発明の一態様を構成することが可能である。したがって、ある内容について、図に記載されていれば、文章を用いて述べていなくても、その内容は、発明の一態様として開示されているものであり、発明の一態様を構成することが可能である。同様に、図の一部を取り出した図についても、発明の一態様として開示されているものであり、発明の一態様を構成することが可能である。そして、その発明の一態様は明確であると言える。
【符号の説明】
【０３７２】
４００  基板
４０６ａ、４０６ｂ、４０６ｃ  半導体
４０７ａ、４０７ｂ、４０７ｃ  半導体
４０８ａ、４０８ｂ、４０８ｃ  半導体
４０９ｃ、４１０ｃ  半導体
４１１、４１２、４１３  絶縁体
４１４、４１５  絶縁体
４１６ａ、４１６ｂ  導電体
４１７ａ、４１７ｂ  導電体
４１８ａ、４１８ｂ  導電体
４２３  導電体
４２６、４２７、４２８  導電体
４２９、４３０  導電体
４３２、４３４、４３６  導電体
４４２、４４４、４４６  導電体
４６２、４６４、４６６  絶縁体
４９０、４９１、４９２  トランジスタ
４９３、４９４  容量素子
５００  メモリセル
５０１  領域
【図１】
2015170749.tif 000003
【図２】
2015170749.tif 000004
【図３】
2015170749.tif 000005
【図４】
2015170749.tif 000006
【図５】
2015170749.tif 000007
【図６】
2015170749.tif 000008
【図７】
2015170749.tif 000009
【図８】
2015170749.tif 000010
【図９】
2015170749.tif 000011
【図１０】
2015170749.tif 000012
【図１１】
2015170749.tif 000013
【図１５】
2015170749.tif 000014
【図１６】
2015170749.tif 000015
【図１７】
2015170749.tif 000016
【図１８】
2015170749.tif 000017
【図１９】
2015170749.tif 000018
【図１２】
2015170749.tif 000019
【図１３】
2015170749.tif 000020
【図１４】
2015170749.tif 000021